(57)【要約】  本発明は、データ伝送方法、デバイス、及びシステムを開示し、通信分野に関し、ライセンス不要周波数帯における情報送信の開始時刻が決定不可能なので、受信側がデータを正しく受信することができないという従来技術の問題を解決することができる。具体的な解決手段は以下の通りである。第１のデバイスは、第１の時間リソースにおける第１のサブフレームの予め設定された期間、又は第１の時間リソースにおけるサブフレームの第１の時間セットにおいて、第１のサービングセルの第１の情報を検出し、第１の情報に従って、第２の時間リソースの開始位置を決定し、第２の時間リソースにおけるサブフレームの第２の時間セットにおいて、第１のサービングセルの第２の情報を検出する。本発明は、データ伝送に用いられる。
2018516480.tif 000002
【特許請求の範囲】
【請求項１】
第１のデバイスであって、
第１の時間リソースにおける第１のサブフレームの予め設定された期間、又は前記第１の時間リソースにおけるサブフレームの第１の時間セットにおいて、第１のサービングセルの第１の情報を検出するように構成される第１の検出ユニットであって、前記第１の時間セットは、サブフレームにおける前記第１の情報の予め規定された開始位置のセットであり、前記第１の時間セットは、少なくとも２つの要素を含む、第１の検出ユニットと、
前記第１の検出ユニットによって検出された前記第１の情報に従って、第２の時間リソースの開始位置を決定するように構成される管理ユニットと、
前記第２の時間リソースにおけるサブフレームの第２の時間セットにおいて、前記第１のサービングセルの第２の情報を検出するように構成される第２の検出ユニットであって、前記第２の時間セットは、サブフレームにおける前記第２の情報の予め規定された開始位置のセットであり、前記第１の時間セット及び前記第２の時間セットは、少なくとも１つの異なる要素を含む、検出ユニットと、
を備えるデバイス。
【請求項２】
前記第１の時間リソースは、前記第１のサービングセルの閉鎖期を含み、前記第１のサービングセルの前記閉鎖期は、前記第１のサービングセルがアンライセンス周波数帯を先行占有しない期間であり、
前記第２の時間リソースは、前記第１のサービングセルの開放期に含まれ、前記第１のサービングセルの前記開放期は、前記第１のサービングセルがアンライセンス周波数帯を占有する期間である、
請求項１に記載のデバイス。
【請求項３】
前記第１の検出ユニットは、前記第１の情報の後で受信された第３の情報を検出し、検出された前記第３の情報に従って、前記第１の情報の開始位置を決定し、前記第１の時間リソースにおける前記第１のサブフレームの前記予め設定された期間、又は前記第１の時間リソースにおける前記サブフレームの前記第１の時間セットにおいて、前記第１の情報の前記開始位置に従って、受信された前記第１の情報を検出するようにさらに構成される、
請求項１又は２に記載のデバイス。
【請求項４】
各フレーム周期における１番目のサブフレームは、前記第１のサブフレームであり、前記予め設定された期間は、前記第１のサブフレームにおいて、少なくとも１つの直交周波数分割多重ＯＦＤＭシンボルを含み、フレーム周期は、少なくとも２つのサブフレームを含む、
請求項１から３のいずれか１項に記載のデバイス。
【請求項５】
前記フレーム周期は、フレームベース機器ＦＢＥフレーム構造における固定フレーム周期ＦＦＰであり、
前記第１のサブフレームは、Ｉ  ｍｏｄ  Ｆ＝ｏｆｆｓｅｔの式を満たし、Ｉは、前記第１のサブフレームのサブフレームインデックスであり、Ｆは、前記固定フレーム周期ＦＦＰの長さであり、ｏｆｆｓｅｔは、偏移量である、
請求項４に記載のデバイス。
【請求項６】
各フレーム周期における全てのサブフレームは、前記第１のサブフレームであり、各フレーム周期に含まれるアイドル周期は、各フレーム周期において均等な間隔で分散し、前記予め設定された期間における最初のＯＦＤＭシンボルのインデックスｍは、Ｉ  ｍｏｄ  Ｘ＝ｏｆｆｓｅｔ＋ｍの式を満たし、Ｉは、前記第１のサブフレームのサブフレームインデックスであり、Ｘは、フレーム周期の長さであり、ｏｆｆｓｅｔは、偏移量である、
請求項１から３のいずれか１項に記載のデバイス。
【請求項７】
前記第１の時間セットは、サブフレームにおいて、少なくとも１つの直交周波数分割多重ＯＦＤＭシンボルの開始時刻を含む、又は、
前記第１の時間セットは、サブフレームにおいて、少なくとも１／ＴのＯＦＤＭシンボルの開始時刻を含み、Ｔは、０より大きい整数である、
請求項１から６のいずれか１項に記載のデバイス。
【請求項８】
前記第１の時間セットは、サブフレームにおいて、第（ｋ＋ｘ）のＯＦＤＭシンボルの開始位置を含み、
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である、
請求項１から７のいずれか１項に記載のデバイス。
【請求項９】
前記第２の時間リソースの前記開始位置は、前記第１の情報の前記開始位置に続く第ｎのデータ伝送単位の開始時刻であり、ｎは、正の整数であり、前記データ伝送単位は、１／ＴのＯＦＤＭシンボルであり、Ｔは、０より大きい整数である、
請求項１から８のいずれか１項に記載のデバイス。
【請求項１０】
前記第１のデバイスは、継続時間情報を検出するように構成される第３の検出ユニットをさらに備え、
前記管理ユニットは、前記第３の検出ユニットによって検出された前記継続時間情報に従って、前記第２の時間リソースの終了時刻を決定するようにさらに構成される、
請求項１から９のいずれか１項に記載のデバイス。
【請求項１１】
前記継続時間情報は、第１の長さについての情報を含み、前記第１の長さは、前記第２の時間リソースにおける最後のサブフレームの長さである、
請求項１０に記載のデバイス。
【請求項１２】
前記第１のデバイスは、前記第１のサービングセルの少なくとも２つの継続時間情報を検出し、
前記管理ユニットは、検出された最後の前記継続時間情報に従って、前記第２の時間リソースの前記終了時刻を決定するようにさらに構成される、
請求項１０又は１１に記載のデバイス。
【請求項１３】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、請求項１０又は１１に記載のデバイス。
【請求項１４】
前記継続時間情報は、前記第２の時間リソースにおける最後のサブフレームに保持される、請求項１０又は１１に記載のデバイス。
【請求項１５】
前記継続時間情報は、物理層共通制御チャネルに保持される、請求項１０から１４のいずれか１項に記載のデバイス。
【請求項１６】
第２のデバイスであって、
第１の時間リソースにおける第１のサブフレームの予め設定された期間、又は前記第１の時間リソースにおけるサブフレームの第１の時間セットにおいて、第１のサービングセルの第１の情報を送信する開始位置を決定するように構成される管理ユニットであって、前記第１の時間セットは、サブフレームにおける前記第１の情報の予め規定された開始位置のセットであり、前記第１の時間セットは、少なくとも２つの要素を含む、管理ユニットと、
前記第１の情報を第１のデバイスに送信するように構成される送信ユニットと、
を備え、
前記管理ユニットは、前記第１の情報に従って、前記第２の時間リソースの開始位置を決定し、前記第２の時間リソースにおけるサブフレームの第２の時間セットにおいて、前記第１のサービングセルの第２の情報を送信する開始位置を決定するようにさらに構成され、前記第２の時間セットは、サブフレームにおける前記第２の情報の予め規定された開始位置のセットであり、前記第１の時間セット及び前記第２の時間セットは、少なくとも１つの異なる要素を含み、
前記送信ユニットは、前記第２の情報を前記第１のデバイスに送信するようにさらに構成される、
デバイス。
【請求項１７】
前記第１の時間リソースは、前記第１のサービングセルの閉鎖期を含み、前記第１のサービングセルの前記閉鎖期は、前記第１のサービングセルがアンライセンス周波数帯を先行占有しない期間であり、
前記第２の時間リソースは、前記第１のサービングセルの開放期に含まれ、前記第１のサービングセルの前記開放期は、前記第１のサービングセルがアンライセンス周波数帯を占有する期間である、
請求項１６に記載のデバイス。
【請求項１８】
前記送信ユニットは、第３の情報を前記第１のデバイスに送信するようにさらに構成され、前記第３の情報は、前記第１の情報の前記開始位置を示すために用いられる、請求項１６又は１７に記載のデバイス。
【請求項１９】
各フレーム周期における１番目のサブフレームは、前記第１のサブフレームであり、前記予め設定された期間は、前記第１のサブフレームにおいて、少なくとも１つの直交周波数分割多重ＯＦＤＭシンボルを含み、フレーム周期は、少なくとも２つのサブフレームを含む、請求項１６から１８のいずれか１項に記載のデバイス。
【請求項２０】
前記フレーム周期は、フレームベース機器ＦＢＥフレーム構造における固定フレーム周期ＦＦＰであり、
前記第１のサブフレームは、Ｉ  ｍｏｄ  Ｆ＝ｏｆｆｓｅｔの式を満たし、Ｉは、前記第１のサブフレームのサブフレームインデックスであり、Ｆは、前記固定フレーム周期ＦＦＰの長さであり、ｏｆｆｓｅｔは、偏移量である、
請求項１９に記載のデバイス。
【請求項２１】
各フレーム周期における全てのサブフレームは、前記第１のサブフレームであり、各フレーム周期に含まれるアイドル周期は、各フレーム周期において均等な間隔で分散し、前記予め設定された期間における最初のＯＦＤＭシンボルｍは、Ｉ  ｍｏｄ  Ｘ＝ｏｆｆｓｅｔ＋ｍの式を満たし、Ｉは、前記第１のサブフレームのサブフレームインデックスであり、Ｘは、フレーム周期の長さであり、ｏｆｆｓｅｔは、偏移量である、
請求項１６から１８のいずれか１項に記載のデバイス。
【請求項２２】
前記第１の時間セットは、サブフレームにおいて、少なくとも１つの直交周波数分割多重ＯＦＤＭシンボルの開始時刻を含む、又は、
前記第１の時間セットは、サブフレームにおいて、少なくとも１／ＴのＯＦＤＭシンボルの開始時刻を含み、Ｔは、０より大きい整数である、
請求項１６から２１のいずれか１項に記載のデバイス。
【請求項２３】
前記第１の時間セットは、サブフレームにおいて、第（ｋ＋ｘ）のＯＦＤＭシンボルの開始位置を含み、ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である、
請求項１６から２２のいずれか１項に記載のデバイス。
【請求項２４】
前記第２の時間リソースの前記開始位置は、前記第１の情報の前記開始位置に続く第ｎのデータ伝送単位の開始時刻であり、ｎは、正の整数であり、前記データ伝送単位は、１／ＴのＯＦＤＭシンボルであり、Ｔは、０より大きい整数である、
請求項１６から２３のいずれか１項に記載のデバイス。
【請求項２５】
前記管理ユニットは、前記第２の時間リソースの終了時刻を決定するようにさらに構成され、
前記送信ユニットは、継続時間情報を前記第１のデバイスに送信するようにさらに構成され、前記継続時間情報は、前記継続時間情報の開始時刻から前記第２の時間リソースの前記終了時刻までの時間長を示すために用いられる、
請求項１６から２４のいずれか１項に記載のデバイス。
【請求項２６】
前記継続時間情報は、第１の長さについての情報を含み、前記第１の長さは、前記第２の時間リソースにおける最後のサブフレームの長さである、
請求項２５に記載のデバイス。
【請求項２７】
前記送信ユニットは、前記第１のサービングセルの少なくとも２つの継続時間情報を前記第１のデバイスに送信するようにさらに構成される、
請求項２５又は２６に記載のデバイス。
【請求項２８】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、
請求項２５又は２６に記載のデバイス。
【請求項２９】
前記継続時間情報は、前記第２の時間リソースにおける最後のサブフレームに保持される、
請求項２５又は２６に記載のデバイス。
【請求項３０】
前記継続時間情報は、物理層共通制御チャネルに保持される、
請求項２５から２９のいずれか１項に記載のデバイス。
【請求項３１】
第１のデバイスであって、
継続時間情報を検出するように構成される検出ユニットと、
前記検出ユニットによって検出された前記継続時間情報に従って、前記第２の時間リソースの終了時刻を決定するように構成される管理ユニットと、
を備えるデバイス。
【請求項３２】
前記第２の時間リソースは、前記第１のサービングセルの開放期に含まれ、前記第１のサービングセルの前記開放期は、前記第１のサービングセルがアンライセンス周波数帯を占有する期間である、
請求項３１に記載のデバイス。
【請求項３３】
前記継続時間情報は、第１の長さについての情報を含み、前記第１の長さは、前記第２の時間リソースにおける最後のサブフレームの長さである、
請求項３１又は３２に記載のデバイス。
【請求項３４】
前記第１のデバイスは、前記第１のサービングセルの少なくとも２つの継続時間情報を検出し、
前記管理ユニットは、検出された最後の前記継続時間情報に従って、前記第２の時間リソースの前記終了時刻を決定するようにさらに構成される、
請求項３１から３３のいずれか１項に記載のデバイス。
【請求項３５】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、
請求項３１から３３のいずれか１項に記載のデバイス。
【請求項３６】
前記継続時間情報は、前記第２の時間リソースにおける最後のサブフレームに保持される、
請求項３１から３３のいずれか１項に記載のデバイス。
【請求項３７】
前記継続時間情報は、物理層共通制御チャネルに保持される、
請求項３１から３６のいずれか１項に記載のデバイス。
【請求項３８】
第２のデバイスであって、
第２の時間リソースの終了時刻を決定するように構成される管理ユニットと、
継続時間情報を第１のデバイスに送信するように構成される送信ユニットであって、前記継続時間情報は、前記継続時間情報の開始時刻から前記第２の時間リソースの前記終了時刻までの時間長を示すために用いられる、送信ユニットと、
を備えるデバイス。
【請求項３９】
前記第２の時間リソースは、前記第１のサービングセルの開放期に含まれ、前記第１のサービングセルの前記開放期は、前記第１のサービングセルがアンライセンス周波数帯を占有する期間である、請求項３８に記載のデバイス。
【請求項４０】
前記継続時間情報は、第１の長さについての情報を含み、前記第１の長さは、前記第２の時間リソースにおける最後のサブフレームの長さである、
請求項３８又は３９に記載のデバイス。
【請求項４１】
前記送信ユニットは、前記第１のサービングセルの少なくとも２つの継続時間情報を前記第１のデバイスに送信するようにさらに構成される、請求項３８から４０のいずれか１項に記載のデバイス。
【請求項４２】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、請求項３８から４０のいずれか１項に記載のデバイス。
【請求項４３】
前記継続時間情報は、前記第２の時間リソースにおける最後のサブフレームに保持される、請求項３８から４０のいずれか１項に記載のデバイス。
【請求項４４】
前記継続時間情報は、物理層共通制御チャネルに保持される、請求項３８から４３のいずれか１項に記載のデバイス。
【請求項４５】
データ伝送方法であって、
第１のデバイスによって、第１の時間リソースにおける第１のサブフレームの予め設定された期間、又は前記第１の時間リソースにおけるサブフレームの第１の時間セットにおいて、第１のサービングセルの第１の情報を検出する段階であって、前記第１の時間セットは、サブフレームにおける前記第１の情報の予め規定された開始位置のセットであり、前記第１の時間セットは、少なくとも２つの要素を含む、段階と、
前記第１のデバイスによって、前記第１の情報に従って、第２の時間リソースの開始位置を決定する段階と、
前記第１のデバイスによって、前記第２の時間リソースにおけるサブフレームの第２の時間セットにおいて、前記第１のサービングセルの第２の情報を検出する段階であって、前記第２の時間セットは、サブフレームにおける前記第２の情報の予め規定された開始位置のセットであり、前記第１の時間セット及び前記第２の時間セットは、少なくとも１つの異なる要素を含む、段階と、
を備える方法。
【請求項４６】
前記第１の時間リソースは、前記第１のサービングセルの閉鎖期を含み、前記第１のサービングセルの前記閉鎖期は、前記第１のサービングセルがアンライセンス周波数帯を先行占有しない期間であり、
前記第２の時間リソースは、前記第１のサービングセルの開放期に含まれ、前記第１のサービングセルの前記開放期は、前記第１のサービングセルがアンライセンス周波数帯を占有する期間である、
請求項４５に記載の方法。
【請求項４７】
第１のデバイスによって、第１の時間リソースにおける第１のサブフレームの予め設定された期間、又は前記第１の時間リソースにおけるサブフレームの第１の時間セットにおいて、第１のサービングセルの第１の情報を検出する前記段階は、
前記第１のデバイスによって、第３の情報を検出し、検出された前記第３の情報に従って、前記第１の情報の開始位置を決定する段階であって、前記第３の情報は、前記第１の情報の後で受信される、段階と、
前記第１のデバイスによって、前記第１の時間リソースにおける前記第１のサブフレームの前記予め設定された期間、又は前記第１の時間リソースにおける前記サブフレームの前記第１の時間セットにおいて、前記第１の情報の前記開始位置に従って、受信された前記第１の情報を検出する段階と、
を含む、
請求項４５又は４６に記載の方法。
【請求項４８】
各フレーム周期における１番目のサブフレームは、前記第１のサブフレームであり、前記予め設定された期間は、前記第１のサブフレームにおいて、少なくとも１つの直交周波数分割多重ＯＦＤＭシンボルを含み、フレーム周期は、少なくとも２つのサブフレームを含む、
請求項４５から４７のいずれか１項に記載の方法。
【請求項４９】
前記フレーム周期は、フレームベース機器ＦＢＥフレーム構造における固定フレーム周期ＦＦＰであり、
前記第１のサブフレームは、Ｉ  ｍｏｄ  Ｆ＝ｏｆｆｓｅｔの式を満たし、Ｉは、前記第１のサブフレームのサブフレームインデックスであり、Ｆは、前記固定フレーム周期ＦＦＰの長さであり、ｏｆｆｓｅｔは、偏移量である、
請求項４８に記載の方法。
【請求項５０】
各フレーム周期における全てのサブフレームは、前記第１のサブフレームであり、各フレーム周期に含まれるアイドル周期は、各フレーム周期において均等な間隔で分散し、前記予め設定された期間における最初のＯＦＤＭシンボルのインデックスｍは、Ｉ  ｍｏｄ  Ｘ＝ｏｆｆｓｅｔ＋ｍの式を満たし、Ｉは、前記第１のサブフレームのサブフレームインデックスであり、Ｘは、フレーム周期の長さであり、ｏｆｆｓｅｔは、偏移量である、
請求項４５から４７のいずれか１項に記載の方法。
【請求項５１】
前記第１の時間セットは、サブフレームにおいて、少なくとも１つの直交周波数分割多重ＯＦＤＭシンボルの開始時刻を含む、又は、
前記第１の時間セットは、サブフレームにおいて、少なくとも１／ＴのＯＦＤＭシンボルの開始時刻を含み、Ｔは、０より大きい整数である、
請求項４５から５０のいずれか１項に記載の方法。
【請求項５２】
前記第１の時間セットは、サブフレームにおいて、第（ｋ＋ｘ）のＯＦＤＭシンボルの開始位置を含み、
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である、
請求項４５から５１のいずれか１項に記載の方法。
【請求項５３】
前記第２の時間リソースの前記開始位置は、前記第１の情報の前記開始位置に続く第ｎのデータ伝送単位の開始時刻であり、ｎは、正の整数であり、前記データ伝送単位は、１／ＴのＯＦＤＭシンボルであり、Ｔは、０より大きい整数である、
請求項４５から５２のいずれか１項に記載の方法。
【請求項５４】
前記方法は、
前記第１のデバイスによって、継続時間情報を検出する段階と、
前記第１のデバイスによって、前記継続時間情報に従って、前記第２の時間リソースの終了時刻を決定する段階と、
をさらに備える、
請求項４５から５３のいずれか１項に記載の方法。
【請求項５５】
前記継続時間情報は、第１の長さについての情報を含み、前記第１の長さは、前記第２の時間リソースにおける最後のサブフレームの長さである、
請求項５４に記載の方法。
【請求項５６】
前記第１のデバイスによって、前記第１のサービングセルの少なくとも２つの継続時間情報を検出する段階
前記第１のデバイスによって、前記継続時間情報に従って、前記第２の時間リソースの終了時刻を決定する前記段階は、
前記第１のデバイスによって、検出された最後の前記継続時間情報に従って、前記第２の時間リソースの前記終了時刻を決定する段階
を含む、
請求項５４又は５５に記載の方法。
【請求項５７】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、
請求項５４又は５５に記載の方法。
【請求項５８】
前記継続時間情報は、前記第２の時間リソースにおける最後のサブフレームに保持される、
請求項５４又は５５に記載の方法。
【請求項５９】
前記継続時間情報は、物理層共通制御チャネルに保持される、
請求項５４から５８のいずれか１項に記載の方法。
【請求項６０】
データ伝送方法であって、
第２のデバイスによって、第１の時間リソースにおける第１のサブフレームの予め設定された期間、又は前記第１の時間リソースにおけるサブフレームの第１の時間セットにおいて、第１のサービングセルの第１の情報を送信する開始位置を決定し、前記第１の情報を第１のデバイスに送信する段階であって、前記第１の時間セットは、サブフレームにおける前記第１の情報の予め規定された開始位置のセットであり、前記第１の時間セットは、少なくとも２つの要素を含む、段階と、
前記第２のデバイスによって、前記前記第１の情報に従って、前記第２の時間リソースの開始位置を決定する段階と、
前記第２のデバイスによって、前記第２の時間リソースにおけるサブフレームの第２の時間セットにおいて、前記第１のサービングセルの第２の情報を送信する開始位置を決定し、前記第２の情報を前記第１のデバイスに送信する段階であって、前記第２の時間セットは、サブフレームにおける前記第２の情報の予め規定された開始位置のセットであり、前記第１の時間セット及び前記第２の時間セットは、少なくとも１つの異なる要素を含む、段階と、
を備える方法。
【請求項６１】
前記第１の時間リソースは、前記第１のサービングセルの閉鎖期を含み、前記第１のサービングセルの前記閉鎖期は、前記第１のサービングセルがアンライセンス周波数帯を先行占有しない期間であり、
前記第２の時間リソースは、前記第１のサービングセルの開放期に含まれ、前記第１のサービングセルの前記開放期は、前記第１のサービングセルがアンライセンス周波数帯を占有する期間である、
請求項６０に記載の方法。
【請求項６２】
前記第２のデバイスによって、前記第１のサービングセルの前記第１の情報を第１のデバイスに送信する前記段階の後で、
前記第２のデバイスによって、第３の情報を前記第１のデバイスに送信する段階であって、前記第３の情報は、前記第１の情報の前記開始位置を示すために用いられる、段階
をさらに備える、
請求項６０又は６１に記載の方法。
【請求項６３】
各フレーム周期における１番目のサブフレームは、前記第１のサブフレームであり、前記予め設定された期間は、前記第１のサブフレームにおいて、少なくとも１つの直交周波数分割多重ＯＦＤＭシンボルを含み、フレーム周期は、少なくとも２つのサブフレームを含む、請求項６０から６２のいずれか１項に記載の方法。
【請求項６４】
前記フレーム周期は、フレームベース機器ＦＢＥフレーム構造における固定フレーム周期ＦＦＰであり、
前記第１のサブフレームは、Ｉ  ｍｏｄ  Ｆ＝ｏｆｆｓｅｔの式を満たし、Ｉは、前記第１のサブフレームのサブフレームインデックスであり、Ｆは、前記固定フレーム周期ＦＦＰの長さであり、ｏｆｆｓｅｔは、偏移量である、請求項６３に記載の方法。
【請求項６５】
各フレーム周期における全てのサブフレームは、前記第１のサブフレームであり、各フレーム周期に含まれるアイドル周期は、各フレーム周期において均等な間隔で分散し、前記予め設定された期間における最初のＯＦＤＭシンボルｍは、Ｉ  ｍｏｄ  Ｘ＝ｏｆｆｓｅｔ＋ｍの式を満たし、Ｉは、前記第１のサブフレームのサブフレームインデックスであり、Ｘは、フレーム周期の長さであり、ｏｆｆｓｅｔは、偏移量である、
請求項６０から６２のいずれか１項に記載の方法。
【請求項６６】
前記第１の時間セットは、サブフレームにおいて、少なくとも１つの直交周波数分割多重ＯＦＤＭシンボルの開始時刻を含む、又は、
前記第１の時間セットは、サブフレームにおいて、少なくとも１／ＴのＯＦＤＭシンボルの開始時刻を含み、Ｔは、０より大きい整数である、
請求項６０から６５のいずれか１項に記載の方法。
【請求項６７】
前記第１の時間セットは、サブフレームにおいて、第（ｋ＋ｘ）のＯＦＤＭシンボルの開始位置を含み、
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である、
請求項６０から６６のいずれか１項に記載の方法。
【請求項６８】
前記第２の時間リソースの前記開始位置は、前記第１の情報の前記開始位置に続く第ｎのデータ伝送単位の開始時刻であり、ｎは、正の整数であり、前記データ伝送単位は、１／ＴのＯＦＤＭシンボルであり、Ｔは、０より大きい整数である、
請求項６０から６７のいずれか１項に記載の方法。
【請求項６９】
前記方法は、
前記第２のデバイスによって、前記第２の時間リソースの終了時刻を決定する段階と、
前記第２のデバイスによって、継続時間情報を前記第１のデバイスに送信する段階であって、前記継続時間情報は、前記継続時間情報の開始時刻から前記第２の時間リソースの前記終了時刻までの時間長を示すために用いられる、段階と、
をさらに備える、
請求項６０から６８のいずれか１項に記載の方法。
【請求項７０】
前記継続時間情報は、第１の長さについての情報を含み、前記第１の長さは、前記第２の時間リソースにおける最後のサブフレームの長さである、
請求項６９に記載の方法。
【請求項７１】
前記第２のデバイスによって、前記第１のサービングセルの継続時間情報を前記第１のデバイスに送信する前記段階は、
前記第２のデバイスによって、前記第１のサービングセルの少なくとも２つの継続時間情報を前記第１のデバイスに送信する段階
を含む、
請求項６９又は７０に記載の方法。
【請求項７２】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、
請求項６９又は７０に記載の方法。
【請求項７３】
前記継続時間情報は、前記第２の時間リソースにおける最後のサブフレームに保持される、
請求項６９又は７０に記載の方法。
【請求項７４】
前記継続時間情報は、物理層共通制御チャネルに保持される、
請求項６９から７３のいずれか１項に記載の方法。
【請求項７５】
データ伝送方法であって、
第１のデバイスによって、継続時間情報を検出する段階と、
前記第１のデバイスによって、前記継続時間情報に従って、前記第２の時間リソースの終了時刻を決定する段階と、
を備える方法。
【請求項７６】
前記第２の時間リソースは、前記第１のサービングセルの開放期に含まれ、前記第１のサービングセルの前記開放期は、前記第１のサービングセルがアンライセンス周波数帯を占有する期間である、
請求項７５に記載の方法。
【請求項７７】
前記継続時間情報は、第１の長さについての情報を含み、前記第１の長さは、前記第２の時間リソースにおける最後のサブフレームの長さである、
請求項７５又は７６に記載の方法。
【請求項７８】
前記第１のデバイスによって、前記第１のサービングセルの少なくとも２つの継続時間情報を検出する段階
前記第１のデバイスによって、前記継続時間情報に従って、前記第２の時間リソースの終了時刻を決定する前記段階は、
前記第１のデバイスによって、検出された最後の前記継続時間情報に従って、前記第２の時間リソースの前記終了時刻を決定する段階
を含む、
請求項７５から７７のいずれか１項に記載の方法。
【請求項７９】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、
請求項７５から７７のいずれか１項に記載の方法。
【請求項８０】
前記継続時間情報は、前記第２の時間リソースにおける最後のサブフレームに保持される、
請求項７５から７７のいずれか１項に記載の方法。
【請求項８１】
前記継続時間情報は、物理層共通制御チャネルに保持される、
請求項７５から８０のいずれか１項に記載の方法。
【請求項８２】
データ伝送方法であって、
第２のデバイスによって、第２の時間リソースの終了時刻を決定する段階と、
前記第２のデバイスによって、継続時間情報を第１のデバイスに送信する段階であって、前記継続時間情報は、前記継続時間情報の開始時刻から前記第２の時間リソースの前記終了時刻までの時間長を示すために用いられる、段階と、
を備える方法。
【請求項８３】
前記第２の時間リソースは、前記第１のサービングセルの開放期に含まれ、前記第１のサービングセルの前記開放期は、前記第１のサービングセルがアンライセンス周波数帯を占有する期間である、
請求項８２に記載の方法。
【請求項８４】
前記継続時間情報は、第１の長さについての情報を含み、前記第１の長さは、前記第２の時間リソースにおける最後のサブフレームの長さである、
請求項８２又は８３に記載の方法。
【請求項８５】
前記第２のデバイスによって、前記第１のサービングセルの継続時間情報を前記第１のデバイスに送信する前記段階は、
前記第２のデバイスによって、前記第１のサービングセルの少なくとも２つの継続時間情報を前記第１のデバイスに送信する段階
を含む、
請求項８２から８４のいずれか１項に記載の方法。
【請求項８６】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、
請求項８２から８４のいずれか１項に記載の方法。
【請求項８７】
前記継続時間情報は、前記第２の時間リソースにおける最後のサブフレームに保持される、
請求項８２から８４のいずれか１項に記載の方法。
【請求項８８】
前記継続時間情報は、物理層共通制御チャネルに保持される、
請求項８２から８７のいずれか１項に記載の方法。
【請求項８９】
第１のデバイス及び第２のデバイスを備える無線通信システムであって、
前記第１のデバイスは、請求項１から１５のいずれか１項に記載の第１のデバイスであり、前記第２のデバイスは、請求項１６から３０のいずれか１項に記載の第２のデバイスである、
無線通信システム。
【請求項９０】
第１のデバイス及び第２のデバイスを備える無線通信システムであって、
前記第１のデバイスは、請求項３１から３７のいずれか１項に記載の第１のデバイスであり、前記第２のデバイスは、請求項３８から４４のいずれか１項に記載の第２のデバイスである、
無線通信システム。
【発明の詳細な説明】
【技術分野】
【０００１】
本発明は、通信分野に関し、具体的には、データ伝送方法、デバイス、及びシステムに関する。
【背景技術】
【０００２】
無線通信ネットワークにおいて、各デバイスは、周波数リソースを用いることによって情報を伝送する必要があり、周波数リソースは、周波数帯と称される。周波数帯は、ライセンス周波数帯とアンライセンス周波数帯とに分類されてよく、アンライセンス周波数帯は、ライセンス不要周波数帯と称される。ライセンス周波数帯は、いくつかの事業者専用周波数リソースであり、ライセンス不要周波数帯は、無線通信ネットワークにおける共通周波数リソースである。通信技術の発展に伴い、無線通信ネットワークにおいて伝送される情報の量はますます増加しており、ライセンス不要周波数帯を用いて情報を伝送することにより、無線通信ネットワークにおけるデータスループットを改善し、より十分にユーザの要件を満たすことができる。
【０００３】
しかしながら、デバイスがライセンス不要周波数帯を先行占有して情報を伝送する場合に、周波数帯を先行占有する時刻はランダムである、すなわち、ライセンス不要周波数帯を用いることによって、デバイスによって情報を送信する開始時刻は、ランダムである。従って、ライセンス不要周波数帯における情報送信の開始時刻が決定不可能なので、受信側は、データを正しく受信することができない。
【発明の概要】
【０００４】
本発明の実施形態は、データ伝送方法、デバイス、及びシステムを提供し、これにより、ライセンス不要周波数帯における情報送信の開始時刻が決定不可能なので、受信側がデータを正しく受信することができないという従来技術の問題を解決する。
【０００５】
前述の目的を実現するために、以下の技術的解決手段が、本発明の実施形態において用いられる。
【０００６】
第１の態様によれば、本発明の実施形態は、第１のデバイスを提供する。デバイスは、
第１の時間リソースにおける第１のサブフレームの予め設定された期間、又は第１の時間リソースにおけるサブフレームの第１の時間セットにおいて、第１のサービングセルの第１の情報を検出するように構成される第１の検出ユニットであって、第１の時間セットは、サブフレームにおける第１の情報の予め規定された開始位置のセットであり、第１の時間セットは、少なくとも２つの要素を含む、第１の検出ユニットと、
第１の検出ユニットによって検出された第１の情報に従って、第２の時間リソースの開始位置を決定するように構成される管理ユニットと、
第２の時間リソースにおけるサブフレームの第２の時間セットにおいて、第１のサービングセルの第２の情報を検出するように構成される第２の検出ユニットであって、第２の時間セットは、サブフレームにおける第２の情報の予め規定された開始位置のセットであり、第１の時間セット及び第２の時間セットは、少なくとも１つの異なる要素を含む、検出ユニットと、
を含む。
【０００７】
第１の態様に関連して、第１の態様の第１の可能な実装方式において、
第１の時間リソースは、第１のサービングセルの閉鎖期を含み、第１のサービングセルの閉鎖期は、第１のサービングセルがアンライセンス周波数帯を先行占有しない期間であり、
第２の時間リソースは、第１のサービングセルの開放期に含まれ、第１のサービングセルの開放期は、第１のサービングセルがアンライセンス周波数帯を占有する期間である。
【０００８】
第１の態様又は第１の態様の第１の可能な実装方式に関連して、第１の態様の第２の可能な実装方式において、
第１の検出ユニットは、第１の情報の後で受信された第３の情報を検出し、検出された第３の情報に従って、第１の情報の開始位置を決定し、第１の時間リソースにおける第１のサブフレームの予め設定された期間、又は第１の時間リソースにおけるサブフレームの第１の時間セットにおいて、第１の情報の開始位置に従って、受信された第１の情報を検出するようにさらに構成される。
【０００９】
第１の態様、又は第１の態様の第１から第２の可能な実装方式のいずれか１つに関連して、第１の態様の第３の可能な実装方式において、
各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。
【００１０】
第１の態様の第３の可能な実装方式におけるいずれかの実装方式に関連して、第１の態様の第４の可能な実装方式において、
フレーム周期は、フレームベース機器ＦＢＥフレーム構造における固定フレーム周期ＦＦＰであり、
第１のサブフレームは、Ｉ  ｍｏｄ  Ｆ＝ｏｆｆｓｅｔの式を満たし、Ｉは、第１のサブフレームのサブフレームインデックスであり、Ｆは、固定フレーム周期ＦＦＰの長さであり、ｏｆｆｓｅｔは、偏移量である。
【００１１】
第１の態様、又は第１の態様の第１から第２の可能な実装方式のいずれか１つに関連して、第１の態様の第５の可能な実装方式において、
各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【００１２】
第１の態様、又は第１の態様の第１から第５の可能な実装方式のいずれか１つに関連して、第１の態様の第６の可能な実装方式において、
第１の時間セットは、サブフレームにおいて、少なくとも１つの直交周波数分割多重ＯＦＤＭシンボルの開始時刻を含む、又は、
第１の時間セットは、サブフレームにおいて、少なくとも１／ＴのＯＦＤＭシンボルの開始時刻を含み、Ｔは、０より大きい整数である。
【００１３】
第１の態様、又は第１の態様の第１から第６の可能な実装方式のいずれか１つに関連して、第１の態様の第７の可能な実装方式において、
第１の時間セットは、サブフレームにおいて、第（ｋ＋ｘ）のＯＦＤＭシンボルの開始位置を含み、
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【００１４】
第１の態様、又は第１の態様の第１から第７の可能な実装方式のいずれか１つに関連して、第１の態様の第８の可能な実装方式において、
第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【００１５】
第１の態様、又は第１の態様の第１から第８の可能な実装方式のいずれか１つに関連して、第１の態様の第９の可能な実装方式において、
第１のデバイスは、継続時間情報を検出するように構成される第３の検出ユニットをさらに含み、
管理ユニットは、第３の検出ユニットによって検出された継続時間情報に従って、第２の時間リソースの終了時刻を決定するようにさらに構成される。
【００１６】
第１の態様の第９の可能な実装方式に関連して、第１の態様の第１０の可能な実装方式において、
継続時間情報は、第１の長さについての情報を含み、第１の長さは、第２の時間リソースにおける最後のサブフレームの長さである。
【００１７】
第１の態様の第９の可能な実装方式又は第１の態様の第１０の可能な実装方式に関連して、第１の態様の第１１の可能な実装方式において、
第１のデバイスは、第１のサービングセルの少なくとも２つの継続時間情報を検出し、
管理ユニットは、検出された最後の継続時間情報に従って、第２の時間リソースの終了時刻を決定するようにさらに構成される。
【００１８】
第１の態様の第９の可能な実装方式又は第１の態様の第１０の可能な実装方式に関連して、第１の態様の第１２の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００１９】
第１の態様の第９の可能な実装方式又は第１の態様の第１０の可能な実装方式に関連して、第１の態様の第１３の可能な実装方式において、
継続時間情報は、第２の時間リソースにおける最後のサブフレームに保持される。
【００２０】
第１の態様の第９の可能な実装方式から第１の態様の第１３の可能な実装方式のいずれかの実装方式に関連して、第１の態様の第１４の可能な実装方式において、
継続時間情報は、物理層共通制御チャネルに保持される。
【００２１】
第２の態様によれば、本発明の実施形態は、第２のデバイスを提供する。デバイスは、
第１の時間リソースにおける第１のサブフレームの予め設定された期間、又は第１の時間リソースにおけるサブフレームの第１の時間セットにおいて、第１のサービングセルの第１の情報を送信する開始位置を決定するように構成される管理ユニットであって、第１の時間セットは、サブフレームにおける第１の情報の予め規定された開始位置のセットであり、第１の時間セットは、少なくとも２つの要素を含む、管理ユニットと、
第１の情報を第１のデバイスに送信するように構成される送信ユニットと、
を含み、
管理ユニットは、第１の情報に従って、第２の時間リソースの開始位置を決定し、第２の時間リソースにおけるサブフレームの第２の時間セットにおいて、第１のサービングセルの第２の情報を送信する開始位置を決定するようにさらに構成され、第２の時間セットは、サブフレームにおける第２の情報の予め規定された開始位置のセットであり、第１の時間セット及び第２の時間セットは、少なくとも１つの異なる要素を含み、
送信ユニットは、第２の情報を第１のデバイスに送信するようにさらに構成される。
【００２２】
第２の態様に関連して、第２の態様の第１の可能な実装方式において、
第１の時間リソースは、第１のサービングセルの閉鎖期を含み、第１のサービングセルの閉鎖期は、第１のサービングセルがアンライセンス周波数帯を先行占有しない期間であり、
第２の時間リソースは、第１のサービングセルの開放期に含まれ、第１のサービングセルの開放期は、第１のサービングセルがアンライセンス周波数帯を占有する期間である。
【００２３】
第２の態様又は第２の態様の第１の可能な実装方式に関連して、第２の態様の第２の可能な実装方式において、
送信ユニットは、第３の情報を第１のデバイスに送信するようにさらに構成され、第３の情報は、第１の情報の開始位置を示すために用いられる。
【００２４】
第２の態様、又は第２の態様の第１から第２の可能な実装方式のいずれか１つに関連して、第２の態様の第３の可能な実装方式において、
各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。
【００２５】
第２の態様の第３の可能な実装方式におけるいずれかの実装方式に関連して、第２の態様の第４の可能な実装方式において、
フレーム周期は、フレームベース機器ＦＢＥフレーム構造における固定フレーム周期ＦＦＰであり、
第１のサブフレームは、Ｉ  ｍｏｄ  Ｆ＝ｏｆｆｓｅｔの式を満たし、Ｉは、第１のサブフレームのサブフレームインデックスであり、Ｆは、固定フレーム周期ＦＦＰの長さであり、ｏｆｆｓｅｔは、偏移量である。
【００２６】
第２の態様、又は第２の態様の第１から第２の可能な実装方式のいずれか１つに関連して、第２の態様の第５の可能な実装方式において、
各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【００２７】
第２の態様、又は第２の態様の第１から第５の可能な実装方式のいずれか１つに関連して、第２の態様の第６の可能な実装方式において、
第１の時間セットは、サブフレームにおいて、少なくとも１つの直交周波数分割多重ＯＦＤＭシンボルの開始時刻を含む、又は、
第１の時間セットは、サブフレームにおいて、少なくとも１／ＴのＯＦＤＭシンボルの開始時刻を含み、Ｔは、０より大きい整数である。
【００２８】
第２の態様、又は第２の態様の第１から第６の可能な実装方式のいずれか１つに関連して、第２の態様の第７の可能な実装方式において、
第１の時間セットは、サブフレームにおいて、第（ｋ＋ｘ）のＯＦＤＭシンボルの開始位置を含み、
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【００２９】
第２の態様、又は第２の態様の第１から第７の可能な実装方式のいずれか１つに関連して、第２の態様の第８の可能な実装方式において、
第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【００３０】
第２の態様、又は第２の態様の第１から第８の可能な実装方式のいずれか１つに関連して、第２の態様の第９の可能な実装方式において、
管理ユニットは、第２の時間リソースの終了時刻を決定するようにさらに構成され、
送信ユニットは、継続時間情報を第１のデバイスに送信するようにさらに構成され、継続時間情報は、継続時間情報の開始時刻から第２の時間リソースの終了時刻までの時間長を示すために用いられる。
【００３１】
第２の態様の第９の可能な実装方式に関連して、第２の態様の第１０の可能な実装方式において、
継続時間情報は、第１の長さについての情報を含み、第１の長さは、第２の時間リソースにおける最後のサブフレームの長さである。
【００３２】
第２の態様の第９の可能な実装方式又は第２の態様の第１０の可能な実装方式に関連して、第２の態様の第１１の可能な実装方式において、
送信ユニットは、第１のサービングセルの少なくとも２つの継続時間情報を第１のデバイスに送信するようにさらに構成される。
【００３３】
第２の態様の第９の可能な実装方式又は第２の態様の第１０の可能な実装方式に関連して、第２の態様の第１２の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００３４】
第２の態様の第９の可能な実装方式又は第２の態様の第１０の可能な実装方式に関連して、第２の態様の第１３の可能な実装方式において、
継続時間情報は、第２の時間リソースにおける最後のサブフレームに保持される。
【００３５】
第２の態様の第９の可能な実装方式から第２の態様の第１３の可能な実装方式のいずれかの実装方式に関連して、第２の態様の第１４の可能な実装方式において、
継続時間情報は、物理層共通制御チャネルに保持される。
【００３６】
第３の態様によれば、本発明の実施形態は、第１のデバイスを提供する。デバイスは、
継続時間情報を検出するように構成される検出ユニットと、
検出ユニットによって検出された継続時間情報に従って、第２の時間リソースの終了時刻を決定するように構成される管理ユニットと、
を含む。
【００３７】
第３の態様に関連して、第３の態様の第１の可能な実装方式において、
第２の時間リソースは、第１のサービングセルの開放期に含まれ、第１のサービングセルの開放期は、第１のサービングセルがアンライセンス周波数帯を占有する期間である。
【００３８】
第３の態様又は第３の態様の第１の可能な実装方式に関連して、第３の態様の第２の可能な実装方式において、
継続時間情報は、第１の長さについての情報を含み、第１の長さは、第２の時間リソースにおける最後のサブフレームの長さである。
【００３９】
第３の態様、又は第３の態様の第１から第２の可能な実装方式のいずれか１つに関連して、第３の態様の第３の可能な実装方式において、
第１のデバイスは、第１のサービングセルの少なくとも２つの継続時間情報を検出し、
管理ユニットは、検出された最後の継続時間情報に従って、第２の時間リソースの終了時刻を決定するようにさらに構成される。
【００４０】
第３の態様、又は第３の態様の第１から第２の可能な実装方式のいずれか１つに関連して、第３の態様の第４の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００４１】
第３の態様、又は第３の態様の第１から第２の可能な実装方式のいずれか１つに関連して、第３の態様の第５の可能な実装方式において、
継続時間情報は、第２の時間リソースにおける最後のサブフレームに保持される。
【００４２】
第３の態様、又は第３の態様の第１から第５の可能な実装方式のいずれか１つに関連して、第３の態様の第６の可能な実装方式において、
継続時間情報は、物理層共通制御チャネルに保持される。
【００４３】
第４の態様によれば、本発明の実施形態は、第２のデバイスを提供する。デバイスは、
第２の時間リソースの終了時刻を決定するように構成される管理ユニットと、
継続時間情報を第１のデバイスに送信するように構成される送信ユニットであって、継続時間情報は、継続時間情報の開始時刻から第２の時間リソースの終了時刻までの時間長を示すために用いられる、送信ユニットと、
を含む。
【００４４】
第４の態様に関連して、第４の態様の第１の可能な実装方式において、
第２の時間リソースは、第１のサービングセルの開放期に含まれ、第１のサービングセルの開放期は、第１のサービングセルがアンライセンス周波数帯を占有する期間である。
【００４５】
第４の態様又は第４の態様の第１の可能な実装方式に関連して、第４の態様の第２の可能な実装方式において、
継続時間情報は、第１の長さについての情報を含み、第１の長さは、第２の時間リソースにおける最後のサブフレームの長さである。
【００４６】
第４の態様、又は第４の態様の第１から第２の可能な実装方式のいずれか１つに関連して、第４の態様の第３の可能な実装方式において、
送信ユニットは、第１のサービングセルの少なくとも２つの継続時間情報を第１のデバイスに送信するようにさらに構成される。
【００４７】
第４の態様、又は第４の態様の第１から第２の可能な実装方式のいずれか１つに関連して、第４の態様の第４の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００４８】
第４の態様、又は第４の態様の第１から第２の可能な実装方式のいずれか１つに関連して、第４の態様の第５の可能な実装方式において、
継続時間情報は、第２の時間リソースにおける最後のサブフレームに保持される。
【００４９】
第４の態様、又は第４の態様の第１から第５の可能な実装方式のいずれか１つに関連して、第４の態様の第６の可能な実装方式において、
継続時間情報は、物理層共通制御チャネルに保持される。
【００５０】
第５の態様によれば、本発明の実施形態は、データ伝送方法を提供する。方法は、
第１のデバイスによって、第１の時間リソースにおける第１のサブフレームの予め設定された期間、又は第１の時間リソースにおけるサブフレームの第１の時間セットにおいて、第１のサービングセルの第１の情報を検出する段階であって、第１の時間セットは、サブフレームにおける第１の情報の予め規定された開始位置のセットであり、第１の時間セットは、少なくとも２つの要素を含む、段階と、
第１のデバイスによって、第１の情報に従って、第２の時間リソースの開始位置を決定する段階と、
第１のデバイスによって、第２の時間リソースにおけるサブフレームの第２の時間セットにおいて、第１のサービングセルの第２の情報を検出する段階であって、第２の時間セットは、サブフレームにおける第２の情報の予め規定された開始位置のセットであり、第１の時間セット及び第２の時間セットは、少なくとも１つの異なる要素を含む、段階と、
を含む。
【００５１】
第５の態様に関連して、第５の態様の第１の可能な実装方式において、
第１の時間リソースは、第１のサービングセルの閉鎖期を含み、第１のサービングセルの閉鎖期は、第１のサービングセルがアンライセンス周波数帯を先行占有しない期間であり、
第２の時間リソースは、第１のサービングセルの開放期に含まれ、第１のサービングセルの開放期は、第１のサービングセルがアンライセンス周波数帯を占有する期間である。
【００５２】
第５の態様又は第５の態様の第１の可能な実装方式に関連して、第５の態様の第２の可能な実装方式において、
第１のデバイスによって、第１の時間リソースにおける第１のサブフレームの予め設定された期間、又は第１の時間リソースにおけるサブフレームの第１の時間セットにおいて、第１のサービングセルの第１の情報を検出する段階は、
第１のデバイスによって、第３の情報を検出し、検出された第３の情報に従って、第１の情報の開始位置を決定する段階であって、第３の情報は、第１の情報の後で受信される、段階と、
第１のデバイスによって、第１の時間リソースにおける第１のサブフレームの予め設定された期間、又は第１の時間リソースにおけるサブフレームの第１の時間セットにおいて、第１の情報の開始位置に従って、受信された第１の情報を検出する段階と、
を含む。
【００５３】
第５の態様、又は第５の態様の第１から第２の可能な実装方式のいずれか１つに関連して、第５の態様の第３の可能な実装方式において、
各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。
【００５４】
第５の態様の第３の可能な実装方式におけるいずれかの実装方式に関連して、第５の態様の第４の可能な実装方式において、
フレーム周期は、フレームベース機器ＦＢＥフレーム構造における固定フレーム周期ＦＦＰであり、
第１のサブフレームは、Ｉ  ｍｏｄ  Ｆ＝ｏｆｆｓｅｔの式を満たし、Ｉは、第１のサブフレームのサブフレームインデックスであり、Ｆは、固定フレーム周期ＦＦＰの長さであり、ｏｆｆｓｅｔは、偏移量である。
【００５５】
第５の態様、又は第５の態様の第１から第２の可能な実装方式のいずれか１つに関連して、第５の態様の第５の可能な実装方式において、
各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【００５６】
第５の態様、又は第５の態様の第１から第５の可能な実装方式のいずれか１つに関連して、第５の態様の第６の可能な実装方式において、
第１の時間セットは、サブフレームにおいて、少なくとも１つの直交周波数分割多重ＯＦＤＭシンボルの開始時刻を含む、又は、
第１の時間セットは、サブフレームにおいて、少なくとも１／ＴのＯＦＤＭシンボルの開始時刻を含み、Ｔは、０より大きい整数である。
【００５７】
第５の態様、又は第５の態様の第１から第６の可能な実装方式のいずれか１つに関連して、第５の態様の第７の可能な実装方式において、
第１の時間セットは、サブフレームにおいて、第（ｋ＋ｘ）のＯＦＤＭシンボルの開始位置を含み、
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【００５８】
第５の態様、又は第５の態様の第１から第７の可能な実装方式のいずれか１つに関連して、第５の態様の第８の可能な実装方式において、
第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【００５９】
第５の態様、又は第５の態様の第１から第８の可能な実装方式のいずれか１つに関連して、第５の態様の第９の可能な実装方式において、方法は、
第１のデバイスによって、継続時間情報を検出する段階と、
第１のデバイスによって、継続時間情報に従って、第２の時間リソースの終了時刻を決定する段階と、
をさらに含む。
【００６０】
第５の態様の第９の可能な実装方式に関連して、第５の態様の第１０の可能な実装方式において、
継続時間情報は、第１の長さについての情報を含み、第１の長さは、第２の時間リソースにおける最後のサブフレームの長さである。
【００６１】
第５の態様の第９の可能な実装方式又は第５の態様の第１０の可能な実装方式に関連して、第５の態様の第１１の可能な実装方式において、方法は、
第１のデバイスによって、第１のサービングセルの少なくとも２つの継続時間情報を検出する段階
をさらに含み、
第１のデバイスによって、継続時間情報に従って、第２の時間リソースの終了時刻を決定する段階は、
第１のデバイスによって、検出された最後の継続時間情報に従って、第２の時間リソースの終了時刻を決定する段階
を含む。
【００６２】
第５の態様の第９の可能な実装方式又は第５の態様の第１０の可能な実装方式に関連して、第５の態様の第１２の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００６３】
第５の態様の第９の可能な実装方式又は第５の態様の第１０の可能な実装方式に関連して、第５の態様の第１３の可能な実装方式において、
継続時間情報は、第２の時間リソースにおける最後のサブフレームに保持される。
【００６４】
第５の態様の第９の可能な実装方式から第５の態様の第１３の可能な実装方式のいずれかの実装方式に関連して、第５の態様の第１４の可能な実装方式において、
継続時間情報は、物理層共通制御チャネルに保持される。
【００６５】
第６の態様によれば、本発明の実施形態は、データ伝送方法を提供する。方法は、
第２のデバイスによって、第１の時間リソースにおける第１のサブフレームの予め設定された期間、又は第１の時間リソースにおけるサブフレームの第１の時間セットにおいて、第１のサービングセルの第１の情報を送信する開始位置を決定し、第１の情報を第１のデバイスに送信する段階であって、第１の時間セットは、サブフレームにおける第１の情報の予め規定された開始位置のセットであり、第１の時間セットは、少なくとも２つの要素を含む、段階と、
第２のデバイスによって、第１の情報に従って、第２の時間リソースの開始位置を決定する段階と、
第２のデバイスによって、第２の時間リソースにおけるサブフレームの第２の時間セットにおいて、第１のサービングセルの第２の情報を送信する開始位置を決定し、第２の情報を第１のデバイスに送信する段階であって、第２の時間セットは、サブフレームにおける第２の情報の予め規定された開始位置のセットであり、第１の時間セット及び第２の時間セットは、少なくとも１つの異なる要素を含む、段階と、
を含む。
【００６６】
第６の態様に関連して、第６の態様の第１の可能な実装方式において、
第１の時間リソースは、第１のサービングセルの閉鎖期を含み、第１のサービングセルの閉鎖期は、第１のサービングセルがアンライセンス周波数帯を先行占有しない期間であり、
第２の時間リソースは、第１のサービングセルの開放期に含まれ、第１のサービングセルの開放期は、第１のサービングセルがアンライセンス周波数帯を占有する期間である。
【００６７】
第６の態様又は第６の態様の第１の可能な実装方式に関連して、第６の態様の第２の可能な実装方式において、
第２のデバイスによって、第１のサービングセルの第１の情報を第１のデバイスに送信する段階の後で、方法は、
第２のデバイスによって、第３の情報を第１のデバイスに送信する段階であって、第３の情報は、第１の情報の開始位置を示すために用いられる、段階
をさらに含む。
【００６８】
第６の態様、又は第６の態様の第１から第２の可能な実装方式のいずれか１つに関連して、第６の態様の第３の可能な実装方式において、
各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。
【００６９】
第６の態様の第３の可能な実装方式におけるいずれかの実装方式に関連して、第６の態様の第４の可能な実装方式において、
フレーム周期は、フレームベース機器ＦＢＥフレーム構造における固定フレーム周期ＦＦＰであり、
第１のサブフレームは、Ｉ  ｍｏｄ  Ｆ＝ｏｆｆｓｅｔの式を満たし、Ｉは、第１のサブフレームのサブフレームインデックスであり、Ｆは、固定フレーム周期ＦＦＰの長さであり、ｏｆｆｓｅｔは、偏移量である。
【００７０】
第６の態様、又は第６の態様の第１から第２の可能な実装方式のいずれか１つに関連して、第６の態様の第５の可能な実装方式において、
各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【００７１】
第６の態様、又は第６の態様の第１から第５の可能な実装方式のいずれか１つに関連して、第６の態様の第６の可能な実装方式において、
第１の時間セットは、サブフレームにおいて、少なくとも１つの直交周波数分割多重ＯＦＤＭシンボルの開始時刻を含む、又は、
第１の時間セットは、サブフレームにおいて、少なくとも１／ＴのＯＦＤＭシンボルの開始時刻を含み、Ｔは、０より大きい整数である。
【００７２】
第６の態様、又は第６の態様の第１から第６の可能な実装方式のいずれか１つに関連して、第６の態様の第７の可能な実装方式において、
第１の時間セットは、サブフレームにおいて、第（ｋ＋ｘ）のＯＦＤＭシンボルの開始位置を含み、
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【００７３】
第６の態様、又は第６の態様の第１から第７の可能な実装方式のいずれか１つに関連して、第６の態様の第８の可能な実装方式において、
第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【００７４】
第６の態様、又は第６の態様の第１から第８の可能な実装方式のいずれか１つに関連して、第６の態様の第９の可能な実装方式において、方法は、
第２のデバイスによって、第２の時間リソースの終了時刻を決定する段階と、
第２のデバイスによって、継続時間情報を第１のデバイスに送信する段階であって、継続時間情報は、継続時間情報の開始時刻から第２の時間リソースの終了時刻までの時間長を示すために用いられる、段階と、
をさらに含む。
【００７５】
第６の態様の第９の可能な実装方式に関連して、第６の態様の第１０の可能な実装方式において、
継続時間情報は、第１の長さについての情報を含み、第１の長さは、第２の時間リソースにおける最後のサブフレームの長さである。
【００７６】
第６の態様の第９の可能な実装方式又は第６の態様第１０の可能な実装方式に関連して、第６の態様の第１１の可能な実装方式において、
第２のデバイスによって、第１のサービングセルの継続時間情報を第１のデバイスに送信する段階は、
第２のデバイスによって、第１のサービングセルの少なくとも２つの継続時間情報を第１のデバイスに送信する段階
を含む。
【００７７】
第６の態様の第９の可能な実装方式又は第６の態様の第１０の可能な実装方式に関連して、第６の態様の第１２の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００７８】
第６の態様の第９の可能な実装方式又は第６の態様の第１０の可能な実装方式に関連して、第６の態様の第１３の可能な実装方式において、
継続時間情報は、第２の時間リソースにおける最後のサブフレームに保持される。
【００７９】
第６の態様の第９の可能な実装方式から第６の態様の第１３の可能な実装方式のいずれかの実装方式に関連して、第６の態様の第１４の可能な実装方式において、
継続時間情報は、物理層共通制御チャネルに保持される。
【００８０】
第７の態様によれば、本発明の実施形態は、データ伝送方法を提供する。方法は、
第１のデバイスによって、継続時間情報を検出する段階と、
第１のデバイスによって、継続時間情報に従って、第２の時間リソースの終了時刻を決定する段階と、
を含む。
【００８１】
第７の態様に関連して、第７の態様の第１の可能な実装方式において、
第２の時間リソースは、第１のサービングセルの開放期に含まれ、第１のサービングセルの開放期は、第１のサービングセルがアンライセンス周波数帯を占有する期間である。
【００８２】
第７の態様又は第７の態様の第１の可能な実装方式に関連して、第７の態様の第２の可能な実装方式において、
継続時間情報は、第１の長さについての情報を含み、第１の長さは、第２の時間リソースにおける最後のサブフレームの長さである。
【００８３】
第７の態様、又は第７の態様の第１から第２の可能な実装方式のいずれか１つに関連して、第７の態様の第３の可能な実装方式において、方法は、
第１のデバイスによって、第１のサービングセルの少なくとも２つの継続時間情報を検出する段階
をさらに含み、
第１のデバイスによって、継続時間情報に従って、第２の時間リソースの終了時刻を決定する段階は、
第１のデバイスによって、検出された最後の継続時間情報に従って、第２の時間リソースの終了時刻を決定する段階
を含む。
【００８４】
第７の態様、又は第７の態様の第１から第２の可能な実装方式のいずれか１つに関連して、第７の態様の第４の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００８５】
第７の態様、又は第７の態様の第１から第２の可能な実装方式のいずれか１つに関連して、第７の態様の第５の可能な実装方式において、
継続時間情報は、第２の時間リソースにおける最後のサブフレームに保持される。
【００８６】
第７の態様、又は第７の態様の第１から第５の可能な実装方式のいずれか１つに関連して、第７の態様の第６の可能な実装方式において、
継続時間情報は、物理層共通制御チャネルに保持される。
【００８７】
第８の態様によれば、本発明の実施形態は、データ伝送方法を提供する。方法は、
第２のデバイスによって、第２の時間リソースの終了時刻を決定する段階と、
第２のデバイスによって、継続時間情報を第１のデバイスに送信する段階であって、継続時間情報は、継続時間情報の開始時刻から第２の時間リソースの終了時刻までの時間長を示すために用いられる、段階と、
を含む。
【００８８】
第８の態様に関連して、第８の態様の第１の可能な実装方式において、
第２の時間リソースは、第１のサービングセルの開放期に含まれ、第１のサービングセルの開放期は、第１のサービングセルがアンライセンス周波数帯を占有する期間である。
【００８９】
第８の態様又は第８の態様の第１の可能な実装方式に関連して、第８の態様の第２の可能な実装方式において、
継続時間情報は、第１の長さについての情報を含み、第１の長さは、第２の時間リソースにおける最後のサブフレームの長さである。
【００９０】
第８の態様、又は第８の態様の第１から第２の可能な実装方式のいずれか１つに関連して、第８の態様の第３の可能な実装方式において、
第２のデバイスによって、第１のサービングセルの継続時間情報を第１のデバイスに送信する段階は、
第２のデバイスによって、第１のサービングセルの少なくとも２つの継続時間情報を第１のデバイスに送信する段階
を含む。
【００９１】
第８の態様、又は第８の態様の第１から第２の可能な実装方式のいずれか１つに関連して、第８の態様の第４の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００９２】
第８の態様、又は第８の態様の第１から第２の可能な実装方式のいずれか１つに関連して、第８の態様の第５の可能な実装方式において、
継続時間情報は、第２の時間リソースにおける最後のサブフレームに保持される。
【００９３】
第８の態様、又は第８の態様の第１から第５の可能な実装方式のいずれか１つに関連して、第８の態様の第６の可能な実装方式において、
継続時間情報は、物理層共通制御チャネルに保持される。
【００９４】
第９の態様によれば、本発明の実施形態は、第１のデバイス及び第２のデバイスを含む無線通信システムを提供し、
第１のデバイスは、第１の態様又は第１の態様のいずれかの可能な実装方式における第１のデバイスであり、第２のデバイスは、第２の態様又は第２の態様のいずれかの可能な実装方式における第２のデバイスである。
【００９５】
第１０の態様によれば、本発明の実施形態は、第１のデバイス及び第２のデバイスを含む無線通信システムを提供し、
第１のデバイスは、第３の態様又は第３の態様のいずれかの可能な実装方式における第１のデバイスであり、第２のデバイスは、第４の態様又は第４の態様のいずれかの可能な実装方式における第２のデバイスである。
【００９６】
本発明の実施形態において提供されるデータ伝送方法、デバイス、及びシステムによれば、第１のデバイスは、第１の時間リソースにおける第１のサブフレームの予め設定された期間、又は第１の時間リソースにおけるサブフレームの第１の時間セットにおいて、第１のサービングセルの第１の情報を検出し、第１の情報に従って、第２の時間リソースの開始位置を決定し、第２の時間リソースにおけるサブフレームの第２の時間セットにおいて、第１のサービングセルの第２の情報を検出する。これにより、ライセンス不要周波数帯における情報送信の開始時刻が決定不可能なので、受信側がデータを正しく受信することができないという従来技術の問題が解決される。
【図面の簡単な説明】
【００９７】
本発明の実施形態又は従来技術における技術的解決手段をより明確に説明すべく、以下、実施形態の説明に必要な添付図面を簡潔に説明する。以下の説明における添付図面は、本発明のいくつかの実施形態を示しているに過ぎず、当業者であれば、創造的努力なく、これらの添付図面から他の図面をさらに導出し得ることは明らかである。
【００９８】
【図１】本発明の実施形態に係るデータ伝送方法の模式的フローチャートである。
【００９９】
【図２】本発明の実施形態に係る送信された第１の情報のリソースマッピングの模式図である。
【０１００】
【図３】本発明の実施形態に係る送信された第１の情報のリソースマッピングの他の模式図である。
【０１０１】
【図４】本発明の実施形態に係る第１の情報のフレーム構造の模式図である。
【０１０２】
【図５】本発明の他の実施形態に係るデータ伝送方法の模式的フローチャートである。
【０１０３】
【図６】本発明の実施形態に係る他のデータ伝送方法の模式的フローチャートである。
【０１０４】
【図７】本発明の他の実施形態に係る他のデータ伝送方法の模式的フローチャートである。
【０１０５】
【図８】本発明の実施形態に係る第１のデバイスの模式的構造図である。
【０１０６】
【図９】本発明の実施形態に係る第２のデバイスの模式的構造図である。
【０１０７】
【図１０】本発明の他の実施形態に係る第１のデバイスの模式的構造図である。
【０１０８】
【図１１】本発明の他の実施形態に係る第２のデバイスの模式的構造図である。
【０１０９】
【図１２】本発明の実施形態に係る他の第１のデバイスの模式的構造図である。
【０１１０】
【図１３】本発明の実施形態に係る他の第２のデバイスの模式的構造図である。
【０１１１】
【図１４】本発明の他の実施形態に係る他の第１のデバイスの模式的構造図である。
【０１１２】
【図１５】本発明の他の実施形態に係る他の第２のデバイスの模式的構造図である。
【０１１３】
【図１６】本発明の実施形態に係る無線通信システムの模式的構造図である。
【０１１４】
【図１７】本発明の実施形態に係る他の無線通信システムの模式的構造図である。
【発明を実施するための形態】
【０１１５】
以下、本発明の実施形態における添付図面に関連して、本発明の実施形態における技術的解決手段を明確かつ十分に説明する。説明される実施形態は、本発明の実施形態の一部に過ぎず、全てではないことは明らかである。本発明の実施形態に基づいて、当業者によって創造的努力なく取得された全ての他の実施形態は、本発明の保護範囲に属するものとする。
【０１１６】
本発明の実施形態における技術的解決手段は、様々な通信システム、例えば、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、ジェネラルパケットラジオサービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、又はワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭａｘ）通信システムに適用され得ることを理解されたい。具体的には、技術的解決手段は、ライセンス周波数帯リソース補助アクセスのＬＴＥシステム、すなわち、ライセンス補助アクセスＬＴＥシステム（Ｌｉｃｅｎｓｅｄ−Ａｓｓｉｓｔｅｄ  Ａｃｃｅｓｓ，  ＬＴＥ）システムにおいて用いられる。ＬＡＡ−ＬＴＥシステムは、ライセンス周波数帯リソース及びライセンス不要周波数帯リソースがキャリアアグリゲーション（Ｃａｒｒｉｅｒ  Ａｇｇｒｅｇａｔｉｏｎ、ＣＡ）方式又は非ＣＡ方式において共に用いられるＬＴＥシステムを指す。
【０１１７】
例えば、主な適用シナリオにおいて、ライセンス周波数帯リソース及びライセンス不要周波数帯リソースは、ＣＡ方式で用いられる、すなわち、ライセンス周波数帯リソース、又はライセンス周波数帯リソースに含まれるキャリア、又はライセンス周波数帯リソースにおいて動作するセルが、プライマリサービングセルとして用いられ、ライセンス不要周波数帯リソース、又はライセンス不要周波数帯リソースに含まれるキャリア、又はライセンス不要周波数帯リソースにおいて動作するセルが、セカンダリサービングセルとして用いられる。さらに、プライマリサービングセル及びセカンダリサービングセルは、同じ基地局に対して配置され、又は、異なる基地局に対して配置される。プライマリサービングセルとセカンダリサービングセルとの間に、理想のバックホール経路が存在する。
【０１１８】
本発明の実施形態は、ＣＡ方式のシナリオにおいて用いられることに限定されるものではなく、他のシナリオにおいて用いられてよい。例えば、ライセンス不要周波数帯リソースにおいて個別に配置されたサービングセルに関して、サービングセルは、個別のアクセスを提供する機能を有し、この場合、ライセンス周波数帯リソースにおいて動作するサービングセルによる補助は、必要とされない。他の例では、２つのサービングセル（例えば、プライマリサービングセル及びセカンダリサービングセル）の間に理想のバックホール経路が存在しないというシナリオにおいて、バックホール遅延が比較的長いので、情報が２つのサービングセルの間で迅速に調整されることができない。
【０１１９】
本発明の実施形態において、ライセンス周波数帯リソース及びライセンス不要周波数帯リソースの両方は、１つ又は複数のキャリアを含んでよく、キャリアアグリゲーションがライセンス周波数帯リソース及びライセンス不要周波数帯リソースにおいて実行される場合、キャリアアグリゲーションは、ライセンス周波数帯リソースに含まれる１つ又は複数のキャリア、及びライセンス不要周波数帯リソースに含まれる１つ又は複数のキャリアにおいて実行される。
【０１２０】
本発明の実施形態において、第１のデバイス又は第２のデバイスは、限定されるものではないが、ユーザ機器（英語での正式名称：Ｕｓｅｒ  Ｅｑｕｉｐｍｅｎｔ、英語での頭字語：ＵＥ）、移動局（英語での正式名称：Ｍｏｂｉｌｅ  Ｓｔａｔｉｏｎ、英語での頭字語：ＭＳ）、モバイル端末（Ｍｏｂｉｌｅ  Ｔｅｒｍｉｎａｌ）、携帯電話（Ｍｏｂｉｌｅ  Ｔｅｌｅｐｈｏｎｅ）、ハンドセット（ｈａｎｄｓｅｔ）、ポータブル機器（ｐｏｒｔａｂｌｅ  ｅｑｕｉｐｍｅｎｔ）等を含むことを理解されたい。ユーザ機器は、無線アクセスネットワーク（英語での正式名称：Ｒａｄｉｏ  Ａｃｃｅｓｓ  Ｎｅｔｗｏｒｋ、英語での頭字語：ＲＡＮ）を用いることによって、１つ又は複数のコアネットワークと通信を行ってよい。例えば、ユーザ機器は、携帯電話（又は「セルラ」フォンと称される）、又は無線通信機能を有するコンピュータであってよく、又は、ユーザ機器は、ポータブル、ポケットサイズ、ハンドヘルドのビルトインコンピュータ、又は車載型の移動体装置であってよい。ユーザ機器は、中継（Ｒｅｌａｙ）デバイスであってよく、本発明において限定は課されないことに留意されたい。
【０１２１】
本発明の実施形態において、第１のデバイスは、ユーザ機器であってよく、第２のデバイスは、ＧＳＭ（登録商標）もしくはＣＤＭＡにおけるベーストランシーバ基地局（英語での正式名称：Ｂａｓｅ  Ｔｒａｎｓｃｅｉｖｅｒ  Ｓｔａｔｉｏｎ、英語での頭字語：ＢＴＳ）、ＷＣＤＭＡ（登録商標）におけるＮｏｄｅＢ（ＮｏｄｅＢ）、又はＬＴＥにおける進化型ＮｏｄｅＢ（英語での正式名称：ｅｖｏｌｖｅｄ  ＮｏｄｅＢ、英語での頭字語：ｅＮＢもしくはｅ−ＮｏｄｅＢ）であってよいが、これは、本発明の実施形態において限定されるものではない。
【０１２２】
本発明の実施形態において記録されるセルは、基地局に対応するセルであってよい。セルは、マクロ基地局に属してよく、又は、スモールセル（英語：Ｓｍａｌｌ  Ｃｅｌｌ）に対応する基地局のようなマイクロ基地局に属してよい。本明細書におけるスモールセルは、メトロセル（英語：Ｍｅｔｒｏ  Ｃｅｌｌ）、マイクロセル（英語：Ｍｉｃｏ  Ｃｅｌｌ）、ピコセル（英語：Ｐｉｃｏ  Ｃｅｌｌ）、フェムトセル（英語：Ｆｅｍｔｏ  Ｃｅｌｌ）等をさらに含んでよい。これらのスモールセルは、小さいカバレッジ及び低伝送電力を有し、高速データ伝送サービスの提供に適用可能である。
【０１２３】
本発明の実施形態において、キャリア及びセルの概念は、ＬＴＥシステムにおいて等しい。例えば、ＵＥのキャリアへのアクセスは、ＵＥのセルへのアクセスに等しく、セルの概念は、本発明において、説明のために用いられる。
【０１２４】
本発明の実施形態において、「第１」及び「第２」は、区別のために用いられているに過ぎず、本発明の実施形態における限定と解されるものではないことを理解されたい。
【０１２５】
本発明の実施形態は、データ伝送方法を提供する。図１を参照すると、データ伝送方法は、以下の段階を含む。
【０１２６】
１０１．第１のデバイスは、第１の時間リソースにおける第１のサブフレームの予め設定された期間、又は第１の時間リソースにおけるサブフレームの第１の時間セットにおいて、第１のサービングセルの第１の情報を検出する。
【０１２７】
第１の時間セットは、サブフレームにおける第１の情報の予め規定された開始位置のセットであり、第１の時間セットは、少なくとも２つの要素を含み、第１の情報は、第２の時間リソースの開始位置を示すために用いられる。本明細書において、サブフレームにおける第１の情報の予め規定された開始位置は、サブフレームにおける第１の情報の可能な開始位置であるが、これは、予め規定するオペレーションが存在することを意味するものではないことに留意されたい。さらに、第１のデバイスが、第１の時間リソースにおける第１のサブフレームの予め設定された期間、又は第１の時間リソースにおけるサブフレームの第１の時間セットにおいて、第１のサービングセルの第１の情報を検出することは、第１のデバイスが、第１のサブフレームの予め設定された期間全体又は第１の時間セット全体において、第１の情報を検出することを意味するものではなく、第１の情報の開始位置が、第１のサブフレームの予め設定された期間又はサブフレームの第１の時間セットに位置することを意味するに過ぎない。
【０１２８】
任意選択的に、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。好ましくは、本実施形態において提供されるデータ伝送方法は、第１のサービングセルを閉鎖期から開放期へと切り替える時刻を決定するために用いられてよい。
【０１２９】
好ましくは、第１のサービングセルは、ライセンス不要周波数帯におけるセルである。第１の情報は、参照信号、ＰＤＳＣＨ（Ｐｈｙｓｉｃａｌ  Ｄｏｗｎｌｉｎｋ  Ｓｈａｒｅｄ  Ｃｈａｎｎｅｌ、物理ダウンリンク共有チャネル）、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）、又はＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、拡張物理ダウンリンク制御チャネル）に保持されてよい。さらに、任意選択的に、参照信号は、限定されるものではないが、プライマリ同期信号（Ｐｒｉｍａｒｙ  Ｓｙｎｃｈｒｏｎｉｚａｔｉｏｎ  Ｓｉｇｎａｌ、ＰＳＳ）、セカンダリ同期信号（Ｓｅｃｏｎｄａｒｙ  Ｓｙｎｃｈｒｏｎｉｚａｔｉｏｎ  Ｓｉｇｎａｌ、ＳＳＳ）、セル固有参照信号（Ｃｅｌｌ−ｓｐｅｃｉｆｉｃ  Ｒｅｆｅｒｅｎｃｅ  Ｓｉｇｎａｌ、ＣＲＳ）、拡張物理ダウンリンク共有チャネル（Ｅｎｈａｎｃｅｄ  Ｐｈｙｓｉｃａｌ  Ｄｏｗｎｌｉｎｋ  Ｓｈａｒｅｄ  Ｃｈａｎｎｅｌ、ＥＰＤＳＣＨ）のデータ復調に用いられるＵＥ固有参照信号（ＵＥ−ｓｐｅｃｉｆｉｃ  Ｒｅｆｅｒｅｎｃｅ  Ｓｉｇｎａｌ）、拡張物理ダウンリンク制御チャネルＥＰＤＣＣＨの復調に用いられる復調参照信号（Ｄｅｍｏｄｕｌａｔｉｏｎ  Ｒｅｆｅｒｅｎｃｅ  Ｓｉｇｎａｌ、ＤＭ−ＲＳ）、測位参照信号（Ｐｏｓｉｔｉｏｎｉｎｇ  Ｒｅｆｅｒｅｎｃｅ  Ｓｉｇｎａｌ、ＰＲＳ）、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）、及び発見参照信号（Ｄｉｓｃｏｖｅｒｙ  Ｒｅｆｅｒｅｎｃｅ  Ｓｉｇｎａｌ、ＤＲＳ）を含む。
【０１３０】
第１のデバイスが第１のサービングセルの第１の情報を検出し、第１の情報が第２の時間リソースの開始位置を示すために用いられる方式において、第１のデバイスは、第１のサービングセルの第１の情報の存在を検出し、第１のサービングセル又は第１のサービングセルが属する基地局がアンライセンス周波数帯を先行占有するか否かを決定する。第１の情報が検出された場合に、これは、第１のサービングセル又は第１のサービングセルが属する基地局が、アンライセンス周波数帯を先行占有することを示す。この場合、第１のサービングセルは、第２の時間リソースの開始位置を決定してよく、第２の時間リソースは、第１のサービングセルがアンライセンス周波数帯を占有する期間に含まれる。この場合、第１の情報が参照信号に保持される場合に、参照信号は、第１の情報を含んでよい。例えば、第１の情報が、第１のサービングセルのセルアイデンティティを保持する参照信号によって表される場合に、第１のデバイスは、参照信号の存在を検出し、第１の情報が存在するか否かを決定してよい。参照信号が検出された場合、これは、第１のデバイスが、ライセンス不要周波数帯リソースを先行占有することを示してよい。さらに、第１のデバイスは、第２の時間リソースの開始位置を決定してよい。他の態様において、第１の情報がＰＤＣＣＨ又はＥＰＤＣＣＨのような制御チャネルに保持される場合、制御チャネルに保持されるダウンリンク制御情報（Ｄｏｗｎｌｉｎｋ  Ｃｏｎｔｒｏｌ  Ｉｎｆｏｒｍａｔｉｏｎ、ＤＣＩ）は、第１の情報を含んでよい。第１のデバイスは、ＤＣＩの存在を検出し、第１のサービングセルがアンライセンス周波数帯を先行占有するか否かを決定する。さらに、第１の情報を保持する制御チャネルは、第１の情報を保持してよいが、他の情報を保持せず、第１の情報又は第１の情報を保持する制御チャネルがマッピングされる周波数リソースの周波数リソース位置は、予め規定される。例えば、第１の情報を保持する制御チャネルは、時間において、１つだけのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）シンボルを占有し、周波数リソースにおける固定リソース要素（Ｒｅｓｏｕｒｃｅ  Ｅｌｅｍｅｎｔ、ＲＥ）にマッピングされてよく、これにより、第１のデバイスによる検出の複雑さを単純化する。
【０１３１】
第１のデバイスが第１のサービングセルの第１の情報を検出し、第１の情報が第２の時間リソースの開始位置を示すために用いられる他の方式において、第１の情報は、第２の時間リソースの開始位置の識別子を保持する。第１のデバイスは、第１のサービングセルの第１の情報を検出し、第１の情報によって示されるコンテンツを決定し、第２の時間リソースの開始位置を直接決定する。第２の時間リソースは、第１のサービングセルがアンライセンス周波数帯を占有する期間に含まれる。この場合、第１の情報が参照信号に保持される場合に、第２の時間リソースの異なる開始位置は、異なる参照信号を形成することによって示されてよい。異なる参照信号は、参照信号を形成する異なるシーケンス、周波数リソースにおける、参照信号によって占有される異なる周波数リソース、又は時間における、参照信号の異なる時間リソースの少なくとも１つを含んでよい。参照信号がＰＳＳである例において、ＰＳＳを形成するシーケンスは、４つの異なる形式をとってよく、従って、第２の時間リソースの４つの異なる開始位置が表されてよい。第１の情報が制御チャネルに保持される場合に、例えば、第１の情報は、制御チャネルに保持されるＤＣＩであり、ＤＣＩによって示される異なるコンテンツが、第２の時間リソースの異なる開始位置を決定するために用いられてよい。
【０１３２】
具体的には、任意選択的に、第１の適用シナリオにおいて、ＬＢＥ（Ｌｏａｄ  Ｂａｓｅｄ  Ｅｑｕｉｐｍｅｎｔ、負荷ベース機器）の例では、第１のデバイスは、第１の時間リソースにおけるサブフレームの第１の時間セットにおいて、第１のサービングセルの第１の情報を検出する。勿論、本明細書における説明は例示に過ぎず、本発明は、これに限定されるものではない。
【０１３３】
任意選択的に、第１の時間セットは、サブフレームにおいて、少なくとも１つのＯＦＤＭシンボルの開始時刻を含む、又は、第１の時間セットは、サブフレームにおいて、少なくとも１／ＴのＯＦＤＭシンボルの開始時刻を含み、Ｔは、０より大きい整数である。本発明の本実施形態において、サブフレームにおける第１の情報の予め規定された開始位置が説明される場合に、ＯＦＤＭシンボルの開始時刻は、ＯＦＤＭシンボルのインデックスと１対１の対応であり、さらに、ＯＦＤＭシンボルと１対１の対応であってよいことに留意されたい。例えば、ＯＦＤＭシンボルが標準サイクリックプリフィクスを用いる場合に、サブフレームにおいて、第１のＯＦＤＭシンボルの開始時刻は、第１のＯＦＤＭシンボル又はシンボルインデックスが０のＯＦＤＭシンボルとして理解されてよく、第２のＯＦＤＭシンボルの開始時刻は、第２のＯＦＤＭシンボル又はシンボルインデックスが１であるＯＦＤＭシンボルとして理解されてよく、…、第１４のＯＦＤＭシンボルの開始時刻は、第１４のＯＦＤＭシンボル又はシンボルインデックスが１３のＯＦＤＭシンボルとして理解されてよい。ＯＦＤＭシンボルが拡張サイクリックプリフィクスを用いる場合、説明は同様であり、詳細は本明細書において説明されない。同様に、１／ＴのＯＦＤＭシンボルの開始時刻は、１／ＴのＯＦＤＭシンボルと１対１の対応、又は１／ＴのＯＦＤＭシンボルのインデックスと１対１の対応であってよい。
【０１３４】
好ましくは、第１の時間セットは、サブフレームにおいて、第（ｋ＋ｘ）のＯＦＤＭシンボルの開始位置を含み、ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０１３５】
例えば、ＬＴＥシステムにおける時分割複信（Ｔｉｍｅ  Ｄｉｖｉｓｉｏｎ  Ｄｕｐｌｅｘｉｎｇ、ＴＤＤ）システムにおいて、ダウンリンクパイロットタイムスロット（Ｄｏｗｎｌｉｎｋ  Ｐｉｌｏｔ  Ｔｉｍｅ−Ｓｌｏｔ、ＤｗＰＴＳ）が、未完了サブフレームのデータ伝送をサポートしてよい。ＯＦＤＭシンボルが標準サイクリックプリフィクス（Ｎｏｒｍａｌ  Ｃｙｃｌｉｃ  Ｐｒｅｆｉｘ、ＮＣＰ）を用いる場合、ＤｗＰＴＳに含まれるＯＦＤＭシンボルの数は、３、６、９、１０、１１、又は１２であってよい。第１の情報を含むサブフレームにおいて、サブフレームのいくつかのＯＦＤＭシンボルが伝送されるので、この場合、対応するｋの値は、１２、９、６、５、４、又は３であってよい。図２に示されるように、ＤｗＰＴＳに含まれるＯＦＤＭシンボルの数が１２の場合、ｋの値は、３であってよい。ＯＦＤＭシンボルが拡張サイクリックプリフィクス（Ｅｘｔｅｎｄｅｄ  Ｃｙｃｌｉｃ  Ｐｒｅｆｉｘ、ＥＣＰ）を用いる場合、ＤｗＰＴＳに含まれるＯＦＤＭシンボルの数は、３、５、８、９、又は１０であってよく、この場合、対応するｋの値は、１０、８、５、４、又は３であってよい。このように、既存のＴＤＤシステムにおけるＤｗＰＴＳの構造が用いられ、レートマッチングを実装し、ＵＥ側における処理の複雑さ及びｅＮＢによる処理の複雑さを減少させる。
【０１３６】
本明細書において、ＤｗＰＴＳに含まれるＯＦＤＭシンボルは、図２又は図３に示される２つの方式で、ＰＲＢ（Ｐｈｙｓｉｃａｌ  Ｒｅｓｏｕｒｃｅ  Ｂｌｏｃｋ、物理リソースブロック）にマッピングされてよいことに留意されたい。図２において、ＤｗＰＴＳに含まれるＯＦＤＭシンボルの数は１２であり、第１の情報の開始位置は、ＤｗＰＴＳの開始境界として用いられ、最後の２つのＯＦＤＭシンボルは、破棄される。あるいは、図３に示される例によれば、第３のＯＦＤＭシンボルの開始時刻は、第１の情報の送信開始時刻として用いられてよく、最初の２つのＯＦＤＭシンボルは、破棄される。本発明は、どのようにＯＦＤＭシンボルをマッピングするかについては限定を課さない。
【０１３７】
さらに、ｘのＯＦＤＭシンボルに対応するプリアンブル信号又は初期信号（ｉｎｉｔｉａｌ  ｓｉｇｎａｌｓ）（本発明の本実施形態において、参照信号は、プリアンブル信号又は初期信号として理解されてよい）は、第１の情報に含まれてよい。プリアンブル信号又は初期信号の機能は、第１のサービングセルとＵＥとの間における粗同期の実装、第１のサービングセルとＵＥとの間における密同期の実装、第１のサービングセルが属する基地局の事業者情報の保持、第１のサービングセルのセル特定情報の保持、自動利得制御（Ａｕｔｏ  Ｇａｉｎ  Ｃｏｎｔｒｏｌ、ＡＧＣ）、プリアンブルシーケンスの検出による、第１のサービングセルがライセンス不要周波数帯リソースを先行占有したとの決定、プリアンブル信号の利用によるチャネル状態情報（Ｃｈａｎｎｅｌ  Ｓｔａｔｅ  Ｉｎｆｏｒｍａｔｉｏｎ、ＣＳＩ）測定の実装等を含んでよい。プリアンブルシーケンスのシーケンス形式は、限定されるものではないが、一定振幅ゼロ自己相関（英語：Ｃｏｎｓｔａｎｔ  Ａｍｐｌｉｔｕｄｅ  Ｚｅｒｏ  Ａｕｔｏ−Ｃｏｒｒｅｌａｔｉｏｎ、頭字語：ＣＡＺＡＣ）シーケンス、２進シーケンス、ｍシーケンス、疑似ランダムシーケンス、ＬＴＥシステムにおいて参照信号を形成するシーケンス、又はＺＣ（Ｚａｄｏｆｆ−Ｃｈｕ）シーケンスというシーケンス形式を含んでよい。あるいは、プリアンブルシーケンスは、既存のＬＴＥシステムにおいて、参照信号から直接取得されてよく、又は、既存のＬＴＥシステムにおいて、参照信号を適切に変更することによって取得されてよい。既存のＬＴＥシステムにおける参照信号は前述の内容に示され、詳細は本明細書において説明されない。例えば、ライセンス不要周波数帯リソースの利用は、帯域幅によって制限され、送信は、時間的に連続して実行される必要があるので、既存のＬＴＥシステムにおける参照信号のマッピングは、適切に変更されてよい。本発明の本実施形態において、第１の情報を送信する位置は、少数のＯＦＤＭシンボルの境界であってよいことに留意されたい。第１の情報を送信する位置が少数のＯＦＤＭシンボルの境界である場合に、ＵＥは、少数のＯＦＤＭシンボルに保持される第１の情報を検出してよく、又は検出しなくてよい。従って、ＵＥの観点から、サブフレームにおける第１の情報の予め設定された位置は、ＯＦＤＭシンボルの境界からなおも開始してよい。
【０１３８】
あるいは、任意選択的に、第２の適用シナリオにおいて、ＦＢＥ（Ｆｒａｍｅ  Ｂａｓｅｄ  Ｅｑｕｉｐｍｅｎｔ、フレームベース機器）の例では、第１のデバイスは、第１の時間リソースにおける第１のサブフレームの予め設定された期間において、第１のサービングセルの第１の情報を検出する。勿論、本明細書における説明は例示に過ぎず、本発明は、これに限定されるものではない。
【０１３９】
具体的には、任意選択的に、第１のサブフレームは、各フレーム周期における１番目のサブフレームであり、予め設定された期間は、第１のサブフレームにおいて、少なくとも１つのＯＦＤＭシンボルを含み、フレーム周期は、少なくとも２つのサブフレームを含む。以下、説明のために、２つの具体的なフレーム構造を列挙する。勿論、本明細書における説明は例示に過ぎず、本発明は、これに限定されるものではない。図４を参照する。
【０１４０】
図４を参照すると、第１のフレーム構造において、フレーム周期は、ＦＢＥフレーム構造におけるＦＦＰ（Ｆｉｘｅｄ  Ｆｒａｍｅ  Ｐｅｒｉｏｄ、固定フレーム周期）である。第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。サブフレームインデックスＩは、無線フレームインデックス及びタイムスロットインデックスを用いることによって決定されてよく、サブフレームインデックスＩは、Ｉ＝１０＊ｎｆ＋ｎｓの式に従って決定されてよい。ここで、ｎｆは、無線フレームインデックスを表し、ｎｆの値は、ＬＴＥシステムにおいて、０から１０２３の任意の整数であり、ｎｓは、タイムスロットインデックス番号を表し、ｎｓの値は、ＬＴＥシステムにおいて、０から１９の任意の整数である。ＦＦＰの長さＦ及び偏移量偏移量は、予め構成されてよく、規格によって規定されてよく、又は、シグナリングを用いることによって、第１のデバイスに報知されてよい。シグナリングは、物理層シグナリング、無線リソース制御（Ｒａｄｉｏ  Ｒｅｓｏｕｒｃｅ  Ｃｏｎｔｒｏｌ、ＲＲＣ）シグナリング等であってよい。例えば、Ｆ＝１０かつｏｆｆｓｅｔ＝５の場合、サブフレームインデックスが＃５、＃１５、…のサブフレームが、式を用いることによって、第１のサブフレームとして決定されてよい。
【０１４１】
図４の第１のフレーム構造において、例えば、フレーム周期は、３つのサブフレームを含み、アイドル周期は、３つのサブフレームの最後のサブフレームに位置する。第１のデバイスは、各フレーム周期における１番目のサブフレームの予め設定された期間において、第１の情報を検出してよく、サブフレームインデックスが式を満たすサブフレームは、第１のサブフレームである。これにより、第１のサブフレームが、式を用いることによって決定されることができる。第１のフレーム構造に関して、１番目のサブフレームの予め設定された期間は、１番目のサブフレームに含まれるＯＦＤＭシンボルの境界であってよい、又は、ＯＦＤＭシンボルとして理解されてよい。例えば、第１の情報は、ダウンリンク制御情報（Ｄｏｗｎｌｉｎｋ  Ｃｏｎｔｒｏｌ  Ｉｎｆｏｒｍａｔｉｏｎ、ＤＣＩ）に含まれてよく、ＰＤＣＣＨ又はＥＰＤＣＣＨを用いることによって保持される。第１の情報がＰＤＣＣＨを用いることによって保持される場合に、１番目のサブフレームの予め設定された期間は、１番目のサブフレームにおいて、第１の情報を保持するＰＤＣＣＨを送信する開始時間位置から、ＰＤＣＣＨを送信する終了時間位置までの任意の時刻を含んでよい。例えば、第１の情報を保持するＰＤＣＣＨが１つのＯＦＤＭシンボルのみによって占有され、占有されたＯＦＤＭシンボルが、１番目のサブフレームにおける第１のＯＦＤＭシンボルである場合に、１番目のサブフレームの予め設定された期間は、１番目のサブフレームにおける第１のＯＦＤＭシンボルを含む。第１の情報を保持するＰＤＣＣＨがＭのＯＦＤＭシンボルを占有する場合に、１番目のサブフレームの予め設定された期間は、１番目のサブフレームにおける第１のＯＦＤＭシンボルから第ＭのＯＦＤＭシンボルまでの、任意の１つ又は複数のＯＦＤＭシンボルを含む、又は、１番目のサブフレームの予め設定された期間は、１番目のサブフレームにおける第１のＯＦＤＭシンボルであってよい（この場合、第１のデバイスは、第１の情報の存在を検出開始する、又は、第１の情報のコンテンツを、１番目のサブフレームにおける第１のＯＦＤＭシンボルから検出開始する）。
【０１４２】
第２のフレーム構造において、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。サブフレームインデックスは、前述の内容に示され、詳細は本明細書において説明されない。前述の式におけるＸ及びｏｆｆｓｅｔは、予め構成されてよく、規格によって規定されてよく、又は、シグナリングを用いることによって、ＵＥに報知されてよい。シグナリングは物理層シグナリング、又はＲＲＣシグナリングであってよい。図４に示されるように、第２のフレーム構造において、サブフレーム長の時間リソース及びアイドル周期が、小周期として用いられ、１つのアイドル周期は、１つのＯＦＤＭシンボルを占有してよい。図４において、例えば、フレーム周期は、１５のサブフレームを含み、各小周期の長さは、サブフレーム長（１ｍｓ）及びアイドル周期の長さの合計である。各サブフレームにおける、第１の情報の開始位置が位置するＯＦＤＭシンボルは、式を用いることによって、ｍを算出することによって決定されてよい。すなわち、各サブフレームにおける、第１のデバイスが第１の情報を検出開始するＯＦＤＭシンボルが、決定されてよい。本発明の本実施形態において、第１の情報の予め規定された開始位置は、第１の情報の潜在的な開始位置又は可能な開始位置を含んでよいことに留意されたい。例えば、第２のフレーム構造に関して、前述の式に従って、Ｘ＝１５かつｏｆｆｓｅｔ＝０と仮定すると、サブフレームインデックスが＃０のサブフレームは、完全なサブフレームに対応し、ＵＥは、サブフレームの開始位置、すなわち、シンボルインデックスが０のＯＦＤＭシンボルから、第１の情報を検出開始してよい。サブフレーム＃１に対応する検出位置は、サブフレーム＃１に含まれる、シンボルインデックスが＃１のＯＦＤＭシンボルから開始し、…、サブフレーム＃１４に関しては、前述の式に従って算出されることにより、ｍ＝１４が取得される。しかしながら、標準サイクリックプリフィクスを用いるサブフレームに関しては、最大で１４のＯＦＤＭシンボルがサブフレームに含まれ、シンボルインデックスが１４のＯＦＤＭシンボルは存在しない。従って、サブフレーム＃１４に関しては、これは、このサブフレームにおいて、第１の情報を検出する必要がないことを示す。
【０１４３】
例えば、アイドル周期の長さが２つのＯＦＤＭシンボルである場合に、前述の式におけるＸは、８（１４／２＋１）に等しく、シンボルインデックスｍの値は、０、２、４、…、又は１４であり、ｍ＝１４を満たす、サブフレームインデックスがＩである第１のサブフレームは、予め設定された期間を含まない。すなわち、第１のサブフレームにおいて第１の情報を検出する必要がない。
【０１４４】
概して、第２のフレーム構造に関しては、予め設定された期間における最初のＯＦＤＭシンボルのインデックスｍは、Ｉ  ｍｏｄ  Ｘ＝ｏｆｆｓｅｔ＋ｍの式を満たす。ここで、Ｉは、第１のサブフレームのサブフレームインデックスであり、Ｘは、サブフレーム周期の長さであり、Ｘ＝１４／ｋ＋１、ｍ＝ｋ＊ｊであり、ｊは、０からＸ−１の整数であり、ｋは、アイドル周期によって占有されるＯＦＤＭシンボルの数である。好ましくは、ｋの値は１又は２であり、ｏｆｆｓｅｔは、偏移量である。サブフレームがサイクリックプリフィクスを用いる場合、前述の式は、Ｘ＝１２／ｋ＋１であってよい。式において、Ｘ、ｏｆｆｓｅｔ、及びｋの値は、事前構成、規格の規定、物理層シグナリング、又はＲＲＣシグナリングにより決定されてよいことに留意されたい。前述の式を用いることによって決定されたｍが、１つの完全なサブフレーム（１ミリ秒）に含まれるＯＦＤＭシンボルの最大インデックスより大きい場合（例えば、サブフレームが標準サイクリックプリフィクスを用いる場合、最大インデックスは１３であり、サブフレームが拡張サイクリックプリフィクスを用いる場合、最大インデックスは１２である）、対応する第１のサブフレームにおいて第１の情報を検出する必要がない。本発明の本実施形態において、ｍｏｄは、モジュロ演算を表す。
【０１４５】
異なるキャリアに関しては、異なる検知メカニズムが用いられてよく、又は、同じキャリアの異なる期間に関しては、異なる検知メカニズムが用いられてよい。異なる期間が、全て、同じキャリアの閉鎖期に位置してよい（これは、キャリアにおいてオペレーションを実行し得るサービングセルがキャリアのリソースを先行占有しない場合に対応する）、又は、全て、同じキャリアの開放期に位置してよい（これは、キャリアにおいてオペレーションを実行し得るサービングセルがキャリアのリソースを先行占有する場合に対応する）。第１のサービングセルの検知メカニズムは、フレームベース機器ＦＢＥの検知メカニズム又は負荷ベース機器ＬＢＥの検知メカニズムの少なくとも１つを含んでよい。複数のサービングセルが存在する場合、第１のサービングセルの検知メカニズムは、他のセルのものと異なってよく、又は、第１のサービングセルが複数のキャリアを含む場合、異なる検知メカニズムが、キャリアに用いられてよい。このように、基地局が、第１のデバイスに利用可能な全てのキャリアにおいてＬＢＥを用いる場合、第１のデバイスによる検出の複雑さは、第１のデバイスに利用可能な全てのキャリアの数に正比例する。他の態様において、基地局が第１のデバイスに利用可能な全てのキャリアにおいてＦＢＥを用い、ライセンス不要周波数帯リソースを先行占有する場合、第１のデバイスに利用可能な全てのキャリアにおいて、基地局によってライセンス不要周波数帯リソースを争う機能は、比較的低く、特に、ＷｉＦｉ（登録商標）（Ｗｉｒｅｌｅｓｓ  Ｆｉｄｅｌｉｔｙ、ワイヤレスフィディリティ）デバイスのような、そのキャリアにおいて動作する多数の他のＲＡＴ（Ｒａｄｉｏ  Ａｃｃｅｓｓ  Ｔｅｃｈｎｏｌｏｇｙ、無線アクセス技術）デバイスが存在する場合に、顕著である。従って、第１のデバイスは、各キャリアにおいて動作する他のＲＡＴデバイス（例えば、ＷｉＦｉ（登録商標）デバイス）の数、又は各キャリアの負荷レベルを検出し、異なる検知メカニズムが異なるキャリアに用いられると決定してよい。例えば、サービス負荷が重いキャリア、又は多数の他のＲＡＴデバイス（例えば、ＷｉＦｉ（登録商標））が動作するキャリアに対して、基地局は、キャリアにおいてＬＢＥを用い、先行占有の機会を拡大してよい。サービス負荷が軽いキャリア、又は少数の他のＲＡＴデバイス（例えば、ＷｉＦｉ（登録商標））が動作するキャリアに対して、基地局は、キャリアにおいてＦＢＥを用い、ＵＥによる検出の複雑さを軽減してよい。本明細書において、ＵＥに利用可能な全てのキャリアの数は、ＵＥによって同時にスケジューリング可能なキャリアの数より大きい。
【０１４６】
さらに、任意選択的に、ＬＢＥシナリオのような第１の適用シナリオ、又はＦＢＥシナリオのような第２の適用シナリオに関わらず、第１のデバイスは、最初にキャッシュし、次に検出することによって、第１の情報を検出してよい。
【０１４７】
具体的には第１のデバイスは、第３の情報を検出してよい。ここで、第３の情報は、第１の情報の開始位置を示すために用いられる。第１のデバイスは、検出された第３の情報に従って、第１の情報の開始位置を決定し、第３の情報は、第１の情報の後で受信される。第１のデバイスは、第１の時間リソースにおける第１のサブフレームの予め設定された期間、又は第１の時間リソースにおけるサブフレームの第１の時間セットにおいて、第１の情報の開始位置に従って、受信された第１の情報を検出する。
【０１４８】
すなわち、第１のデバイスは、最初に、第１の情報を受信した後で、第１の情報をバッファし、次に、第３の情報を受信した後で、第３の情報によって示される第１の情報の開始位置情報に従って、第１の情報を検出する。第３の情報は第１の情報の開始位置を示すので、第１のデバイスによるブラインド検出が回避され、第１のデバイスの電力消費が減少する。
【０１４９】
任意選択的に、第３の情報は、第１のサービングセル又は第２のサービングセルに保持されてよく、第２のサービングセルの周波数は、第１のサービングセルのものと異なる。好ましくは、第２のサービングセルは、ライセンス周波数帯におけるセルである。
【０１５０】
第３の情報は、ＰＤＣＣＨ又はＥＰＤＣＣＨに保持されてよい。第３の情報が第１の情報の開始位置を示すことは、第１のデバイスが第３の情報を検出した場合に、これは、第１のサービングセルの第１の情報が存在することを示し、第１のサービングセルがアンライセンス周波数帯のリソースを先行占有することを示し得ることを含んでよいことが理解されよう。この場合、第１の情報は、ＰＤＳＣＨに保持されてよい。本発明の本実施形態において、ＰＤＳＣＨの時間長は、サブフレームの長さに従って決定されてよく、ダウンリンクデータ伝送に用いられてよい。ここで、サブフレームは、第１の情報を含み、第１のサービングセルの開放期に位置する。
【０１５１】
第３の情報が第１の情報の開始位置を示すために用いられる場合に、第１の情報の予め規定された開始位置は、サブフレームにおける任意のＯＦＤＭシンボルであってよい、又は、サブフレームにおける１つ又は複数の規定されたＯＦＤＭシンボルであってよいことが理解されよう。この場合、予め規定するオペレーションは、実行されなくてよい。
【０１５２】
１０２．第１のデバイスは、第１の情報に従って、第２の時間リソースの開始位置を決定する。
【０１５３】
任意選択的に、第２の時間リソースの開始位置は、第１の情報の開始位置であってよい、又は、第２の時間リソースの開始位置は、第１の情報の開始位置に続く第ｎのデータ伝送単位の開始時刻であってよい。ここで、ｎは、正の整数であり、データ伝送単位は、１／ＴのＯＦＤＭシンボルであり、Ｔは、０より大きい整数である。好ましくは、データ伝送単位がサブフレームである場合、第２の時間リソースの開始位置は、第１の情報の開始位置に続く１番目のサブフレームの開始時刻であってよく、又は、第１の情報の開始時刻は、第２の時間リソースの開始位置として用いられてよい。
【０１５４】
任意選択的に、段階１０１に関連して、第２の時間リソースが第１のサービングセルの開放期である例において、第１のデバイスが第１の情報を検出した場合、これは、第１のサービングセルがライセンス不要周波数帯を先行占有したことを示し、第１のデバイスは、第１の情報に従って、第２の時間リソースの開始位置をさらに決定してよい。又は、第１のデバイスが第１の情報を検出しなかった場合、これは、第１のサービングセルがライセンス不要周波数帯を先行占有していないことを示し、第１のデバイスは、検出を実行し続ける必要がある。すなわち、第１のデバイスは、第１の情報の存在を検出し、第１のサービングセルがライセンス不要周波数帯リソースを先行占有したか否かを決定してよい。
【０１５５】
１０３．第１のデバイスは、第２の時間リソースにおけるサブフレームの第２の時間セットにおいて、第１のサービングセルの第２の情報を検出する。
【０１５６】
第２の時間セットは、サブフレームにおける第２の情報の予め規定された開始位置のセットであり、第１の時間セット及び第２の時間セットは、少なくとも１つの異なる要素を含む。
【０１５７】
任意選択的に、第２の情報は、参照信号、ＰＤＳＣＨ、ＰＤＣＣＨ、又はＥＰＤＣＣＨに保持されてよい。好ましくは、第２の情報は、制御チャネル（例えば、ＰＤＣＣＨ又はＥＰＤＣＣＨ）における制御情報に保持されてよい。これに対応して、第２の時間セットに含まれる要素は、サブフレームにおけるＰＤＣＣＨ又はＥＰＤＣＣＨの可能な開始位置であってよい。例えば、ＰＤＣＣＨの開始位置は、サブフレームにおける第１のＯＦＤＭシンボルであってよく、ＥＰＤＣＣＨの開始位置は、サブフレームにおける第２、第３、又は第４のＯＦＤＭシンボルであってよい。
【０１５８】
本発明の本実施形態によれば、具体的には、第１のサービングセルの閉鎖期において、第１のデバイスは、第１のサービングセルにおける特定のサブフレームの開始位置又は各サブフレームにおける各ＯＦＤＭシンボルにおいて、第１の情報を検出し、第１のサービングセルがライセンス不要周波数帯を先行占有し得るか否かを決定してよい。これにより、第１のサービングセルがデータ伝送をランダムに開始する可能な位置を有効に決定し、アンライセンス周波数帯のリソースを有効利用することができる。他の態様において、第１のサービングセルの開放期において、第１のデバイスは、各サブフレームの境界又は規定されたサブフレームにおけるＯＦＤＭシンボルの境界のみにおいて、制御チャネルを検出し、データが第１のデバイスに対してスケジューリングされたか否かを決定してよい。これにより、ＵＥによる検出の複雑さが軽減される。さらに、第１のサービングセルの閉鎖期において、第１のデバイスは、ＤＲＳのみを用いることによって、測定を実行してよい。しかしながら、第１のサービングセルの開放期において、第１のデバイスは、ＤＲＳに加えて、ＣＲＳ又はＣＳＩ−ＲＳのような他の参照信号を用いることによって、測定を実行してよく、測定は、ＲＲＭ測定、ＣＳＩ測定等を含む。
【０１５９】
本発明の本実施形態において提供されるデータ伝送方法によれば、第１のデバイスは、第１の時間リソースにおける第１のサブフレームの予め設定された期間、又は第１の時間リソースにおけるサブフレームの第１の時間セットにおいて、第１のサービングセルの第１の情報を検出し、第１の情報に従って、第２の時間リソースの開始位置を決定し、第２の時間リソースにおけるサブフレームの第２の時間セットにおいて、第１のサービングセルの第２の情報を検出する。これにより、ライセンス不要周波数帯における情報送信の開始時刻が決定不可能なので、受信側がデータを正しく受信することができないという従来技術の問題が解決される。
【０１６０】
図１に対応する前述の実施形態に基づいて、本発明の他の実施形態は、データ伝送方法を提供する。これは、図１に対応する前述の実施形態において説明されたデータ伝送方法における、送信側に対応する。図５を参照すると、データ伝送方法は、以下の段階を含む。
【０１６１】
５０１．第２のデバイスは、第１の時間リソースにおける第１のサブフレームの予め設定された期間、又は第１の時間リソースにおけるサブフレームの第１の時間セットにおいて、第１のサービングセルの第１の情報を送信する開始位置を決定し、第１の情報を第１のデバイスに送信する。
【０１６２】
第１の時間セットは、サブフレームにおける第１の情報の予め規定された開始位置のセットであり、第１の時間セットは、少なくとも２つの要素を含む。任意選択的に、第１の情報は、第２の時間リソースの開始位置を示すために用いられる。これにより、第１のデバイスは、第１の時間リソースにおける第１のサブフレームの予め設定された期間、又は第１の時間リソースにおけるサブフレームの第１の時間セットにおいて、第１の情報を検出する。
【０１６３】
任意選択的に、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。好ましくは、本実施形態において提供されるデータ伝送方法は、第１のサービングセルを閉鎖期から開放期へと切り替える時刻を決定するために用いられてよい。
【０１６４】
好ましくは、第１のサービングセルは、ライセンス不要周波数帯におけるセルである。第１の情報は、参照信号、ＰＤＳＣＨ、ＰＤＣＣＨ、又はＥＰＤＣＣＨに保持されてよい。さらに、任意選択的に、参照信号は、限定されるものではないが、プライマリ同期信号、セカンダリ同期信号、セル固有参照信号、拡張物理ダウンリンク共有チャネルのデータ復調に用いられるＵＥ固有参照信号、拡張物理ダウンリンク制御チャネルＥＰＤＣＣＨの復調に用いられる復調参照信号、測位参照信号、チャネル状態情報参照信号、及び発見参照信号を含む。
【０１６５】
具体的には、任意選択的に、第１の適用シナリオにおいて、ＬＢＥの例では、第１のデバイスは、第１の時間リソースにおけるサブフレームの第１の時間セットにおいて、第１のサービングセルの第１の情報を検出してよい。勿論、本明細書における説明は例示に過ぎず、本発明は、これに限定されるものではない。
【０１６６】
任意選択的に、第１の時間セットは、サブフレームにおいて、少なくとも１つのＯＦＤＭシンボルの開始時刻を含む、又は、
第１の時間セットは、サブフレームにおいて、少なくとも１／ＴのＯＦＤＭシンボルの開始時刻を含み、Ｔは、０より大きい整数である。
【０１６７】
好ましくは、第１の時間セットは、サブフレームにおいて、第（ｋ＋ｘ）のＯＦＤＭシンボルの開始位置を含み、ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０１６８】
あるいは、任意選択的に、第２の適用シナリオにおいて、ＦＢＥの例では、第１のデバイスは、第１の時間リソースにおける第１のサブフレームの第１の予め設定された期間において、第１のサービングセルの第１の情報を検出する。勿論、本明細書における説明は例示に過ぎず、本発明は、これに限定されるものではない。
【０１６９】
具体的には、任意選択的に、第１のサブフレームは、各フレーム周期における１番目のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。以下、説明のために、２つの具体的なフレーム構造を列挙する。勿論、本明細書における説明は例示に過ぎず、本発明は、これに限定されるものではない。
【０１７０】
第１のフレーム構造において、フレーム周期は、ＦＢＥフレーム構造におけるＦＦＰである。第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。
【０１７１】
第２のフレーム構造において、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【０１７２】
異なるキャリアに関しては、異なる検知メカニズムが用いられてよく、又は、同じキャリアの異なる期間に関しては、異なる検知メカニズムが用いられてよい。第１のサービングセルの検知メカニズムは、フレームベース機器ＦＢＥの検知メカニズム又は負荷ベース機器ＬＢＥの検知メカニズムの少なくとも１つを含んでよい。複数のサービングセルが存在する場合、第１のサービングセルの検知メカニズムは、他のセルのものと異なってよく、又は、第１のサービングセルが複数のキャリアを含む場合、異なる検知メカニズムが、キャリアに用いられてよい。
【０１７３】
さらに、任意選択的に、ＬＢＥシナリオのような第１の適用シナリオ又はＦＢＥシナリオのような第２の適用シナリオに関わらず、第１のサービングセルの第１の情報を第１のデバイスに送信した後で、第２のデバイスは、第３の情報を第１のデバイスにさらに送信してよい。ここで、第３の情報は、第１の情報の開始位置を示すために用いられる。このように、第１のデバイスは、最初に、第１の情報をバッファし、第３の情報を受信した後で、第１のデバイスは、第３の情報によって示される第１の情報の開始位置に従って、第１の情報を検出する。
【０１７４】
任意選択的に、第３の情報は、第１のサービングセル又は第２のサービングセルに保持されてよく、第２のサービングセルの周波数は、第１のサービングセルのものと異なる。好ましくは、第２のサービングセルは、ライセンス周波数帯におけるセルである。
【０１７５】
５０２．第２のデバイスは、第１の情報に従って、第２の時間リソースの開始位置を決定する。
【０１７６】
任意選択的に、第２の時間リソースの開始位置は、第１の情報の開始位置であってよい、又は、第２の時間リソースの開始位置は、第１の情報の開始位置に続く第ｎのデータ伝送単位の開始時刻であってよい。ここで、ｎは、正の整数であり、データ伝送単位は、１／ＴのＯＦＤＭシンボルであり、Ｔは、０より大きい整数である。好ましくは、データ伝送単位がサブフレームである場合、第２の時間リソースの開始位置は、第１の情報の開始位置に続く第１のサブフレームの開始時刻であってよく、又は、第１の情報の開始時刻は、第２の時間リソースの開始位置として用いられてよい。
【０１７７】
５０３．第２のデバイスは、第２の時間リソースにおけるサブフレームの第２の時間セットにおいて、第１のサービングセルの第２の情報を送信する開始位置を決定し、第２の情報を第１のデバイスに送信する。
【０１７８】
第２のデバイスは、第２の情報を第１のデバイスに送信する。これにより、第１のデバイスは、第２の時間リソースにおけるサブフレームの第２の時間セットにおいて、第１のサービングセルの第２の情報を検出する。ここで、第２の時間セットは、サブフレームにおける第２の情報の予め規定された開始位置のセットであり、第１の時間セット及び第２の時間セットは、少なくとも１つの異なる要素を含む。
【０１７９】
任意選択的に、第２の情報は、参照信号、ＰＤＳＣＨ、ＰＤＣＣＨ、又はＥＰＤＣＣＨに保持されてよい。好ましくは、第２の情報は、制御情報であってよい。
【０１８０】
本発明の本実施形態において提供されるデータ伝送方法によれば、第２のデバイスは、第１の時間リソースにおける第１のサブフレームの予め設定された期間、又は第１の時間リソースにおけるサブフレームの第１の時間セットにおいて、第１のサービングセルの第１の情報を送信する開始位置を決定し、第１の情報を第１のデバイスに送信し、第１の情報に従って、第２の時間リソースの開始位置を決定し、第２の時間リソースにおけるサブフレームの第２の時間セットにおいて、第１のサービングセルの第２の情報を送信する開始位置を決定し、第２の情報を第１のデバイスに送信する。これにより、第１のデバイスは、第１の情報を検出することによって、第２の時間リソースの開始位置を決定することができる。これにより、ライセンス不要周波数帯における情報送信の開始時刻が決定不可能なので、受信側がデータを正しく受信することができないという従来技術の問題が解決される。
【０１８１】
図１及び図５に対応する前述の実施形態に関連して、図１及び図５に対応する実施形態において説明されるデータ伝送方法は、第２の時間リソースの開始位置を決定するために用いられる。本発明の実施形態は、他のデータ伝送方法を提供する。これは、第２の時間リソースの終了位置を決定するために用いられる。本発明の本実施形態において提供されるデータ伝送方法は、図１に対応する実施形態において説明されるデータ伝送方法の後、すなわち、段階１０３の後で実行されてよい、又は、図１に対応する実施形態において説明されるデータ伝送方法と同時に実行されてよく、本発明において限定は課されない。図６を参照すると、データ伝送方法は、以下の段階を含む。
【０１８２】
６０１．第１のデバイスは、継続時間情報を検出する。
【０１８３】
継続時間情報は、継続時間情報の開始時刻から第２の時間リソースの終了時刻までの時間長を示すために用いられる。任意選択的に、継続時間情報は、第１の長さについての情報を含み、第１の長さは、第２の時間リソースにおける最後のサブフレームの長さである。継続時間情報は、第２のサブフレームにおける制御チャネルに保持されてよく、第２のサブフレームは、第２の時間リソースにおけるサブフレーム、又は第２のサービングセルにおいて、第２の時間リソースにおける最後のサブフレームに対応するサブフレームの少なくとも１つを含み、第２のサブフレームは、第２のサービングセルにおいて、第２の時間リソースにおけるサブフレームに対応するサブフレームをさらに含む。すなわち、継続時間情報は、第２のサービングセルに、クロスキャリアスケジューリング方式で保持されてよい、又は、第１のサービングセルに、セルフキャリアスケジューリング方式で保持されてよい。第２のサービングセルにおいて、第１のサービングセルに対応するサブフレームは、サブフレームインデックスが第１のサービングセルのものと同じサブフレーム、又は固定偏移量を含むサブフレームを含む。
【０１８４】
第２のサービングセルは、ライセンス周波数帯におけるセルであってよい。好ましくは、継続時間情報は、物理層共通制御チャネルに保持される。本明細書において、第２の時間リソースの開始時刻から第２の時間リソースの終了時刻までの時間長は、予め規定されてよい、又は静的に構成されてよいことに留意されたい。従って、継続時間情報が第２の時間リソースの開始位置のみを含んでよいとすると、継続時間情報は、第２の時間リソースの終了時刻を示してよい。時間長は、サブフレームの積算数を用いることによって示されてよい、ＯＦＤＭシンボルの積算数を用いることによって示されてよい、又は、Ｔｓの積算数を用いることによって示される。ここで、Ｔｓは、ＬＴＥシステムにおけるサンプリングレートの逆数である。
【０１８５】
３つの具体的な指示方式が、本実施形態において列挙される。勿論、継続時間情報が継続時間情報の開始時刻から第２の時間リソースの終了時刻までの時間長をどのように示すかを説明するために、本明細書において例が与えられているに過ぎず、これは、本発明がこれに限定されることを意味するものではない。
【０１８６】
方式１：ビットマップ形式が用いられる。例えば、ｍビット（ｂｉｔ）が、ｍの異なる時間長を表すために用いられてよく、異なる時間長は、各ビットを１又は０に設定することによって決定及び示される。時間長単位は、ミリ秒、サブフレーム、又はＯＦＤＭシンボル数のように、予め規定されてよい。時間長がサブフレームである例において、ｍビット「Ｘ１Ｘ２Ｘ３…Ｘｍ」は、左から右に向かって、Ｌ１サブフレーム、Ｌ２サブフレーム、Ｌ３サブフレーム、…、Ｌｍサブフレームをそれぞれ表すと仮定すると、ｍビットにおけるＸ３が１であり、他のビットが０の場合、これは、第１の情報の開始時刻から第２の時間リソースの終了時刻までの時間長がＬ３サブフレームであることを示してよい。
【０１８７】
方式２：２進エンコーディング形式が用いられる。例えば、Ｎビットで表される２進数が、異なる時間長を表すために用いられる。時間長単位は、ミリ秒、サブフレーム、又はＯＦＤＭシンボル数のように、予め規定されてよい。時間長がサブフレームであり、Ｎ＝２である例において、４つの時間長は、４つの２進数：００、０１、１０、及び１１を用いることによって表されてよく、４つの２進数は、それぞれ、４つの時間長：Ｙ１サブフレーム、Ｙ２サブフレーム、Ｙ３サブフレーム、及びＹ４サブフレームに対応する。
【０１８８】
方式３：スペシャルサブフレームに含まれるＤｗＰＴＳを示すための既存の方法が用いられ、第１の長さについての情報は、この方式で示されてよい。時間情報は、スペシャルサブフレームの構成インデックスを含んでよく、第２の時間リソースにおける最後のサブフレームの長さは、構成インデックスと第１の長さとの間における１対１の対応を用いることによって決定されてよい。表１に示されるように、表１は、構成インデックスと第１の長さとの間における対応を示す。
【表１】
2018516480.tif 000003
【０１８９】
好ましくは、第２の時間リソースは、第１のサービングセルの開放期に含まれ、第１のサービングセルの開放期は、第１のサービングセルがアンライセンス周波数帯を占有する期間である。図１に対応する実施形態に関連して、図１に対応する実施形態において説明されるデータ伝送方法は、第１のサービングセルを閉鎖期から開放期に切り替える時刻を決定するために用いられてよく、本実施形態において提供されるデータ伝送方法は、第１のサービングセルを開放期から閉鎖期に切り替える時刻を決定するために用いられてよい。
【０１９０】
６０２．第１のデバイスは、継続時間情報に従って、第２の時間リソースの終了時刻を決定する。
【０１９１】
任意選択的に、第１のデバイスは、第１のサービングセルの少なくとも２つの継続時間情報を検出し、第１のデバイスは、検出された最後の継続時間情報に従って、第２の時間リソースの終了時刻を決定する。例えば、第１のサービングセルの開放期において、継続時間情報は、各サブフレームに含まれる制御チャネルに保持されてよく、継続時間情報の開始時刻を送信する時間長から第２の時間リソースの終了時刻までを示すために用いられる。継続時間情報は、第２の時間リソースの同じ開始時刻又は異なる開始時刻を示してよい。
【０１９２】
あるいは、任意選択的に、継続時間情報は、第２の時間リソースにおける最後のサブフレームに保持され、第１のデバイスは、一度だけ検出を実行する必要がある。この場合、第１のデバイスが継続時間情報を検出する前に、第１のサービングセルは開放期にあり、第１のデバイスは、第１のサービングセルの各サブフレームにおいて制御チャネルをさらに検出し、データが第１のデバイスに対してスケジューリングされたか否かを決定する、又は第１のサービングセルにおいて測定を実行するとみなされてよい。第１のデバイスが継続時間情報を検出した後で、第１のサービングセルは、継続時間情報によって示される時刻の後でライセンス不要周波数帯を解放し、第１のデバイスは、第１のサービングセルにおけるデータスケジューリング情報の検出を停止するとみなされてよい。
【０１９３】
継続時間情報が検出された後で、新たなデータパケットが受信されてよい。結果的に、第２の時間リソースが拡張される、すなわち、第２の時間リソースの終了時刻が遅延される。従って、第２の時間リソースの終了時刻は、検出された最後の継続時間情報に従って決定される、又は、継続時間情報は、第２の時間リソースにおける最後のサブフレームに保持される。これにより、第２の時間リソースの終了時刻の決定の正確さが保証される。
【０１９４】
第１のサービングセルによるデータ送信の準備とデータ送信の実行との間には遅延が存在するので、第２の時間リソースの終了時刻を１回通知するための方法は、リアルタイム性能を有しておらず、ライセンス不要周波数帯における第１のサービングセルの実際の伝送継続時間を正確に反映することができず、これにより、データ伝送効率に影響することに留意されたい。例として、Ｔ３時刻において、サービングセル又はサービングセルが属する基地局によって送信されるデータは、事前に、基地局によって、Ｔ１時刻（上位層におけるデータスケジューリング準備）及びＴ２時刻（物理層におけるデータスケジューリング準備）に準備される。サービングセルは、Ｔ３時刻にライセンス不要周波数帯リソースを先行占有するが、Ｔ３時刻の前はライセンス不要周波数帯リソースを先行占有しないと仮定すると、サービングセル又はＣＡ方式もしくは他の方式でサービングセルと組み合わせられたセルは、Ｔ３時刻に、ライセンス不要周波数帯リソースにおけるサービングセルのデータ伝送継続時間を通知する。基地局による事前のデータ準備機能に関連して、Ｔ３時刻に通知されるデータ伝送継続時間は、サービングセル又はサービングセルが属する基地局によって、Ｔ１時刻に、サービス負荷ステータスに従って決定される。すなわち、データが、サービングセル又はサービングセルが属する基地局側に、Ｔ１時刻とＴ３時刻との間に到着する場合、Ｔ３時刻に通知される実際の伝送継続時間は、Ｔ１時刻からＴ３時刻に到着したデータを含むことができない。従って、ライセンス不要周波数帯リソースは、有効利用されることができず、ライセンス不要周波数帯のデータ伝送効率が影響され、結果的に、ＵＥは、ライセンス不要周波数帯においてサービングセルによってデータを伝送する終了時刻を誤って決定する。本発明の本実施形態において提供される方法によれば、第２の時間リソースの終了時刻は、複数回通知される、又は、最後の回だけ通知され、これにより、第１のサービングセルによるデータ準備とデータ送信との間における遅延に起因する、通知継続時間が不正確であるという問題を緩和する。
【０１９５】
本発明の本実施形態において提供されるデータ伝送方法によれば、第１のデバイスは、継続時間情報の開始時刻から第２の時間リソースの終了時刻までの時間長を示すために用いられる継続時間情報を検出し、継続時間情報に従って、第２の時間リソースの終了時刻を決定する。これにより、ライセンス不要周波数帯において、受信側が情報の送信終了時刻を決定できないために発生する、データ受信エラーという従来技術の問題を解決する。
【０１９６】
図１及び図５に対応する前述の実施形態に関連して、図１及び図５に対応する実施形態において説明されるデータ伝送方法は、第２の時間リソースの開始位置を決定するために用いられる。本発明の他の実施形態は、他のデータ伝送方法を提供する。これは、第２の時間リソースの終了位置を決定するために用いられ、図６に対応する前述の実施形態において説明されるデータ伝送方法における送信側に対応する。本発明の本実施形態において提供されるデータ伝送方法は、図５に対応する実施形態において説明されるデータ伝送方法の後、すなわち、段階５０２の後で実行されてよい、又は、図５に対応する実施形態において説明されるデータ伝送方法と同時に実行されてよく、本発明において限定は課されない。図７を参照すると、データ伝送方法は、以下の段階を含む。
【０１９７】
７０１．第２のデバイスは、第２の時間リソースの終了時刻を決定する。
【０１９８】
７０２．第２のデバイスは、継続時間情報を第１のデバイスに送信する。
【０１９９】
継続時間情報は、継続時間情報の開始時刻から第２の時間リソースの終了時刻までの時間長を示すために用いられ、これにより、第１のデバイスは、継続時間情報に従って、第２の時間リソースの終了時刻を決定する。
【０２００】
任意選択的に、継続時間情報は、第１の長さについての情報を含み、第１の長さは、第２の時間リソースにおける最後のサブフレームの長さである。継続時間情報は、第２のサブフレームにおける制御チャネルに保持されてよく、第２のサブフレームは、第２の時間リソースにおけるサブフレーム、又は第２のサービングセルにおいて、第２の時間リソースにおける最後のサブフレームに対応するサブフレームの少なくとも１つを含み、第２のサービングセルは、ライセンス周波数帯におけるセルであってよい。好ましくは、継続時間情報は、物理層共通制御チャネルに保持される。継続時間情報は、予め規定されてよい、又は半静的に構成されてよいことに留意されたい。
【０２０１】
任意選択的に、第２のデバイスは、少なくとも２つの継続時間情報を第１のデバイスに送信し、第１のデバイスは、検出された最後の継続時間情報に従って、第２の時間リソースの終了時刻を決定してよい。
【０２０２】
あるいは、任意選択的に、第２のデバイスは、継続時間情報を第２の時間リソースにおける最後のサブフレームに付加し、最後のサブフレームを第１のデバイスに送信する。第１のデバイスは、一度検出を実行するだけでよい。
【０２０３】
継続時間情報が検出された後で、第２のデバイスは、新たなデータパケットを第１のデバイスに送信してよく、結果的に、第２の時間リソースが拡張される。すなわち、第２の時間リソースの終了時刻が遅延される。従って、第２の時間リソースの終了時刻は、検出された最後の継続時間情報に従って決定される、又は、継続時間情報は、第２の時間リソースにおける最後のサブフレームに保持される。これにより、第２の時間リソースの終了時刻の決定の正確さが保証される。
【０２０４】
本発明の本実施形態において提供されるデータ伝送方法によれば、第２のデバイスは、第２の時間リソースの終了時刻を決定し、第２のデバイスは、継続時間情報を第１のデバイスに送信する。ここで、継続時間情報は、継続時間情報の開始時刻から第２の時間リソースの終了時刻までの時間長を示すために用いられ、これにより、第１のデバイスは、継続時間情報に従って、第２の時間リソースの終了時刻を決定することができる。これにより、ライセンス不要周波数帯において、受信側が情報の送信終了時刻を決定できないために発生する、データ受信エラーという従来技術の問題を解決する。
【０２０５】
図１に対応する前述の実施形態に基づいて、本発明の実施形態は、図１に対応する前述の実施形態において説明されるデータ伝送方法を実行するように構成される第１のデバイスを提供する。図８を参照すると、第１のデバイス８０は、管理ユニット８０１、第１の検出ユニット８０２、及び第２の検出ユニット８０３を含む。
【０２０６】
第１の検出ユニット８０２は、第１の時間リソースにおける第１のサブフレームの予め設定された期間、又は第１の時間リソースにおけるサブフレームの第１の時間セットにおいて、第１のサービングセルの第１の情報を検出するように構成される。第１の時間セットは、サブフレームにおける第１の情報の予め規定された開始位置のセットであり、第１の時間セットは、少なくとも２つの要素を含む。
【０２０７】
管理ユニット８０１は、第１の検出ユニット８０２によって検出された第１の情報に従って、第２の時間リソースの開始位置を決定するように構成される。
【０２０８】
第２の検出ユニット８０３は、第２の時間リソースにおけるサブフレームの第２の時間セットにおいて、第１のサービングセルの第２の情報を検出するように構成される。ここで、第２の時間セットは、サブフレームにおける第２の情報の予め規定された開始位置のセットであり、第１の時間セット及び第２の時間セットは、少なくとも１つの異なる要素を含む。
【０２０９】
好ましくは、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。
【０２１０】
任意選択的に、第１の検出ユニット８０２は、第１の情報の後で受信された第３の情報を検出し、検出された第３の情報に従って、第１の情報の開始位置を決定し、第１の時間リソースにおける第１のサブフレームの予め設定された期間、又は第１の時間リソースにおけるサブフレームの第１の時間セットにおいて、第１の情報の開始位置に従って、受信された第１の情報を検出するようにさらに構成される。
【０２１１】
任意選択的に、適用シナリオにおいて、各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。さらに、任意選択的に、フレーム周期は、フレームベース機器ＦＢＥフレーム構造における固定フレーム周期ＦＦＰである。
【０２１２】
第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。
【０２１３】
あるいは、任意選択的に、他の適用シナリオにおいて、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【０２１４】
任意選択的に、第１の時間セットは、サブフレームにおいて、少なくとも１つの直交周波数分割多重ＯＦＤＭシンボルの開始時刻を含む、又は、第１の時間セットは、サブフレームにおいて、少なくとも１／ＴのＯＦＤＭシンボルの開始時刻を含み、Ｔは、０より大きい整数である。
【０２１５】
任意選択的に、第１の時間セットは、サブフレームにおいて、第（ｋ＋ｘ）のＯＦＤＭシンボルの開始位置を含む。
【０２１６】
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０２１７】
任意選択的に、第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【０２１８】
さらに、任意選択的に、
第１のデバイス８０は、継続時間情報を検出するように構成される第３の検出ユニット８０４をさらに含む。
【０２１９】
管理ユニット８０１は、第３の検出ユニット８０４によって検出された継続時間情報に従って、第２の時間リソースの終了時刻を決定するようにさらに構成される。
【０２２０】
好ましくは、継続時間情報は、第１の長さについての情報を含み、第１の長さは、第２の時間リソースにおける最後のサブフレームの長さである。
【０２２１】
任意選択的に、第１のデバイス８０は、第１のサービングセルの少なくとも２つの継続時間情報を検出する。
【０２２２】
管理ユニット８０１は、検出された最後の継続時間情報に従って、第２の時間リソースの終了時刻を決定するようにさらに構成される。
【０２２３】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０２２４】
好ましくは、継続時間情報は、第２の時間リソースにおける最後のサブフレームに保持される。継続時間情報は、物理層共通制御チャネルに保持されてよい。
【０２２５】
本発明の本実施形態において提供される第１のデバイスは、第１の時間リソースにおける第１のサブフレームの予め設定された期間、又は第１の時間リソースにおけるサブフレームの第１の時間セットにおいて、第１のサービングセルの第１の情報を検出し、第１の情報に従って、第２の時間リソースの開始位置を決定し、第２の時間リソースにおけるサブフレームの第２の時間セットにおいて、第１のサービングセルの第２の情報を検出する。これにより、ライセンス不要周波数帯における情報送信の開始時刻が決定不可能なので、受信側がデータを正しく受信することができないという従来技術の問題が解決される。
【０２２６】
図５に対応する前述の実施形態に基づいて、本発明の実施形態は、図５に対応する前述の実施形態において説明されるデータ伝送方法を実行するように構成される第２のデバイスを提供する。図９を参照すると、第２のデバイス９０は、管理ユニット９０１及び送信ユニット９０２を含む。
【０２２７】
管理ユニット９０１は、第１の時間リソースにおける第１のサブフレームの予め設定された期間、又は第１の時間リソースにおけるサブフレームの第１の時間セットにおいて、第１のサービングセルの第１の情報を送信する開始位置を決定するように構成される。ここで、第１の時間セットは、サブフレームにおける第１の情報の予め規定された開始位置のセットであり、第１の時間セットは、少なくとも２つの要素を含む。
【０２２８】
送信ユニット９０１は、第１の情報を第１のデバイスに送信するように構成される。
【０２２９】
管理ユニット９０１は、第１の情報に従って、第２の時間リソースの開始位置を決定し、第２の時間リソースにおけるサブフレームの第２の時間セットにおいて、第１のサービングセルの第２の情報を送信する開始位置を決定するようにさらに構成される。ここで、第２の時間セットは、サブフレームにおける第２の情報の予め規定された開始位置のセットであり、第１の時間セット及び第２の時間セットは、少なくとも１つの異なる要素を含む。
【０２３０】
送信ユニット９０１は、第２の情報を第１のデバイスに送信するようにさらに構成される。
【０２３１】
好ましくは、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。
【０２３２】
任意選択的に、送信ユニット９０１は、第３の情報を第１のデバイスに送信するようにさらに構成される。ここで、第３の情報は、第１の情報の開始位置を示すために用いられる。
【０２３３】
任意選択的に、適用シナリオにおいて、各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。さらに、任意選択的に、フレーム周期は、フレームベース機器ＦＢＥフレーム構造における固定フレーム周期ＦＦＰである。
【０２３４】
第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。
【０２３５】
あるいは、任意選択的に、他の適用シナリオにおいて、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【０２３６】
任意選択的に、第１の時間セットは、サブフレームにおいて、少なくとも１つの直交周波数分割多重ＯＦＤＭシンボルの開始時刻を含む、又は、第１の時間セットは、サブフレームにおいて、少なくとも１／ＴのＯＦＤＭシンボルの開始時刻を含み、Ｔは、０より大きい整数である。
【０２３７】
任意選択的に、第１の時間セットは、サブフレームにおいて、第（ｋ＋ｘ）のＯＦＤＭシンボルの開始位置を含む。
【０２３８】
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０２３９】
任意選択的に、第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【０２４０】
さらに、任意選択的に、
管理ユニット９０１は、第２の時間リソースの終了時刻を決定するようにさらに構成される。
【０２４１】
送信ユニット９０１は、継続時間情報を第１のデバイスに送信するようにさらに構成される。ここで、継続時間情報は、継続時間情報の開始時刻から第２の時間リソースの終了時刻までの時間長を示すために用いられる。
【０２４２】
好ましくは、継続時間情報は、第１の長さについての情報を含み、第１の長さは、第２の時間リソースにおける最後のサブフレームの長さである。
【０２４３】
任意選択的に、送信ユニット９０１は、第１のサービングセルの少なくとも２つの継続時間情報を第１のデバイスに送信するようにさらに構成される。
【０２４４】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０２４５】
好ましくは、継続時間情報は、第２の時間リソースにおける最後のサブフレームに保持される。継続時間情報は、物理層共通制御チャネルに保持されてよい。
【０２４６】
本発明の本実施形態において提供される第２のデバイスは、第１の時間リソースにおける第１のサブフレームの予め設定された期間、又は第１の時間リソースにおけるサブフレームの第１の時間セットにおいて、第１のサービングセルの第１の情報を送信する開始位置を決定し、第１の情報を第１のデバイスに送信し、第１の情報に従って、第２の時間リソースの開始位置を決定し、第２の時間リソースにおけるサブフレームの第２の時間セットにおいて、第１のサービングセルの第２の情報を送信する開始位置を決定し、第２の情報を第１のデバイスに送信する。これにより、第１のデバイスは、第１の情報を検出することによって、第２の時間リソースの開始位置を決定することができる。これにより、ライセンス不要周波数帯における情報送信の開始時刻が決定不可能なので、受信側がデータを正しく受信することができないという従来技術の問題が解決される。
【０２４７】
図１に対応する前述の実施形態に基づいて、本発明の他の実施形態は、図１に対応する前述の実施形態において説明されるデータ伝送方法を実行するように構成される第１のデバイスを提供する。図１０を参照すると、第１のデバイス１００は、少なくとも１つのプロセッサ１００１、メモリ１００２、バス１００３、及び受信機１００４を含む。少なくとも１つのプロセッサ１００１、メモリ１００２、及び受信機１００４は、バス１００３を用いることによって、互いに接続され、通信を行う。
【０２４８】
バス１００３は、ＩＳＡ（Ｉｎｄｕｓｔｒｙ  Ｓｔａｎｄａｒｄ  Ａｒｃｈｉｔｅｃｔｕｒｅ、業界標準アーキテクチャ）バス、ＰＣＩ（Ｐｅｒｉｐｈｅｒａｌ  Ｃｏｍｐｏｎｅｎｔ、ペリフェラルコンポーネント相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ、拡張型業界標準アーキテクチャ）バス等であってよい。バス１００３は、アドレスバス、データバス、制御バス等に分類されてよい。表記を容易にするために、バス１００３は、図１０において、１つの太線だけを用いることによって表されている。しかしながら、これは、１つだけのバス又は１つだけのタイプのバスが存在することを示すものではない。
【０２４９】
メモリ１００２は、本発明における解決手段を実行するためのアプリケーションプログラムコードを格納するように構成される。ここで、本発明における解決手段を実行するためのアプリケーションプログラムコードは、メモリに格納され、その実行は、プロセッサ１００１によって制御される。
【０２５０】
メモリは、リードオンリメモリＲＯＭ又は静的な情報及び命令を格納し得る他のタイプの静的ストレージデバイス、ランダムアクセスメモリＲＡＭ、又は情報及び命令を格納し得る他のタイプの動的ストレージデバイスであってよく、又は、電気的消去可能プログラマブルリードオンリメモリＥＥＰＲＯＭ、コンパクトディスクリードオンリメモリＣＤ−ＲＯＭ又は他のコンパクトディスクストレージ、光ディスクストレージ（コンパクトディスク、レーザディスク、光ディスク、デジタル多用途ディスク、ブルーレイディスク等を含む）、ディスク記憶媒体又は他のディスクストレージデバイス、又は期待されるプログラムコードを命令もしくはデータ構造の形式で保持もしくは格納するために利用可能であり、コンピュータによってアクセス可能な任意の他の媒体であってよいが、これらに限定されるものではない。これらのメモリは、バスを用いることによって、プロセッサに接続される。
【０２５１】
プロセッサ１００１は、中央演算処理装置１００１（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、又は本発明の本実施形態を実装するように構成される１つ又は複数の集積回路であってよい。
【０２５２】
プロセッサ１００１は、メモリ１００２におけるプログラムコードを呼び出すように構成される。可能な実装方式において、前述のアプリケーションプログラムがプロセッサ１００１によって実行される場合、以下の機能が実装される。
【０２５３】
プロセッサ１００１は、第１の時間リソースにおける第１のサブフレームの予め設定された期間、又は第１の時間リソースにおけるサブフレームの第１の時間セットにおいて、第１のサービングセルの第１の情報を検出するように構成される。第１の時間セットは、サブフレームにおける第１の情報の予め規定された開始位置のセットであり、第１の時間セットは、少なくとも２つの要素を含む。
【０２５４】
プロセッサ１００１は、検出された第１の情報に従って、第２の時間リソースの開始位置を決定するようにさらに構成される。
【０２５５】
プロセッサ１００１は、第２の時間リソースにおけるサブフレームの第２の時間セットにおいて、第１のサービングセルの第２の情報を検出するようにさらに構成される。ここで、第２の時間セットは、サブフレームにおける第２の情報の予め規定された開始位置のセットであり、第１の時間セット及び第２の時間セットは、少なくとも１つの異なる要素を含む。
【０２５６】
好ましくは、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。
【０２５７】
任意選択的に、プロセッサ１００１は、第１の情報の後で受信された第３の情報を検出し、検出された第３の情報に従って、第１の情報の開始位置を決定し、第１の時間リソースにおける第１のサブフレームの予め設定された期間、又は第１の時間リソースにおけるサブフレームの第１の時間セットにおいて、第１の情報の開始位置に従って、受信された第１の情報を検出するようにさらに構成される。
【０２５８】
任意選択的に、適用シナリオにおいて、各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。さらに、任意選択的に、フレーム周期は、フレームベース機器ＦＢＥフレーム構造における固定フレーム周期ＦＦＰである。
【０２５９】
第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。
【０２６０】
あるいは、任意選択的に、他の適用シナリオにおいて、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【０２６１】
任意選択的に、第１の時間セットは、サブフレームにおいて、少なくとも１つの直交周波数分割多重ＯＦＤＭシンボルの開始時刻を含む、又は、第１の時間セットは、サブフレームにおいて、少なくとも１／ＴのＯＦＤＭシンボルの開始時刻を含み、Ｔは、０より大きい整数である。
【０２６２】
任意選択的に、第１の時間セットは、サブフレームにおいて、第（ｋ＋ｘ）のＯＦＤＭシンボルの開始位置を含む。
【０２６３】
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０２６４】
任意選択的に、第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【０２６５】
さらに、任意選択的に、
プロセッサ１００１は、継続時間情報を検出し、検出された継続時間情報に従って、第２の時間リソースの終了時刻を決定するようにさらに構成される。
【０２６６】
好ましくは、継続時間情報は、第１の長さについての情報を含み、第１の長さは、第２の時間リソースにおける最後のサブフレームの長さである。
【０２６７】
任意選択的に、第１のデバイス１００は、第１のサービングセルの少なくとも２つの継続時間情報を検出する。
【０２６８】
プロセッサ１００１は、検出された最後の継続時間情報に従って、第２の時間リソースの終了時刻を決定するようにさらに構成される。
【０２６９】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０２７０】
好ましくは、継続時間情報は、第２の時間リソースにおける最後のサブフレームに保持される。継続時間情報は、物理層共通制御チャネルに保持されてよい。
【０２７１】
本発明の本実施形態において提供される第１のデバイスは、第１の時間リソースにおける第１のサブフレームの予め設定された期間、又は第１の時間リソースにおけるサブフレームの第１の時間セットにおいて、第１のサービングセルの第１の情報を検出し、第１の情報に従って、第２の時間リソースの開始位置を決定し、第２の時間リソースにおけるサブフレームの第２の時間セットにおいて、第１のサービングセルの第２の情報を検出する。これにより、ライセンス不要周波数帯における情報送信の開始時刻が決定不可能なので、受信側がデータを正しく受信することができないという従来技術の問題が解決される。
【０２７２】
図５に対応する前述の実施形態に基づいて、本発明の他の実施形態は、図５に対応する前述の実施形態において説明されるデータ伝送方法を実行するように構成される第２のデバイスを提供する。図１１を参照すると、第２のデバイス１１０は、少なくとも１つのプロセッサ１１０１、メモリ１１０２、バス１１０３、及び送信機１１０４を含む。少なくとも１つのプロセッサ１１０１、メモリ１１０２、及び送信機１１０４は、バス１１０３を用いることによって、互いに接続され、通信を行う。
【０２７３】
バス１１０３は、ＩＳＡ（Ｉｎｄｕｓｔｒｙ  Ｓｔａｎｄａｒｄ  Ａｒｃｈｉｔｅｃｔｕｒｅ、業界標準アーキテクチャ）バス、ＰＣＩ（Ｐｅｒｉｐｈｅｒａｌ  Ｃｏｍｐｏｎｅｎｔ、ペリフェラルコンポーネント相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ、拡張型業界標準アーキテクチャ）バス等であってよい。バス１１０３は、アドレスバス、データバス、制御バス等に分類されてよい。表記を容易にするために、バス１１０３は、図１１において、１つの太線だけを用いることによって表されている。しかしながら、これは、１つだけのバス又は１つだけのタイプのバスが存在することを示すものではない。
【０２７４】
メモリ１１０２は、本発明における解決手段を実行するためのアプリケーションプログラムコードを格納するように構成される。ここで、本発明における解決手段を実行するためのアプリケーションプログラムコードは、メモリに格納され、その実行は、プロセッサ１１０１によって制御される。
【０２７５】
メモリは、リードオンリメモリＲＯＭ又は静的な情報及び命令を格納し得る他のタイプの静的ストレージデバイス、ランダムアクセスメモリＲＡＭ、又は情報及び命令を格納し得る他のタイプの動的ストレージデバイスであってよく、又は、電気的消去可能プログラマブルリードオンリメモリＥＥＰＲＯＭ、コンパクトディスクリードオンリメモリＣＤ−ＲＯＭ又は他のコンパクトディスクストレージ、光ディスクストレージ（コンパクトディスク、レーザディスク、光ディスク、デジタル多用途ディスク、ブルーレイディスク等を含む）、ディスク記憶媒体又は他のディスクストレージデバイス、又は期待されるプログラムコードを命令もしくはデータ構造の形式で保持もしくは格納するために利用可能であり、コンピュータによってアクセス可能な任意の他の媒体であってよいが、これらに限定されるものではない。これらのメモリは、バスを用いることによって、プロセッサに接続される。
【０２７６】
プロセッサ１１０１は、中央演算処理装置１１０１（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、又は本発明の本実施形態を実装するように構成される１つ又は複数の集積回路であってよい。
【０２７７】
プロセッサ１１０１は、メモリ１１０２におけるプログラムコードを呼び出すように構成される。可能な実装方式において、前述のアプリケーションプログラムがプロセッサ１１０１によって実行される場合、以下の機能が実装される。
【０２７８】
プロセッサ１１０１は、第１の時間リソースにおける第１のサブフレームの予め設定された期間、又は第１の時間リソースにおけるサブフレームの第１の時間セットにおいて、第１のサービングセルの第１の情報を送信する開始位置を決定するように構成される。ここで、第１の時間セットは、サブフレームにおける第１の情報の予め規定された開始位置のセットであり、第１の時間セットは、少なくとも２つの要素を含む。
【０２７９】
送信機１１０４は、第１の情報を第１のデバイスに送信するように構成される。
【０２８０】
プロセッサ１１０１は、第１の情報に従って、第２の時間リソースの開始位置を決定し、第２の時間リソースにおけるサブフレームの第２の時間セットにおいて、第１のサービングセルの第２の情報を送信する開始位置を決定するようにさらに構成される。ここで、第２の時間セットは、サブフレームにおける第２の情報の予め規定された開始位置のセットであり、第１の時間セット及び第２の時間セットは、少なくとも１つの異なる要素を含む。
【０２８１】
送信機１１０４は、第２の情報を第１のデバイスに送信するようにさらに構成される。
【０２８２】
好ましくは、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。
【０２８３】
任意選択的に、送信機１１０４は、第３の情報を第１のデバイスに送信するようにさらに構成される。ここで、第３の情報は、第１の情報の開始位置を示すために用いられる。
【０２８４】
任意選択的に、適用シナリオにおいて、各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。さらに、任意選択的に、フレーム周期は、フレームベース機器ＦＢＥフレーム構造における固定フレーム周期ＦＦＰである。
【０２８５】
第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。
【０２８６】
あるいは、任意選択的に、他の適用シナリオにおいて、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【０２８７】
任意選択的に、第１の時間セットは、サブフレームにおいて、少なくとも１つの直交周波数分割多重ＯＦＤＭシンボルの開始時刻を含む、又は、第１の時間セットは、サブフレームにおいて、少なくとも１／ＴのＯＦＤＭシンボルの開始時刻を含み、Ｔは、０より大きい整数である。
【０２８８】
任意選択的に、第１の時間セットは、サブフレームにおいて、第（ｋ＋ｘ）のＯＦＤＭシンボルの開始位置を含む。
【０２８９】
ｋの値は、３、４、５、６、８、１１、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０２９０】
任意選択的に、第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【０２９１】
さらに、任意選択的に、
プロセッサ１１０１は、第２の時間リソースの終了時刻を決定するようにさらに構成される。
【０２９２】
送信機１１０４は、継続時間情報を第１のデバイスに送信するようにさらに構成される。ここで、継続時間情報は、継続時間情報の開始時刻から第２の時間リソースの終了時刻までの時間長を示すために用いられる。
【０２９３】
好ましくは、継続時間情報は、第１の長さについての情報を含み、第１の長さは、第２の時間リソースにおける最後のサブフレームの長さである。
【０２９４】
任意選択的に、送信機１１０４は、第１のサービングセルの少なくとも２つの継続時間情報を第１のデバイスに送信するようにさらに構成される。
【０２９５】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０２９６】
好ましくは、継続時間情報は、第２の時間リソースにおける最後のサブフレームに保持される。継続時間情報は、物理層共通制御チャネルに保持されてよい。
【０２９７】
本発明の本実施形態において提供される第２のデバイスは、第１の時間リソースにおける第１のサブフレームの予め設定された期間、又は第１の時間リソースにおけるサブフレームの第１の時間セットにおいて、第１のサービングセルの第１の情報を送信する開始位置を決定し、第１の情報を第１のデバイスに送信し、第１の情報に従って、第２の時間リソースの開始位置を決定し、第２の時間リソースにおけるサブフレームの第２の時間セットにおいて、第１のサービングセルの第２の情報を送信する開始位置を決定し、第２の情報を第１のデバイスに送信する。これにより、第１のデバイスは、第１の情報を検出することによって、第２の時間リソースの開始位置を決定することができる。これにより、ライセンス不要周波数帯における情報送信の開始時刻が決定不可能なので、受信側がデータを正しく受信することができないという従来技術の問題が解決される。
【０２９８】
図６に対応する前述の実施形態に基づいて、本発明の実施形態は、図６に対応する前述の実施形態において説明されるデータ伝送方法を実行するように構成される他の第１のデバイスを提供する。図１２を参照すると、第１のデバイス１２０は、検出ユニット１２０１及び管理ユニット１２０２を含む。
【０２９９】
検出ユニット１２０１は、継続時間情報を検出するように構成される。
【０３００】
管理ユニット１２０２は、検出ユニット１２０１によって検出された継続時間情報に従って、第２の時間リソースの終了時刻を決定するように構成される。
【０３０１】
任意選択的に、第２の時間リソースは、第１のサービングセルの開放期に含まれ、第１のサービングセルの開放期は、第１のサービングセルがアンライセンス周波数帯を占有する期間である。
【０３０２】
任意選択的に、継続時間情報は、第１の長さについての情報を含み、第１の長さは、第２の時間リソースにおける最後のサブフレームの長さである。
【０３０３】
任意選択的に、第１のデバイスは、第１のサービングセルの少なくとも２つの継続時間情報を検出する。
【０３０４】
管理ユニット１２０２は、検出された最後の継続時間情報に従って、第２の時間リソースの終了時刻を決定するようにさらに構成される。
【０３０５】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０３０６】
任意選択的に、継続時間情報は、第２の時間リソースにおける最後のサブフレームに保持される。継続時間情報は、物理層共通制御チャネルに保持されてよい。
【０３０７】
本発明の本実施形態において提供される第１のデバイスは、継続時間情報の開始時刻から第２の時間リソースの終了時刻までの時間長を示すために用いられる継続時間情報を検出し、継続時間情報に従って、第２の時間リソースの終了時刻を決定する。これにより、ライセンス不要周波数帯において、受信側が情報の送信終了時刻を決定できないために発生する、データ受信エラーという従来技術の問題を解決する。
【０３０８】
図７に対応する前述の実施形態に基づいて、本発明の実施形態は、図７に対応する前述の実施形態において説明されるデータ伝送方法を実行するように構成される他の第２のデバイスを提供する。図１３を参照すると、第２のデバイス１３０は、管理ユニット１３０１及び送信ユニット１３０２を含む。
【０３０９】
管理ユニット１３０１は、第２の時間リソースの終了時刻を決定するように構成される。
【０３１０】
送信ユニット１３０２は、継続時間情報を第１のデバイスに送信するように構成される。ここで、継続時間情報は、継続時間情報の開始時刻から第２の時間リソースの終了時刻までの時間長を示すために用いられる。
【０３１１】
任意選択的に、第２の時間リソースは、第１のサービングセルの開放期に含まれ、第１のサービングセルの開放期は、第１のサービングセルがアンライセンス周波数帯を占有する期間である。
【０３１２】
任意選択的に、継続時間情報は、第１の長さについての情報を含み、第１の長さは、第２の時間リソースにおける最後のサブフレームの長さである。
【０３１３】
任意選択的に、送信ユニット１３０２は、第１のサービングセルの少なくとも２つの継続時間情報を第１のデバイスに送信するようにさらに構成される。
【０３１４】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０３１５】
任意選択的に、継続時間情報は、第２の時間リソースにおける最後のサブフレームに保持される。継続時間情報は、物理層共通制御チャネルに保持されてよい。
【０３１６】
本発明の本実施形態において提供される第２のデバイスは、第２の時間リソースの終了時刻を決定し、第２のデバイスは、継続時間情報を第１のデバイスに送信する。ここで、継続時間情報は、継続時間情報の開始時刻から第２の時間リソースの終了時刻までの時間長を示すために用いられ、これにより、第１のデバイスは、継続時間情報に従って、第２の時間リソースの終了時刻を決定することができる。これにより、ライセンス不要周波数帯において、受信側が情報の送信終了時刻を決定できないために発生する、データ受信エラーという従来技術の問題を解決する。
【０３１７】
図６に対応する前述の実施形態に基づいて、本発明の他の実施形態は、図６に対応する前述の実施形態において説明されるデータ伝送方法を実行するように構成される他の第１のデバイスを提供する。図１４を参照すると、第１のデバイス１４０は、少なくとも１つのプロセッサ１４０１、メモリ１４０２、バス１４０３、及び受信機１４０４を含む。少なくとも１つのプロセッサ１４０１、メモリ１４０２、及び受信機１４０４は、バス１４０３を用いることによって、互いに接続され、通信を行う。
【０３１８】
バス１４０３は、ＩＳＡ（Ｉｎｄｕｓｔｒｙ  Ｓｔａｎｄａｒｄ  Ａｒｃｈｉｔｅｃｔｕｒｅ、業界標準アーキテクチャ）バス、ＰＣＩ（Ｐｅｒｉｐｈｅｒａｌ  Ｃｏｍｐｏｎｅｎｔ、ペリフェラルコンポーネント相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ、拡張型業界標準アーキテクチャ）バス等であってよい。バス１４０３は、アドレスバス、データバス、制御バス等に分類されてよい。表記を容易にするために、バス１４０３は、図１４において、１つの太線だけを用いることによって表されている。しかしながら、これは、１つだけのバス又は１つだけのタイプのバスが存在することを示すものではない。
【０３１９】
メモリ１４０２は、本発明における解決手段を実行するためのアプリケーションプログラムコードを格納するように構成される。ここで、本発明における解決手段を実行するためのアプリケーションプログラムコードは、メモリに格納され、その実行は、プロセッサ１４０１によって制御される。
【０３２０】
メモリは、リードオンリメモリＲＯＭ又は静的な情報及び命令を格納し得る他のタイプの静的ストレージデバイス、ランダムアクセスメモリＲＡＭ、又は情報及び命令を格納し得る他のタイプの動的ストレージデバイスであってよく、又は、電気的消去可能プログラマブルリードオンリメモリＥＥＰＲＯＭ、コンパクトディスクリードオンリメモリＣＤ−ＲＯＭ又は他のコンパクトディスクストレージ、光ディスクストレージ（コンパクトディスク、レーザディスク、光ディスク、デジタル多用途ディスク、ブルーレイディスク等を含む）、ディスク記憶媒体又は他のディスクストレージデバイス、又は期待されるプログラムコードを命令もしくはデータ構造の形式で保持もしくは格納するために利用可能であり、コンピュータによってアクセス可能な任意の他の媒体であってよいが、これらに限定されるものではない。これらのメモリは、バスを用いることによって、プロセッサに接続される。
【０３２１】
プロセッサ１４０１は、中央演算処理装置１４０１（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、又は本発明の本実施形態を実装するように構成される１つ又は複数の集積回路であってよい。
【０３２２】
プロセッサ１４０１は、メモリ１４０２におけるプログラムコードを呼び出すように構成される。可能な実装方式において、前述のアプリケーションプログラムがプロセッサ１４０１によって実行される場合、以下の機能が実装される。
【０３２３】
プロセッサ１４０１は、継続時間情報を検出し、検出された継続時間情報に従って、第２の時間リソースの終了時刻を決定するように構成される。
【０３２４】
任意選択的に、第２の時間リソースは、第１のサービングセルの開放期に含まれ、第１のサービングセルの開放期は、第１のサービングセルがアンライセンス周波数帯を占有する期間である。
【０３２５】
任意選択的に、継続時間情報は、第１の長さについての情報を含み、第１の長さは、第２の時間リソースにおける最後のサブフレームの長さである。
【０３２６】
任意選択的に、第１のデバイスは、第１のサービングセルの少なくとも２つの継続時間情報を検出する。
【０３２７】
プロセッサ１４０１は、検出された最後の継続時間情報に従って、第２の時間リソースの終了時刻を決定するようにさらに構成される。
【０３２８】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０３２９】
任意選択的に、継続時間情報は、第２の時間リソースにおける最後のサブフレームに保持される。継続時間情報は、物理層共通制御チャネルに保持されてよい。
【０３３０】
本発明の本実施形態において提供される第１のデバイスは、継続時間情報の開始時刻から第２の時間リソースの終了時刻までの時間長を示すために用いられる継続時間情報を検出し、継続時間情報に従って、第２の時間リソースの終了時刻を決定する。これにより、ライセンス不要周波数帯において、受信側が情報の送信終了時刻を決定できないために発生する、データ受信エラーという従来技術の問題を解決する。
【０３３１】
図７に対応する前述の実施形態に基づいて、本発明の他の実施形態は、図７に対応する前述の実施形態において説明されるデータ伝送方法を実行するように構成される他の第２のデバイスを提供する。図１５を参照すると、第２のデバイス１５０は、少なくとも１つのプロセッサ１５０１、メモリ１５０２、バス１５０３、及び送信機１５０４を含む。少なくとも１つのプロセッサ１５０１、メモリ１５０２、及び送信機１５０４は、バス１５０３を用いることによって、互いに接続され、通信を行う。
【０３３２】
バス１５０３は、ＩＳＡ（Ｉｎｄｕｓｔｒｙ  Ｓｔａｎｄａｒｄ  Ａｒｃｈｉｔｅｃｔｕｒｅ、業界標準アーキテクチャ）バス、ＰＣＩ（Ｐｅｒｉｐｈｅｒａｌ  Ｃｏｍｐｏｎｅｎｔ、ペリフェラルコンポーネント相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ、拡張型業界標準アーキテクチャ）バス等であってよい。バス１５０３は、アドレスバス、データバス、制御バス等に分類されてよい。表記を容易にするために、バス１５０３は、図１５において、１つの太線だけを用いることによって表されている。しかしながら、これは、１つだけのバス又は１つだけのタイプのバスが存在することを示すものではない。
【０３３３】
メモリ１５０２は、本発明における解決手段を実行するためのアプリケーションプログラムコードを格納するように構成される。ここで、本発明における解決手段を実行するためのアプリケーションプログラムコードは、メモリに格納され、その実行は、プロセッサ１５０１によって制御される。
【０３３４】
メモリは、リードオンリメモリＲＯＭ又は静的な情報及び命令を格納し得る他のタイプの静的ストレージデバイス、ランダムアクセスメモリＲＡＭ、又は情報及び命令を格納し得る他のタイプの動的ストレージデバイスであってよく、又は、電気的消去可能プログラマブルリードオンリメモリＥＥＰＲＯＭ、コンパクトディスクリードオンリメモリＣＤ−ＲＯＭ又は他のコンパクトディスクストレージ、光ディスクストレージ（コンパクトディスク、レーザディスク、光ディスク、デジタル多用途ディスク、ブルーレイディスク等を含む）、ディスク記憶媒体又は他のディスクストレージデバイス、又は期待されるプログラムコードを命令もしくはデータ構造の形式で保持もしくは格納するために利用可能であり、コンピュータによってアクセス可能な任意の他の媒体であってよいが、これらに限定されるものではない。これらのメモリは、バスを用いることによって、プロセッサに接続される。
【０３３５】
プロセッサ１５０１は、中央演算処理装置１５０１（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、又は本発明の本実施形態を実装するように構成される１つ又は複数の集積回路であってよい。
【０３３６】
プロセッサ１５０１は、メモリ１５０２におけるプログラムコードを呼び出すように構成される。可能な実装方式において、前述のアプリケーションプログラムがプロセッサ１５０１によって実行される場合、以下の機能が実装される。
【０３３７】
プロセッサ１５０１は、第２の時間リソースの終了時刻を決定するように構成される。
【０３３８】
送信機１５０４は、継続時間情報を第１のデバイスに送信するように構成される。ここで、継続時間情報は、継続時間情報の開始時刻から第２の時間リソースの終了時刻までの時間長を示すために用いられる。
【０３３９】
任意選択的に、第２の時間リソースは、第１のサービングセルの開放期に含まれ、第１のサービングセルの開放期は、第１のサービングセルがアンライセンス周波数帯を占有する期間である。
【０３４０】
任意選択的に、継続時間情報は、第１の長さについての情報を含み、第１の長さは、第２の時間リソースにおける最後のサブフレームの長さである。
【０３４１】
任意選択的に、送信機１５０４は、第１のサービングセルの少なくとも２つの継続時間情報を第１のデバイスに送信するようにさらに構成される。
【０３４２】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０３４３】
任意選択的に、継続時間情報は、第２の時間リソースにおける最後のサブフレームに保持される。継続時間情報は、物理層共通制御チャネルに保持されてよい。
【０３４４】
本発明の本実施形態において提供される第２のデバイスは、第２の時間リソースの終了時刻を決定し、第２のデバイスは、継続時間情報を第１のデバイスに送信する。ここで、継続時間情報は、継続時間情報の開始時刻から第２の時間リソースの終了時刻までの時間長を示すために用いられ、これにより、第１のデバイスは、継続時間情報に従って、第２の時間リソースの終了時刻を決定することができる。これにより、ライセンス不要周波数帯において、受信側が情報の送信終了時刻を決定できないために発生する、データ受信エラーという従来技術の問題を解決する。
【０３４５】
図１及び図５に対応する前述の実施形態に基づいて、本発明の実施形態は、図１及び図５に対応する前述の実施形態において説明されるデータ伝送方法を実行するように構成される無線通信システムを提供する。図１６を参照すると、無線通信システム１６０は、第１のデバイス１６０１及び第２のデバイス１６０２を含む。
【０３４６】
第１のデバイス１６０１は、図８に対応する実施形態において説明される第１のデバイスであり、第２のデバイス１６０２は、図９に対応する実施形態において説明される第２のデバイスである。
【０３４７】
あるいは、第１のデバイス１６０１は、図１０に対応する実施形態において説明される第１のデバイスであり、第２のデバイス１６０２は、図１１に対応する実施形態において説明される第２のデバイスである。
【０３４８】
本発明の本実施形態において提供される無線通信システムによれば、によれば、第１のデバイスは、第１の時間リソースにおける第１のサブフレームの予め設定された期間、又は第１の時間リソースにおけるサブフレームの第１の時間セットにおいて、第１のサービングセルの第１の情報を検出し、第１の情報に従って、第２の時間リソースの開始位置を決定し、第２の時間リソースにおけるサブフレームの第２の時間セットにおいて、第１のサービングセルの第２の情報を検出する。これにより、ライセンス不要周波数帯における情報送信の開始時刻が決定不可能なので、受信側がデータを正しく受信することができないという従来技術の問題が解決される。
【０３４９】
図６及び図７に対応する前述の実施形態に基づいて、本発明の実施形態は、図６及び図７に対応する前述の実施形態において説明されるデータ伝送方法を実行するように構成される他の無線通信システムを提供する。図１７を参照すると、無線通信システム１７０は、第１のデバイス１７０１及び第２のデバイス１７０２を含む。
【０３５０】
第１のデバイス１７０１は、図１２に対応する実施形態において説明される第１のデバイスであり、第２のデバイス１７０２は、図１３に対応する実施形態において説明される第２のデバイスである。
【０３５１】
あるいは、第１のデバイス１７０１は、図１４に対応する実施形態において説明される第１のデバイスであり、第２のデバイス１７０２は、図１５に対応する実施形態において説明される第２のデバイスである。
【０３５２】
本発明の本実施形態において提供される無線通信システムによれば、第１のデバイスは、継続時間情報の開始時刻から第２の時間リソースの終了時刻までの時間長を示すために用いられる継続時間情報を検出し、継続時間情報に従って、第２の時間リソースの終了時刻を決定する。これにより、ライセンス不要周波数帯において、受信側が情報の送信終了時刻を決定できないために発生する、データ受信エラーという従来技術の問題を解決する。
【０３５３】
前述の実施形態の説明により、当業者であれば、本発明がハードウェア、ファームウェア又はこれらの組み合わせによって実装され得ることを明確に理解しよう。本発明がソフトウェアによって実装される場合、前述の機能は、コンピュータ可読媒体に格納されてよく、又は、コンピュータ可読媒体における１つ又は複数の命令もしくはコードとして伝送されてよい。コンピュータ可読媒体は、コンピュータ記憶媒体及び通信媒体を含む。通信媒体は、１つの箇所から他の箇所に伝送されるように、コンピュータプログラムを有効化する任意の媒体を含む。記憶媒体は、コンピュータにアクセス可能な任意の利用可能な媒体であってよい。以下の事項は、限定されるものではなく、例としてみなされるものである。コンピュータ可読媒体は、ＲＡＭ（Ｒａｎｄｏｍ  Ａｃｃｅｓｓ  Ｍｅｍｏｒｙ、ランダムアクセスメモリ）、ＲＯＭ（Ｒｅａｄ−Ｏｎｌｙ  Ｍｅｍｏｒｙ、リードオンリメモリ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、電気的消去可能プログラマブルリードオンリメモリ）、ＣＤ−ＲＯＭ（Ｃｏｍｐａｃｔ  Ｄｉｓｃ  Ｒｅａｄ−Ｏｎｌｙ  Ｍｅｍｏｒｙ、コンパクトディスクリードオンリメモリ）又は他の光ディスクストレージ、ディスク記憶媒体もしくは他のディスクストレージ、又は期待されるプログラムコードをコマンドもしくはデータ構造の形式で保持もしくは格納するために利用可能であり、コンピュータによってアクセス可能な任意の他の媒体を含んでよい。さらに、任意の接続が、コンピュータ可読媒体として適宜定義されてよい。例えば、ソフトウェアが、同軸ケーブル、光ファイバ／ケーブル、ツイストペア、ＤＳＬ（Ｄｉｇｉｔａｌ  Ｓｕｂｓｃｒｉｂｅｒ  Ｌｉｎｅ、デジタル加入者線）又は赤外線、無線及びマイクロ波のような無線技術を用いることによって、ウェブサイト、サーバ又は他のリモートソースから伝送される場合、同軸ケーブル、光ファイバ／ケーブル、ツイストペア、ＤＳＬ又は赤外線、無線及びマイクロ波のような無線技術は、これらが属する媒体の固定に含まれる。例えば、本発明によって用いられるディスク（ｄｉｓｋ）又はディスク（ｄｉｓｃ）は、ＣＤ（Ｃｏｍｐａｃｔ  Ｄｉｓｃ、コンパクトディスク）、レーザディスク、光ディスク、ＤＶＤディスク（Ｄｉｇｉｔａｌ  Ｖｅｒｓａｔｉｌｅ  Ｄｉｓｃ、デジタル多用途ディスク）、フロッピ（登録商標）ディスク及びＢｌｕ−ｒａｙ（登録商標）ディスクを含む。ここで、ディスク（ｄｉｓｋ）は、概して、磁気的手段によってデータをコピーし、ディスク（ｄｉｓｃ）は、レーザ手段によってデータを光学的にコピーする。前述の組み合わせも、コンピュータ可読媒体の保護範囲に含まれるべきである。
【０３５４】
前述の説明は、本発明の具体的な実装方式に過ぎず、本発明の保護範囲を限定することを意図するものではない。本発明において開示された技術的範囲内で、当業者によって容易に案出されるあらゆるバリエーション又は置換は、本発明の保護範囲に属するものとする。従って、本発明の保護範囲は、特許請求の範囲の保護範囲に従うものとする。
【図１】
2018516480.tif 000004
【図２】
2018516480.tif 000005
【図３】
2018516480.tif 000006
【図４】
2018516480.tif 000007
【図５】
2018516480.tif 000008
【図６】
2018516480.tif 000009
【図７】
2018516480.tif 000010
【図８】
2018516480.tif 000011
【図９】
2018516480.tif 000012
【図１０】
2018516480.tif 000013
【図１１】
2018516480.tif 000014
【図１２】
2018516480.tif 000015
【図１３】
2018516480.tif 000016
【図１４】
2018516480.tif 000017
【図１５】
2018516480.tif 000018
【図１６】
2018516480.tif 000019
【図１７】
2018516480.tif 000020
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
第１のデバイスであって、
継続時間情報を検出するように構成される検出ユニットと、
前記検出ユニットによって検出された前記継続時間情報に従って、第２の時間リソースの終了時刻を決定するように構成される管理ユニットと、
を備えるデバイス。
【請求項２】
前記第２の時間リソースは、第１のサービングセルの開放期に含まれ、前記第１のサービングセルの前記開放期は、前記第１のサービングセルがアンライセンス周波数帯を占有する期間である、請求項１に記載のデバイス。
【請求項３】
前記継続時間情報は、第１の長さについての情報を含み、前記第１の長さは、前記第２の時間リソースにおける最後のサブフレームの長さである、
請求項１又は２に記載のデバイス。
【請求項４】
前記第１のデバイスは、前記第１のサービングセルの少なくとも２つの継続時間情報を検出し、
前記管理ユニットは、検出された最後の前記継続時間情報に従って、前記第２の時間リソースの前記終了時刻を決定するようにさらに構成される、
請求項１から３のいずれか１項に記載のデバイス。
【請求項５】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、又は、
前記継続時間情報は、前記第２の時間リソースにおける最後のサブフレームに保持される、又は、
前記継続時間情報は、物理層共通制御チャネルに保持される、
請求項１から３のいずれか１項に記載のデバイス。
【請求項６】
第２のデバイスであって、
第２の時間リソースの終了時刻を決定するように構成される管理ユニットと、
継続時間情報を第１のデバイスに送信するように構成される送信ユニットであって、前記継続時間情報は、前記継続時間情報の開始時刻から前記第２の時間リソースの前記終了時刻までの時間長を示すために用いられる、送信ユニットと、
を備えるデバイス。
【請求項７】
前記第２の時間リソースは、第１のサービングセルの開放期に含まれ、前記第１のサービングセルの前記開放期は、前記第１のサービングセルがアンライセンス周波数帯を占有する期間である、請求項６に記載のデバイス。
【請求項８】
前記継続時間情報は、第１の長さについての情報を含み、前記第１の長さは、前記第２の時間リソースにおける最後のサブフレームの長さである、
請求項６又は７に記載のデバイス。
【請求項９】
前記送信ユニットは、前記第１のサービングセルの少なくとも２つの継続時間情報を前記第１のデバイスに送信するようにさらに構成される、
請求項６から８のいずれか１項に記載のデバイス。
【請求項１０】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、又は、
前記継続時間情報は、前記第２の時間リソースにおける最後のサブフレームに保持される、又は、
前記継続時間情報は、物理層共通制御チャネルに保持される、
請求項６から８のいずれか１項に記載のデバイス。
【請求項１１】
データ伝送方法であって、
第１のデバイスによって、継続時間情報を検出する段階と、
前記第１のデバイスによって、前記継続時間情報に従って、第２の時間リソースの終了時刻を決定する段階と、
を備える方法。
【請求項１２】
前記第２の時間リソースは、第１のサービングセルの開放期に含まれ、前記第１のサービングセルの前記開放期は、前記第１のサービングセルがアンライセンス周波数帯を占有する期間である、
請求項１１に記載の方法。
【請求項１３】
前記継続時間情報は、第１の長さについての情報を含み、前記第１の長さは、前記第２の時間リソースにおける最後のサブフレームの長さである、
請求項１１又は１２に記載の方法。
【請求項１４】
前記第１のデバイスによって、前記第１のサービングセルの少なくとも２つの継続時間情報を検出する段階
前記第１のデバイスによって、前記継続時間情報に従って、第２の時間リソースの終了時刻を決定する前記段階は、
前記第１のデバイスによって、検出された最後の前記継続時間情報に従って、前記第２の時間リソースの前記終了時刻を決定する段階
を含む、
請求項１１から１３のいずれか１項に記載の方法。
【請求項１５】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、又は、
前記継続時間情報は、前記第２の時間リソースにおける最後のサブフレームに保持される、又は、
前記継続時間情報は、物理層共通制御チャネルに保持される、
請求項１１から１３のいずれか１項に記載の方法。
【請求項１６】
データ伝送方法であって、
第２のデバイスによって、第２の時間リソースの終了時刻を決定する段階と、
前記第２のデバイスによって、継続時間情報を第１のデバイスに送信する段階であって、前記継続時間情報は、前記継続時間情報の開始時刻から前記第２の時間リソースの前記終了時刻までの時間長を示すために用いられる、段階と、
を備える方法。
【請求項１７】
前記第２の時間リソースは、第１のサービングセルの開放期に含まれ、前記第１のサービングセルの前記開放期は、前記第１のサービングセルがアンライセンス周波数帯を占有する期間である、
請求項１６に記載の方法。
【請求項１８】
前記継続時間情報は、第１の長さについての情報を含み、前記第１の長さは、前記第２の時間リソースにおける最後のサブフレームの長さである、
請求項１６又は１７に記載の方法。
【請求項１９】
前記第２のデバイスによって、前記第１のサービングセルの継続時間情報を前記第１のデバイスに送信する前記段階は、
前記第２のデバイスによって、前記第１のサービングセルの少なくとも２つの継続時間情報を前記第１のデバイスに送信する段階
を含む、
請求項１６から１８のいずれか１項に記載の方法。
【請求項２０】
前記継続時間情報は、第２のサブフレームにおける制御チャネルに保持され、前記第２のサブフレームは、前記第２の時間リソースにおけるサブフレーム、又は第２のサービングセルにおいて、前記第２の時間リソースにおける最後のサブフレームに対応するサブフレームの少なくとも１つを含む、又は、
前記継続時間情報は、前記第２の時間リソースにおける最後のサブフレームに保持される、又は、
前記継続時間情報は、物理層共通制御チャネルに保持される、
請求項１６から１８のいずれか１項に記載の方法。
【請求項２１】
第１のデバイス及び第２のデバイスを備える無線通信システムであって、
前記第１のデバイスは、請求項１から５のいずれか１項に記載の第１のデバイスであり、前記第２のデバイスは、請求項６から１０のいずれか１項に記載の第２のデバイスである、
無線通信システム。
【請求項２２】
プログラムが記録されたコンピュータ可読記憶媒体であって、前記プログラムは、請求項１０から２０のいずれかに記載の方法をコンピュータに実行させる、コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本発明は、通信分野に関し、具体的には、データ伝送方法、デバイス、及びシステムに関する。
【背景技術】
【０００２】
無線通信ネットワークにおいて、各デバイスは、周波数リソースを用いることによって情報を伝送する必要があり、周波数リソースは、周波数帯と称される。周波数帯は、ライセンス周波数帯とアンライセンス周波数帯とに分類されてよく、アンライセンス周波数帯は、ライセンス不要周波数帯と称される。ライセンス周波数帯は、いくつかの事業者専用周波数リソースであり、ライセンス不要周波数帯は、無線通信ネットワークにおける共通周波数リソースである。通信技術の発展に伴い、無線通信ネットワークにおいて伝送される情報の量はますます増加しており、ライセンス不要周波数帯を用いて情報を伝送することにより、無線通信ネットワークにおけるデータスループットを改善し、より十分にユーザの要件を満たすことができる。
【０００３】
しかしながら、デバイスがライセンス不要周波数帯を先行占有して情報を伝送する場合に、周波数帯を先行占有する時刻はランダムである、すなわち、ライセンス不要周波数帯を用いることによって、デバイスによって情報を送信する開始時刻は、ランダムである。従って、ライセンス不要周波数帯における情報送信の開始時刻が決定不可能なので、受信側は、データを正しく受信することができない。
【発明の概要】
【０００４】
本発明の実施形態は、データ伝送方法、デバイス、及びシステムを提供し、これにより、ライセンス不要周波数帯における情報送信の開始時刻が決定不可能なので、受信側がデータを正しく受信することができないという従来技術の問題を解決する。
【０００５】
前述の目的を実現するために、以下の技術的解決手段が、本発明の実施形態において用いられる。
【０００６】
第１の態様によれば、本発明の実施形態は、第１のデバイスを提供する。デバイスは、
第１の時間リソースにおける第１のサブフレームの予め設定された期間、又は第１の時間リソースにおけるサブフレームの第１の時間セットにおいて、第１のサービングセルの第１の情報を検出するように構成される第１の検出ユニットであって、第１の時間セットは、サブフレームにおける第１の情報の予め規定された開始位置のセットであり、第１の時間セットは、少なくとも２つの要素を含む、第１の検出ユニットと、
第１の検出ユニットによって検出された第１の情報に従って、第２の時間リソースの開始位置を決定するように構成される管理ユニットと、
第２の時間リソースにおけるサブフレームの第２の時間セットにおいて、第１のサービングセルの第２の情報を検出するように構成される第２の検出ユニットであって、第２の時間セットは、サブフレームにおける第２の情報の予め規定された開始位置のセットであり、第１の時間セット及び第２の時間セットは、少なくとも１つの異なる要素を含む、検出ユニットと、
を含む。
【０００７】
第１の態様に関連して、第１の態様の第１の可能な実装方式において、
第１の時間リソースは、第１のサービングセルの閉鎖期を含み、第１のサービングセルの閉鎖期は、第１のサービングセルがアンライセンス周波数帯を先行占有しない期間であり、
第２の時間リソースは、第１のサービングセルの開放期に含まれ、第１のサービングセルの開放期は、第１のサービングセルがアンライセンス周波数帯を占有する期間である。
【０００８】
第１の態様又は第１の態様の第１の可能な実装方式に関連して、第１の態様の第２の可能な実装方式において、
第１の検出ユニットは、第１の情報の後で受信された第３の情報を検出し、検出された第３の情報に従って、第１の情報の開始位置を決定し、第１の時間リソースにおける第１のサブフレームの予め設定された期間、又は第１の時間リソースにおけるサブフレームの第１の時間セットにおいて、第１の情報の開始位置に従って、受信された第１の情報を検出するようにさらに構成される。
【０００９】
第１の態様、又は第１の態様の第１から第２の可能な実装方式のいずれか１つに関連して、第１の態様の第３の可能な実装方式において、
各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。
【００１０】
第１の態様の第３の可能な実装方式におけるいずれかの実装方式に関連して、第１の態様の第４の可能な実装方式において、
フレーム周期は、フレームベース機器ＦＢＥフレーム構造における固定フレーム周期ＦＦＰであり、
第１のサブフレームは、Ｉ  ｍｏｄ  Ｆ＝ｏｆｆｓｅｔの式を満たし、Ｉは、第１のサブフレームのサブフレームインデックスであり、Ｆは、固定フレーム周期ＦＦＰの長さであり、ｏｆｆｓｅｔは、偏移量である。
【００１１】
第１の態様、又は第１の態様の第１から第２の可能な実装方式のいずれか１つに関連して、第１の態様の第５の可能な実装方式において、
各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【００１２】
第１の態様、又は第１の態様の第１から第５の可能な実装方式のいずれか１つに関連して、第１の態様の第６の可能な実装方式において、
第１の時間セットは、サブフレームにおいて、少なくとも１つの直交周波数分割多重ＯＦＤＭシンボルの開始時刻を含む、又は、
第１の時間セットは、サブフレームにおいて、少なくとも１／ＴのＯＦＤＭシンボルの開始時刻を含み、Ｔは、０より大きい整数である。
【００１３】
第１の態様、又は第１の態様の第１から第６の可能な実装方式のいずれか１つに関連して、第１の態様の第７の可能な実装方式において、
第１の時間セットは、サブフレームにおいて、第（ｋ＋ｘ）のＯＦＤＭシンボルの開始位置を含み、
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【００１４】
第１の態様、又は第１の態様の第１から第７の可能な実装方式のいずれか１つに関連して、第１の態様の第８の可能な実装方式において、
第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【００１５】
第１の態様、又は第１の態様の第１から第８の可能な実装方式のいずれか１つに関連して、第１の態様の第９の可能な実装方式において、
第１のデバイスは、継続時間情報を検出するように構成される第３の検出ユニットをさらに含み、
管理ユニットは、第３の検出ユニットによって検出された継続時間情報に従って、第２の時間リソースの終了時刻を決定するようにさらに構成される。
【００１６】
第１の態様の第９の可能な実装方式に関連して、第１の態様の第１０の可能な実装方式において、
継続時間情報は、第１の長さについての情報を含み、第１の長さは、第２の時間リソースにおける最後のサブフレームの長さである。
【００１７】
第１の態様の第９の可能な実装方式又は第１の態様の第１０の可能な実装方式に関連して、第１の態様の第１１の可能な実装方式において、
第１のデバイスは、第１のサービングセルの少なくとも２つの継続時間情報を検出し、
管理ユニットは、検出された最後の継続時間情報に従って、第２の時間リソースの終了時刻を決定するようにさらに構成される。
【００１８】
第１の態様の第９の可能な実装方式又は第１の態様の第１０の可能な実装方式に関連して、第１の態様の第１２の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００１９】
第１の態様の第９の可能な実装方式又は第１の態様の第１０の可能な実装方式に関連して、第１の態様の第１３の可能な実装方式において、
継続時間情報は、第２の時間リソースにおける最後のサブフレームに保持される。
【００２０】
第１の態様の第９の可能な実装方式から第１の態様の第１３の可能な実装方式のいずれかの実装方式に関連して、第１の態様の第１４の可能な実装方式において、
継続時間情報は、物理層共通制御チャネルに保持される。
【００２１】
第２の態様によれば、本発明の実施形態は、第２のデバイスを提供する。デバイスは、
第１の時間リソースにおける第１のサブフレームの予め設定された期間、又は第１の時間リソースにおけるサブフレームの第１の時間セットにおいて、第１のサービングセルの第１の情報を送信する開始位置を決定するように構成される管理ユニットであって、第１の時間セットは、サブフレームにおける第１の情報の予め規定された開始位置のセットであり、第１の時間セットは、少なくとも２つの要素を含む、管理ユニットと、
第１の情報を第１のデバイスに送信するように構成される送信ユニットと、
を含み、
管理ユニットは、第１の情報に従って、第２の時間リソースの開始位置を決定し、第２の時間リソースにおけるサブフレームの第２の時間セットにおいて、第１のサービングセルの第２の情報を送信する開始位置を決定するようにさらに構成され、第２の時間セットは、サブフレームにおける第２の情報の予め規定された開始位置のセットであり、第１の時間セット及び第２の時間セットは、少なくとも１つの異なる要素を含み、
送信ユニットは、第２の情報を第１のデバイスに送信するようにさらに構成される。
【００２２】
第２の態様に関連して、第２の態様の第１の可能な実装方式において、
第１の時間リソースは、第１のサービングセルの閉鎖期を含み、第１のサービングセルの閉鎖期は、第１のサービングセルがアンライセンス周波数帯を先行占有しない期間であり、
第２の時間リソースは、第１のサービングセルの開放期に含まれ、第１のサービングセルの開放期は、第１のサービングセルがアンライセンス周波数帯を占有する期間である。
【００２３】
第２の態様又は第２の態様の第１の可能な実装方式に関連して、第２の態様の第２の可能な実装方式において、
送信ユニットは、第３の情報を第１のデバイスに送信するようにさらに構成され、第３の情報は、第１の情報の開始位置を示すために用いられる。
【００２４】
第２の態様、又は第２の態様の第１から第２の可能な実装方式のいずれか１つに関連して、第２の態様の第３の可能な実装方式において、
各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。
【００２５】
第２の態様の第３の可能な実装方式におけるいずれかの実装方式に関連して、第２の態様の第４の可能な実装方式において、
フレーム周期は、フレームベース機器ＦＢＥフレーム構造における固定フレーム周期ＦＦＰであり、
第１のサブフレームは、Ｉ  ｍｏｄ  Ｆ＝ｏｆｆｓｅｔの式を満たし、Ｉは、第１のサブフレームのサブフレームインデックスであり、Ｆは、固定フレーム周期ＦＦＰの長さであり、ｏｆｆｓｅｔは、偏移量である。
【００２６】
第２の態様、又は第２の態様の第１から第２の可能な実装方式のいずれか１つに関連して、第２の態様の第５の可能な実装方式において、
各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【００２７】
第２の態様、又は第２の態様の第１から第５の可能な実装方式のいずれか１つに関連して、第２の態様の第６の可能な実装方式において、
第１の時間セットは、サブフレームにおいて、少なくとも１つの直交周波数分割多重ＯＦＤＭシンボルの開始時刻を含む、又は、
第１の時間セットは、サブフレームにおいて、少なくとも１／ＴのＯＦＤＭシンボルの開始時刻を含み、Ｔは、０より大きい整数である。
【００２８】
第２の態様、又は第２の態様の第１から第６の可能な実装方式のいずれか１つに関連して、第２の態様の第７の可能な実装方式において、
第１の時間セットは、サブフレームにおいて、第（ｋ＋ｘ）のＯＦＤＭシンボルの開始位置を含み、
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【００２９】
第２の態様、又は第２の態様の第１から第７の可能な実装方式のいずれか１つに関連して、第２の態様の第８の可能な実装方式において、
第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【００３０】
第２の態様、又は第２の態様の第１から第８の可能な実装方式のいずれか１つに関連して、第２の態様の第９の可能な実装方式において、
管理ユニットは、第２の時間リソースの終了時刻を決定するようにさらに構成され、
送信ユニットは、継続時間情報を第１のデバイスに送信するようにさらに構成され、継続時間情報は、継続時間情報の開始時刻から第２の時間リソースの終了時刻までの時間長を示すために用いられる。
【００３１】
第２の態様の第９の可能な実装方式に関連して、第２の態様の第１０の可能な実装方式において、
継続時間情報は、第１の長さについての情報を含み、第１の長さは、第２の時間リソースにおける最後のサブフレームの長さである。
【００３２】
第２の態様の第９の可能な実装方式又は第２の態様の第１０の可能な実装方式に関連して、第２の態様の第１１の可能な実装方式において、
送信ユニットは、第１のサービングセルの少なくとも２つの継続時間情報を第１のデバイスに送信するようにさらに構成される。
【００３３】
第２の態様の第９の可能な実装方式又は第２の態様の第１０の可能な実装方式に関連して、第２の態様の第１２の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００３４】
第２の態様の第９の可能な実装方式又は第２の態様の第１０の可能な実装方式に関連して、第２の態様の第１３の可能な実装方式において、
継続時間情報は、第２の時間リソースにおける最後のサブフレームに保持される。
【００３５】
第２の態様の第９の可能な実装方式から第２の態様の第１３の可能な実装方式のいずれかの実装方式に関連して、第２の態様の第１４の可能な実装方式において、
継続時間情報は、物理層共通制御チャネルに保持される。
【００３６】
第３の態様によれば、本発明の実施形態は、第１のデバイスを提供する。デバイスは、
継続時間情報を検出するように構成される検出ユニットと、
検出ユニットによって検出された継続時間情報に従って、第２の時間リソースの終了時刻を決定するように構成される管理ユニットと、
を含む。
【００３７】
第３の態様に関連して、第３の態様の第１の可能な実装方式において、
第２の時間リソースは、第１のサービングセルの開放期に含まれ、第１のサービングセルの開放期は、第１のサービングセルがアンライセンス周波数帯を占有する期間である。
【００３８】
第３の態様又は第３の態様の第１の可能な実装方式に関連して、第３の態様の第２の可能な実装方式において、
継続時間情報は、第１の長さについての情報を含み、第１の長さは、第２の時間リソースにおける最後のサブフレームの長さである。
【００３９】
第３の態様、又は第３の態様の第１から第２の可能な実装方式のいずれか１つに関連して、第３の態様の第３の可能な実装方式において、
第１のデバイスは、第１のサービングセルの少なくとも２つの継続時間情報を検出し、
管理ユニットは、検出された最後の継続時間情報に従って、第２の時間リソースの終了時刻を決定するようにさらに構成される。
【００４０】
第３の態様、又は第３の態様の第１から第２の可能な実装方式のいずれか１つに関連して、第３の態様の第４の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００４１】
第３の態様、又は第３の態様の第１から第２の可能な実装方式のいずれか１つに関連して、第３の態様の第５の可能な実装方式において、
継続時間情報は、第２の時間リソースにおける最後のサブフレームに保持される。
【００４２】
第３の態様、又は第３の態様の第１から第５の可能な実装方式のいずれか１つに関連して、第３の態様の第６の可能な実装方式において、
継続時間情報は、物理層共通制御チャネルに保持される。
【００４３】
第４の態様によれば、本発明の実施形態は、第２のデバイスを提供する。デバイスは、
第２の時間リソースの終了時刻を決定するように構成される管理ユニットと、
継続時間情報を第１のデバイスに送信するように構成される送信ユニットであって、継続時間情報は、継続時間情報の開始時刻から第２の時間リソースの終了時刻までの時間長を示すために用いられる、送信ユニットと、
を含む。
【００４４】
第４の態様に関連して、第４の態様の第１の可能な実装方式において、
第２の時間リソースは、第１のサービングセルの開放期に含まれ、第１のサービングセルの開放期は、第１のサービングセルがアンライセンス周波数帯を占有する期間である。
【００４５】
第４の態様又は第４の態様の第１の可能な実装方式に関連して、第４の態様の第２の可能な実装方式において、
継続時間情報は、第１の長さについての情報を含み、第１の長さは、第２の時間リソースにおける最後のサブフレームの長さである。
【００４６】
第４の態様、又は第４の態様の第１から第２の可能な実装方式のいずれか１つに関連して、第４の態様の第３の可能な実装方式において、
送信ユニットは、第１のサービングセルの少なくとも２つの継続時間情報を第１のデバイスに送信するようにさらに構成される。
【００４７】
第４の態様、又は第４の態様の第１から第２の可能な実装方式のいずれか１つに関連して、第４の態様の第４の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００４８】
第４の態様、又は第４の態様の第１から第２の可能な実装方式のいずれか１つに関連して、第４の態様の第５の可能な実装方式において、
継続時間情報は、第２の時間リソースにおける最後のサブフレームに保持される。
【００４９】
第４の態様、又は第４の態様の第１から第５の可能な実装方式のいずれか１つに関連して、第４の態様の第６の可能な実装方式において、
継続時間情報は、物理層共通制御チャネルに保持される。
【００５０】
第５の態様によれば、本発明の実施形態は、データ伝送方法を提供する。方法は、
第１のデバイスによって、第１の時間リソースにおける第１のサブフレームの予め設定された期間、又は第１の時間リソースにおけるサブフレームの第１の時間セットにおいて、第１のサービングセルの第１の情報を検出する段階であって、第１の時間セットは、サブフレームにおける第１の情報の予め規定された開始位置のセットであり、第１の時間セットは、少なくとも２つの要素を含む、段階と、
第１のデバイスによって、第１の情報に従って、第２の時間リソースの開始位置を決定する段階と、
第１のデバイスによって、第２の時間リソースにおけるサブフレームの第２の時間セットにおいて、第１のサービングセルの第２の情報を検出する段階であって、第２の時間セットは、サブフレームにおける第２の情報の予め規定された開始位置のセットであり、第１の時間セット及び第２の時間セットは、少なくとも１つの異なる要素を含む、段階と、
を含む。
【００５１】
第５の態様に関連して、第５の態様の第１の可能な実装方式において、
第１の時間リソースは、第１のサービングセルの閉鎖期を含み、第１のサービングセルの閉鎖期は、第１のサービングセルがアンライセンス周波数帯を先行占有しない期間であり、
第２の時間リソースは、第１のサービングセルの開放期に含まれ、第１のサービングセルの開放期は、第１のサービングセルがアンライセンス周波数帯を占有する期間である。
【００５２】
第５の態様又は第５の態様の第１の可能な実装方式に関連して、第５の態様の第２の可能な実装方式において、
第１のデバイスによって、第１の時間リソースにおける第１のサブフレームの予め設定された期間、又は第１の時間リソースにおけるサブフレームの第１の時間セットにおいて、第１のサービングセルの第１の情報を検出する段階は、
第１のデバイスによって、第３の情報を検出し、検出された第３の情報に従って、第１の情報の開始位置を決定する段階であって、第３の情報は、第１の情報の後で受信される、段階と、
第１のデバイスによって、第１の時間リソースにおける第１のサブフレームの予め設定された期間、又は第１の時間リソースにおけるサブフレームの第１の時間セットにおいて、第１の情報の開始位置に従って、受信された第１の情報を検出する段階と、
を含む。
【００５３】
第５の態様、又は第５の態様の第１から第２の可能な実装方式のいずれか１つに関連して、第５の態様の第３の可能な実装方式において、
各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。
【００５４】
第５の態様の第３の可能な実装方式におけるいずれかの実装方式に関連して、第５の態様の第４の可能な実装方式において、
フレーム周期は、フレームベース機器ＦＢＥフレーム構造における固定フレーム周期ＦＦＰであり、
第１のサブフレームは、Ｉ  ｍｏｄ  Ｆ＝ｏｆｆｓｅｔの式を満たし、Ｉは、第１のサブフレームのサブフレームインデックスであり、Ｆは、固定フレーム周期ＦＦＰの長さであり、ｏｆｆｓｅｔは、偏移量である。
【００５５】
第５の態様、又は第５の態様の第１から第２の可能な実装方式のいずれか１つに関連して、第５の態様の第５の可能な実装方式において、
各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【００５６】
第５の態様、又は第５の態様の第１から第５の可能な実装方式のいずれか１つに関連して、第５の態様の第６の可能な実装方式において、
第１の時間セットは、サブフレームにおいて、少なくとも１つの直交周波数分割多重ＯＦＤＭシンボルの開始時刻を含む、又は、
第１の時間セットは、サブフレームにおいて、少なくとも１／ＴのＯＦＤＭシンボルの開始時刻を含み、Ｔは、０より大きい整数である。
【００５７】
第５の態様、又は第５の態様の第１から第６の可能な実装方式のいずれか１つに関連して、第５の態様の第７の可能な実装方式において、
第１の時間セットは、サブフレームにおいて、第（ｋ＋ｘ）のＯＦＤＭシンボルの開始位置を含み、
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【００５８】
第５の態様、又は第５の態様の第１から第７の可能な実装方式のいずれか１つに関連して、第５の態様の第８の可能な実装方式において、
第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【００５９】
第５の態様、又は第５の態様の第１から第８の可能な実装方式のいずれか１つに関連して、第５の態様の第９の可能な実装方式において、方法は、
第１のデバイスによって、継続時間情報を検出する段階と、
第１のデバイスによって、継続時間情報に従って、第２の時間リソースの終了時刻を決定する段階と、
をさらに含む。
【００６０】
第５の態様の第９の可能な実装方式に関連して、第５の態様の第１０の可能な実装方式において、
継続時間情報は、第１の長さについての情報を含み、第１の長さは、第２の時間リソースにおける最後のサブフレームの長さである。
【００６１】
第５の態様の第９の可能な実装方式又は第５の態様の第１０の可能な実装方式に関連して、第５の態様の第１１の可能な実装方式において、方法は、
第１のデバイスによって、第１のサービングセルの少なくとも２つの継続時間情報を検出する段階
をさらに含み、
第１のデバイスによって、継続時間情報に従って、第２の時間リソースの終了時刻を決定する段階は、
第１のデバイスによって、検出された最後の継続時間情報に従って、第２の時間リソースの終了時刻を決定する段階
を含む。
【００６２】
第５の態様の第９の可能な実装方式又は第５の態様の第１０の可能な実装方式に関連して、第５の態様の第１２の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００６３】
第５の態様の第９の可能な実装方式又は第５の態様の第１０の可能な実装方式に関連して、第５の態様の第１３の可能な実装方式において、
継続時間情報は、第２の時間リソースにおける最後のサブフレームに保持される。
【００６４】
第５の態様の第９の可能な実装方式から第５の態様の第１３の可能な実装方式のいずれかの実装方式に関連して、第５の態様の第１４の可能な実装方式において、
継続時間情報は、物理層共通制御チャネルに保持される。
【００６５】
第６の態様によれば、本発明の実施形態は、データ伝送方法を提供する。方法は、
第２のデバイスによって、第１の時間リソースにおける第１のサブフレームの予め設定された期間、又は第１の時間リソースにおけるサブフレームの第１の時間セットにおいて、第１のサービングセルの第１の情報を送信する開始位置を決定し、第１の情報を第１のデバイスに送信する段階であって、第１の時間セットは、サブフレームにおける第１の情報の予め規定された開始位置のセットであり、第１の時間セットは、少なくとも２つの要素を含む、段階と、
第２のデバイスによって、第１の情報に従って、第２の時間リソースの開始位置を決定する段階と、
第２のデバイスによって、第２の時間リソースにおけるサブフレームの第２の時間セットにおいて、第１のサービングセルの第２の情報を送信する開始位置を決定し、第２の情報を第１のデバイスに送信する段階であって、第２の時間セットは、サブフレームにおける第２の情報の予め規定された開始位置のセットであり、第１の時間セット及び第２の時間セットは、少なくとも１つの異なる要素を含む、段階と、
を含む。
【００６６】
第６の態様に関連して、第６の態様の第１の可能な実装方式において、
第１の時間リソースは、第１のサービングセルの閉鎖期を含み、第１のサービングセルの閉鎖期は、第１のサービングセルがアンライセンス周波数帯を先行占有しない期間であり、
第２の時間リソースは、第１のサービングセルの開放期に含まれ、第１のサービングセルの開放期は、第１のサービングセルがアンライセンス周波数帯を占有する期間である。
【００６７】
第６の態様又は第６の態様の第１の可能な実装方式に関連して、第６の態様の第２の可能な実装方式において、
第２のデバイスによって、第１のサービングセルの第１の情報を第１のデバイスに送信する段階の後で、方法は、
第２のデバイスによって、第３の情報を第１のデバイスに送信する段階であって、第３の情報は、第１の情報の開始位置を示すために用いられる、段階
をさらに含む。
【００６８】
第６の態様、又は第６の態様の第１から第２の可能な実装方式のいずれか１つに関連して、第６の態様の第３の可能な実装方式において、
各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。
【００６９】
第６の態様の第３の可能な実装方式におけるいずれかの実装方式に関連して、第６の態様の第４の可能な実装方式において、
フレーム周期は、フレームベース機器ＦＢＥフレーム構造における固定フレーム周期ＦＦＰであり、
第１のサブフレームは、Ｉ  ｍｏｄ  Ｆ＝ｏｆｆｓｅｔの式を満たし、Ｉは、第１のサブフレームのサブフレームインデックスであり、Ｆは、固定フレーム周期ＦＦＰの長さであり、ｏｆｆｓｅｔは、偏移量である。
【００７０】
第６の態様、又は第６の態様の第１から第２の可能な実装方式のいずれか１つに関連して、第６の態様の第５の可能な実装方式において、
各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【００７１】
第６の態様、又は第６の態様の第１から第５の可能な実装方式のいずれか１つに関連して、第６の態様の第６の可能な実装方式において、
第１の時間セットは、サブフレームにおいて、少なくとも１つの直交周波数分割多重ＯＦＤＭシンボルの開始時刻を含む、又は、
第１の時間セットは、サブフレームにおいて、少なくとも１／ＴのＯＦＤＭシンボルの開始時刻を含み、Ｔは、０より大きい整数である。
【００７２】
第６の態様、又は第６の態様の第１から第６の可能な実装方式のいずれか１つに関連して、第６の態様の第７の可能な実装方式において、
第１の時間セットは、サブフレームにおいて、第（ｋ＋ｘ）のＯＦＤＭシンボルの開始位置を含み、
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【００７３】
第６の態様、又は第６の態様の第１から第７の可能な実装方式のいずれか１つに関連して、第６の態様の第８の可能な実装方式において、
第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【００７４】
第６の態様、又は第６の態様の第１から第８の可能な実装方式のいずれか１つに関連して、第６の態様の第９の可能な実装方式において、方法は、
第２のデバイスによって、第２の時間リソースの終了時刻を決定する段階と、
第２のデバイスによって、継続時間情報を第１のデバイスに送信する段階であって、継続時間情報は、継続時間情報の開始時刻から第２の時間リソースの終了時刻までの時間長を示すために用いられる、段階と、
をさらに含む。
【００７５】
第６の態様の第９の可能な実装方式に関連して、第６の態様の第１０の可能な実装方式において、
継続時間情報は、第１の長さについての情報を含み、第１の長さは、第２の時間リソースにおける最後のサブフレームの長さである。
【００７６】
第６の態様の第９の可能な実装方式又は第６の態様第１０の可能な実装方式に関連して、第６の態様の第１１の可能な実装方式において、
第２のデバイスによって、第１のサービングセルの継続時間情報を第１のデバイスに送信する段階は、
第２のデバイスによって、第１のサービングセルの少なくとも２つの継続時間情報を第１のデバイスに送信する段階
を含む。
【００７７】
第６の態様の第９の可能な実装方式又は第６の態様の第１０の可能な実装方式に関連して、第６の態様の第１２の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００７８】
第６の態様の第９の可能な実装方式又は第６の態様の第１０の可能な実装方式に関連して、第６の態様の第１３の可能な実装方式において、
継続時間情報は、第２の時間リソースにおける最後のサブフレームに保持される。
【００７９】
第６の態様の第９の可能な実装方式から第６の態様の第１３の可能な実装方式のいずれかの実装方式に関連して、第６の態様の第１４の可能な実装方式において、
継続時間情報は、物理層共通制御チャネルに保持される。
【００８０】
第７の態様によれば、本発明の実施形態は、データ伝送方法を提供する。方法は、
第１のデバイスによって、継続時間情報を検出する段階と、
第１のデバイスによって、継続時間情報に従って、第２の時間リソースの終了時刻を決定する段階と、
を含む。
【００８１】
第７の態様に関連して、第７の態様の第１の可能な実装方式において、
第２の時間リソースは、第１のサービングセルの開放期に含まれ、第１のサービングセルの開放期は、第１のサービングセルがアンライセンス周波数帯を占有する期間である。
【００８２】
第７の態様又は第７の態様の第１の可能な実装方式に関連して、第７の態様の第２の可能な実装方式において、
継続時間情報は、第１の長さについての情報を含み、第１の長さは、第２の時間リソースにおける最後のサブフレームの長さである。
【００８３】
第７の態様、又は第７の態様の第１から第２の可能な実装方式のいずれか１つに関連して、第７の態様の第３の可能な実装方式において、方法は、
第１のデバイスによって、第１のサービングセルの少なくとも２つの継続時間情報を検出する段階
をさらに含み、
第１のデバイスによって、継続時間情報に従って、第２の時間リソースの終了時刻を決定する段階は、
第１のデバイスによって、検出された最後の継続時間情報に従って、第２の時間リソースの終了時刻を決定する段階
を含む。
【００８４】
第７の態様、又は第７の態様の第１から第２の可能な実装方式のいずれか１つに関連して、第７の態様の第４の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００８５】
第７の態様、又は第７の態様の第１から第２の可能な実装方式のいずれか１つに関連して、第７の態様の第５の可能な実装方式において、
継続時間情報は、第２の時間リソースにおける最後のサブフレームに保持される。
【００８６】
第７の態様、又は第７の態様の第１から第５の可能な実装方式のいずれか１つに関連して、第７の態様の第６の可能な実装方式において、
継続時間情報は、物理層共通制御チャネルに保持される。
【００８７】
第８の態様によれば、本発明の実施形態は、データ伝送方法を提供する。方法は、
第２のデバイスによって、第２の時間リソースの終了時刻を決定する段階と、
第２のデバイスによって、継続時間情報を第１のデバイスに送信する段階であって、継続時間情報は、継続時間情報の開始時刻から第２の時間リソースの終了時刻までの時間長を示すために用いられる、段階と、
を含む。
【００８８】
第８の態様に関連して、第８の態様の第１の可能な実装方式において、
第２の時間リソースは、第１のサービングセルの開放期に含まれ、第１のサービングセルの開放期は、第１のサービングセルがアンライセンス周波数帯を占有する期間である。
【００８９】
第８の態様又は第８の態様の第１の可能な実装方式に関連して、第８の態様の第２の可能な実装方式において、
継続時間情報は、第１の長さについての情報を含み、第１の長さは、第２の時間リソースにおける最後のサブフレームの長さである。
【００９０】
第８の態様、又は第８の態様の第１から第２の可能な実装方式のいずれか１つに関連して、第８の態様の第３の可能な実装方式において、
第２のデバイスによって、第１のサービングセルの継続時間情報を第１のデバイスに送信する段階は、
第２のデバイスによって、第１のサービングセルの少なくとも２つの継続時間情報を第１のデバイスに送信する段階
を含む。
【００９１】
第８の態様、又は第８の態様の第１から第２の可能な実装方式のいずれか１つに関連して、第８の態様の第４の可能な実装方式において、
継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【００９２】
第８の態様、又は第８の態様の第１から第２の可能な実装方式のいずれか１つに関連して、第８の態様の第５の可能な実装方式において、
継続時間情報は、第２の時間リソースにおける最後のサブフレームに保持される。
【００９３】
第８の態様、又は第８の態様の第１から第５の可能な実装方式のいずれか１つに関連して、第８の態様の第６の可能な実装方式において、
継続時間情報は、物理層共通制御チャネルに保持される。
【００９４】
第９の態様によれば、本発明の実施形態は、第１のデバイス及び第２のデバイスを含む無線通信システムを提供し、
第１のデバイスは、第１の態様又は第１の態様のいずれかの可能な実装方式における第１のデバイスであり、第２のデバイスは、第２の態様又は第２の態様のいずれかの可能な実装方式における第２のデバイスである。
【００９５】
第１０の態様によれば、本発明の実施形態は、第１のデバイス及び第２のデバイスを含む無線通信システムを提供し、
第１のデバイスは、第３の態様又は第３の態様のいずれかの可能な実装方式における第１のデバイスであり、第２のデバイスは、第４の態様又は第４の態様のいずれかの可能な実装方式における第２のデバイスである。
【００９６】
本発明の実施形態において提供されるデータ伝送方法、デバイス、及びシステムによれば、第１のデバイスは、第１の時間リソースにおける第１のサブフレームの予め設定された期間、又は第１の時間リソースにおけるサブフレームの第１の時間セットにおいて、第１のサービングセルの第１の情報を検出し、第１の情報に従って、第２の時間リソースの開始位置を決定し、第２の時間リソースにおけるサブフレームの第２の時間セットにおいて、第１のサービングセルの第２の情報を検出する。これにより、ライセンス不要周波数帯における情報送信の開始時刻が決定不可能なので、受信側がデータを正しく受信することができないという従来技術の問題が解決される。
【図面の簡単な説明】
【００９７】
本発明の実施形態又は従来技術における技術的解決手段をより明確に説明すべく、以下、実施形態の説明に必要な添付図面を簡潔に説明する。以下の説明における添付図面は、本発明のいくつかの実施形態を示しているに過ぎず、当業者であれば、創造的努力なく、これらの添付図面から他の図面をさらに導出し得ることは明らかである。
【００９８】
【図１】本発明の実施形態に係るデータ伝送方法の模式的フローチャートである。
【００９９】
【図２】本発明の実施形態に係る送信された第１の情報のリソースマッピングの模式図である。
【０１００】
【図３】本発明の実施形態に係る送信された第１の情報のリソースマッピングの他の模式図である。
【０１０１】
【図４】本発明の実施形態に係る第１の情報のフレーム構造の模式図である。
【０１０２】
【図５】本発明の他の実施形態に係るデータ伝送方法の模式的フローチャートである。
【０１０３】
【図６】本発明の実施形態に係る他のデータ伝送方法の模式的フローチャートである。
【０１０４】
【図７】本発明の他の実施形態に係る他のデータ伝送方法の模式的フローチャートである。
【０１０５】
【図８】本発明の実施形態に係る第１のデバイスの模式的構造図である。
【０１０６】
【図９】本発明の実施形態に係る第２のデバイスの模式的構造図である。
【０１０７】
【図１０】本発明の他の実施形態に係る第１のデバイスの模式的構造図である。
【０１０８】
【図１１】本発明の他の実施形態に係る第２のデバイスの模式的構造図である。
【０１０９】
【図１２】本発明の実施形態に係る他の第１のデバイスの模式的構造図である。
【０１１０】
【図１３】本発明の実施形態に係る他の第２のデバイスの模式的構造図である。
【０１１１】
【図１４】本発明の他の実施形態に係る他の第１のデバイスの模式的構造図である。
【０１１２】
【図１５】本発明の他の実施形態に係る他の第２のデバイスの模式的構造図である。
【０１１３】
【図１６】本発明の実施形態に係る無線通信システムの模式的構造図である。
【０１１４】
【図１７】本発明の実施形態に係る他の無線通信システムの模式的構造図である。
【発明を実施するための形態】
【０１１５】
以下、本発明の実施形態における添付図面に関連して、本発明の実施形態における技術的解決手段を明確かつ十分に説明する。説明される実施形態は、本発明の実施形態の一部に過ぎず、全てではないことは明らかである。本発明の実施形態に基づいて、当業者によって創造的努力なく取得された全ての他の実施形態は、本発明の保護範囲に属するものとする。
【０１１６】
本発明の実施形態における技術的解決手段は、様々な通信システム、例えば、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、ジェネラルパケットラジオサービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、又はワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭａｘ）通信システムに適用され得ることを理解されたい。具体的には、技術的解決手段は、ライセンス周波数帯リソース補助アクセスのＬＴＥシステム、すなわち、ライセンス補助アクセスＬＴＥシステム（Ｌｉｃｅｎｓｅｄ−Ａｓｓｉｓｔｅｄ  Ａｃｃｅｓｓ，  ＬＴＥ）システムにおいて用いられる。ＬＡＡ−ＬＴＥシステムは、ライセンス周波数帯リソース及びライセンス不要周波数帯リソースがキャリアアグリゲーション（Ｃａｒｒｉｅｒ  Ａｇｇｒｅｇａｔｉｏｎ、ＣＡ）方式又は非ＣＡ方式において共に用いられるＬＴＥシステムを指す。
【０１１７】
例えば、主な適用シナリオにおいて、ライセンス周波数帯リソース及びライセンス不要周波数帯リソースは、ＣＡ方式で用いられる、すなわち、ライセンス周波数帯リソース、又はライセンス周波数帯リソースに含まれるキャリア、又はライセンス周波数帯リソースにおいて動作するセルが、プライマリサービングセルとして用いられ、ライセンス不要周波数帯リソース、又はライセンス不要周波数帯リソースに含まれるキャリア、又はライセンス不要周波数帯リソースにおいて動作するセルが、セカンダリサービングセルとして用いられる。さらに、プライマリサービングセル及びセカンダリサービングセルは、同じ基地局に対して配置され、又は、異なる基地局に対して配置される。プライマリサービングセルとセカンダリサービングセルとの間に、理想のバックホール経路が存在する。
【０１１８】
本発明の実施形態は、ＣＡ方式のシナリオにおいて用いられることに限定されるものではなく、他のシナリオにおいて用いられてよい。例えば、ライセンス不要周波数帯リソースにおいて個別に配置されたサービングセルに関して、サービングセルは、個別のアクセスを提供する機能を有し、この場合、ライセンス周波数帯リソースにおいて動作するサービングセルによる補助は、必要とされない。他の例では、２つのサービングセル（例えば、プライマリサービングセル及びセカンダリサービングセル）の間に理想のバックホール経路が存在しないというシナリオにおいて、バックホール遅延が比較的長いので、情報が２つのサービングセルの間で迅速に調整されることができない。
【０１１９】
本発明の実施形態において、ライセンス周波数帯リソース及びライセンス不要周波数帯リソースの両方は、１つ又は複数のキャリアを含んでよく、キャリアアグリゲーションがライセンス周波数帯リソース及びライセンス不要周波数帯リソースにおいて実行される場合、キャリアアグリゲーションは、ライセンス周波数帯リソースに含まれる１つ又は複数のキャリア、及びライセンス不要周波数帯リソースに含まれる１つ又は複数のキャリアにおいて実行される。
【０１２０】
本発明の実施形態において、第１のデバイス又は第２のデバイスは、限定されるものではないが、ユーザ機器（英語での正式名称：Ｕｓｅｒ  Ｅｑｕｉｐｍｅｎｔ、英語での頭字語：ＵＥ）、移動局（英語での正式名称：Ｍｏｂｉｌｅ  Ｓｔａｔｉｏｎ、英語での頭字語：ＭＳ）、モバイル端末（Ｍｏｂｉｌｅ  Ｔｅｒｍｉｎａｌ）、携帯電話（Ｍｏｂｉｌｅ  Ｔｅｌｅｐｈｏｎｅ）、ハンドセット（ｈａｎｄｓｅｔ）、ポータブル機器（ｐｏｒｔａｂｌｅ  ｅｑｕｉｐｍｅｎｔ）等を含むことを理解されたい。ユーザ機器は、無線アクセスネットワーク（英語での正式名称：Ｒａｄｉｏ  Ａｃｃｅｓｓ  Ｎｅｔｗｏｒｋ、英語での頭字語：ＲＡＮ）を用いることによって、１つ又は複数のコアネットワークと通信を行ってよい。例えば、ユーザ機器は、携帯電話（又は「セルラ」フォンと称される）、又は無線通信機能を有するコンピュータであってよく、又は、ユーザ機器は、ポータブル、ポケットサイズ、ハンドヘルドのビルトインコンピュータ、又は車載型の移動体装置であってよい。ユーザ機器は、中継（Ｒｅｌａｙ）デバイスであってよく、本発明において限定は課されないことに留意されたい。
【０１２１】
本発明の実施形態において、第１のデバイスは、ユーザ機器であってよく、第２のデバイスは、ＧＳＭ（登録商標）もしくはＣＤＭＡにおけるベーストランシーバ基地局（英語での正式名称：Ｂａｓｅ  Ｔｒａｎｓｃｅｉｖｅｒ  Ｓｔａｔｉｏｎ、英語での頭字語：ＢＴＳ）、ＷＣＤＭＡ（登録商標）におけるＮｏｄｅＢ（ＮｏｄｅＢ）、又はＬＴＥにおける進化型ＮｏｄｅＢ（英語での正式名称：ｅｖｏｌｖｅｄ  ＮｏｄｅＢ、英語での頭字語：ｅＮＢもしくはｅ−ＮｏｄｅＢ）であってよいが、これは、本発明の実施形態において限定されるものではない。
【０１２２】
本発明の実施形態において記録されるセルは、基地局に対応するセルであってよい。セルは、マクロ基地局に属してよく、又は、スモールセル（英語：Ｓｍａｌｌ  Ｃｅｌｌ）に対応する基地局のようなマイクロ基地局に属してよい。本明細書におけるスモールセルは、メトロセル（英語：Ｍｅｔｒｏ  Ｃｅｌｌ）、マイクロセル（英語：Ｍｉｃｏ  Ｃｅｌｌ）、ピコセル（英語：Ｐｉｃｏ  Ｃｅｌｌ）、フェムトセル（英語：Ｆｅｍｔｏ  Ｃｅｌｌ）等をさらに含んでよい。これらのスモールセルは、小さいカバレッジ及び低伝送電力を有し、高速データ伝送サービスの提供に適用可能である。
【０１２３】
本発明の実施形態において、キャリア及びセルの概念は、ＬＴＥシステムにおいて等しい。例えば、ＵＥのキャリアへのアクセスは、ＵＥのセルへのアクセスに等しく、セルの概念は、本発明において、説明のために用いられる。
【０１２４】
本発明の実施形態において、「第１」及び「第２」は、区別のために用いられているに過ぎず、本発明の実施形態における限定と解されるものではないことを理解されたい。
【０１２５】
本発明の実施形態は、データ伝送方法を提供する。図１を参照すると、データ伝送方法は、以下の段階を含む。
【０１２６】
１０１．第１のデバイスは、第１の時間リソースにおける第１のサブフレームの予め設定された期間、又は第１の時間リソースにおけるサブフレームの第１の時間セットにおいて、第１のサービングセルの第１の情報を検出する。
【０１２７】
第１の時間セットは、サブフレームにおける第１の情報の予め規定された開始位置のセットであり、第１の時間セットは、少なくとも２つの要素を含み、第１の情報は、第２の時間リソースの開始位置を示すために用いられる。本明細書において、サブフレームにおける第１の情報の予め規定された開始位置は、サブフレームにおける第１の情報の可能な開始位置であるが、これは、予め規定するオペレーションが存在することを意味するものではないことに留意されたい。さらに、第１のデバイスが、第１の時間リソースにおける第１のサブフレームの予め設定された期間、又は第１の時間リソースにおけるサブフレームの第１の時間セットにおいて、第１のサービングセルの第１の情報を検出することは、第１のデバイスが、第１のサブフレームの予め設定された期間全体又は第１の時間セット全体において、第１の情報を検出することを意味するものではなく、第１の情報の開始位置が、第１のサブフレームの予め設定された期間又はサブフレームの第１の時間セットに位置することを意味するに過ぎない。
【０１２８】
任意選択的に、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。好ましくは、本実施形態において提供されるデータ伝送方法は、第１のサービングセルを閉鎖期から開放期へと切り替える時刻を決定するために用いられてよい。
【０１２９】
好ましくは、第１のサービングセルは、ライセンス不要周波数帯におけるセルである。第１の情報は、参照信号、ＰＤＳＣＨ（Ｐｈｙｓｉｃａｌ  Ｄｏｗｎｌｉｎｋ  Ｓｈａｒｅｄ  Ｃｈａｎｎｅｌ、物理ダウンリンク共有チャネル）、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）、又はＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、拡張物理ダウンリンク制御チャネル）に保持されてよい。さらに、任意選択的に、参照信号は、限定されるものではないが、プライマリ同期信号（Ｐｒｉｍａｒｙ  Ｓｙｎｃｈｒｏｎｉｚａｔｉｏｎ  Ｓｉｇｎａｌ、ＰＳＳ）、セカンダリ同期信号（Ｓｅｃｏｎｄａｒｙ  Ｓｙｎｃｈｒｏｎｉｚａｔｉｏｎ  Ｓｉｇｎａｌ、ＳＳＳ）、セル固有参照信号（Ｃｅｌｌ−ｓｐｅｃｉｆｉｃ  Ｒｅｆｅｒｅｎｃｅ  Ｓｉｇｎａｌ、ＣＲＳ）、拡張物理ダウンリンク共有チャネル（Ｅｎｈａｎｃｅｄ  Ｐｈｙｓｉｃａｌ  Ｄｏｗｎｌｉｎｋ  Ｓｈａｒｅｄ  Ｃｈａｎｎｅｌ、ＥＰＤＳＣＨ）のデータ復調に用いられるＵＥ固有参照信号（ＵＥ−ｓｐｅｃｉｆｉｃ  Ｒｅｆｅｒｅｎｃｅ  Ｓｉｇｎａｌ）、拡張物理ダウンリンク制御チャネルＥＰＤＣＣＨの復調に用いられる復調参照信号（Ｄｅｍｏｄｕｌａｔｉｏｎ  Ｒｅｆｅｒｅｎｃｅ  Ｓｉｇｎａｌ、ＤＭ−ＲＳ）、測位参照信号（Ｐｏｓｉｔｉｏｎｉｎｇ  Ｒｅｆｅｒｅｎｃｅ  Ｓｉｇｎａｌ、ＰＲＳ）、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）、及び発見参照信号（Ｄｉｓｃｏｖｅｒｙ  Ｒｅｆｅｒｅｎｃｅ  Ｓｉｇｎａｌ、ＤＲＳ）を含む。
【０１３０】
第１のデバイスが第１のサービングセルの第１の情報を検出し、第１の情報が第２の時間リソースの開始位置を示すために用いられる方式において、第１のデバイスは、第１のサービングセルの第１の情報の存在を検出し、第１のサービングセル又は第１のサービングセルが属する基地局がアンライセンス周波数帯を先行占有するか否かを決定する。第１の情報が検出された場合に、これは、第１のサービングセル又は第１のサービングセルが属する基地局が、アンライセンス周波数帯を先行占有することを示す。この場合、第１のサービングセルは、第２の時間リソースの開始位置を決定してよく、第２の時間リソースは、第１のサービングセルがアンライセンス周波数帯を占有する期間に含まれる。この場合、第１の情報が参照信号に保持される場合に、参照信号は、第１の情報を含んでよい。例えば、第１の情報が、第１のサービングセルのセルアイデンティティを保持する参照信号によって表される場合に、第１のデバイスは、参照信号の存在を検出し、第１の情報が存在するか否かを決定してよい。参照信号が検出された場合、これは、第１のデバイスが、ライセンス不要周波数帯リソースを先行占有することを示してよい。さらに、第１のデバイスは、第２の時間リソースの開始位置を決定してよい。他の態様において、第１の情報がＰＤＣＣＨ又はＥＰＤＣＣＨのような制御チャネルに保持される場合、制御チャネルに保持されるダウンリンク制御情報（Ｄｏｗｎｌｉｎｋ  Ｃｏｎｔｒｏｌ  Ｉｎｆｏｒｍａｔｉｏｎ、ＤＣＩ）は、第１の情報を含んでよい。第１のデバイスは、ＤＣＩの存在を検出し、第１のサービングセルがアンライセンス周波数帯を先行占有するか否かを決定する。さらに、第１の情報を保持する制御チャネルは、第１の情報を保持してよいが、他の情報を保持せず、第１の情報又は第１の情報を保持する制御チャネルがマッピングされる周波数リソースの周波数リソース位置は、予め規定される。例えば、第１の情報を保持する制御チャネルは、時間において、１つだけのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）シンボルを占有し、周波数リソースにおける固定リソース要素（Ｒｅｓｏｕｒｃｅ  Ｅｌｅｍｅｎｔ、ＲＥ）にマッピングされてよく、これにより、第１のデバイスによる検出の複雑さを単純化する。
【０１３１】
第１のデバイスが第１のサービングセルの第１の情報を検出し、第１の情報が第２の時間リソースの開始位置を示すために用いられる他の方式において、第１の情報は、第２の時間リソースの開始位置の識別子を保持する。第１のデバイスは、第１のサービングセルの第１の情報を検出し、第１の情報によって示されるコンテンツを決定し、第２の時間リソースの開始位置を直接決定する。第２の時間リソースは、第１のサービングセルがアンライセンス周波数帯を占有する期間に含まれる。この場合、第１の情報が参照信号に保持される場合に、第２の時間リソースの異なる開始位置は、異なる参照信号を形成することによって示されてよい。異なる参照信号は、参照信号を形成する異なるシーケンス、周波数リソースにおける、参照信号によって占有される異なる周波数リソース、又は時間における、参照信号の異なる時間リソースの少なくとも１つを含んでよい。参照信号がＰＳＳである例において、ＰＳＳを形成するシーケンスは、４つの異なる形式をとってよく、従って、第２の時間リソースの４つの異なる開始位置が表されてよい。第１の情報が制御チャネルに保持される場合に、例えば、第１の情報は、制御チャネルに保持されるＤＣＩであり、ＤＣＩによって示される異なるコンテンツが、第２の時間リソースの異なる開始位置を決定するために用いられてよい。
【０１３２】
具体的には、任意選択的に、第１の適用シナリオにおいて、ＬＢＥ（Ｌｏａｄ  Ｂａｓｅｄ  Ｅｑｕｉｐｍｅｎｔ、負荷ベース機器）の例では、第１のデバイスは、第１の時間リソースにおけるサブフレームの第１の時間セットにおいて、第１のサービングセルの第１の情報を検出する。勿論、本明細書における説明は例示に過ぎず、本発明は、これに限定されるものではない。
【０１３３】
任意選択的に、第１の時間セットは、サブフレームにおいて、少なくとも１つのＯＦＤＭシンボルの開始時刻を含む、又は、第１の時間セットは、サブフレームにおいて、少なくとも１／ＴのＯＦＤＭシンボルの開始時刻を含み、Ｔは、０より大きい整数である。本発明の本実施形態において、サブフレームにおける第１の情報の予め規定された開始位置が説明される場合に、ＯＦＤＭシンボルの開始時刻は、ＯＦＤＭシンボルのインデックスと１対１の対応であり、さらに、ＯＦＤＭシンボルと１対１の対応であってよいことに留意されたい。例えば、ＯＦＤＭシンボルが標準サイクリックプリフィクスを用いる場合に、サブフレームにおいて、第１のＯＦＤＭシンボルの開始時刻は、第１のＯＦＤＭシンボル又はシンボルインデックスが０のＯＦＤＭシンボルとして理解されてよく、第２のＯＦＤＭシンボルの開始時刻は、第２のＯＦＤＭシンボル又はシンボルインデックスが１であるＯＦＤＭシンボルとして理解されてよく、…、第１４のＯＦＤＭシンボルの開始時刻は、第１４のＯＦＤＭシンボル又はシンボルインデックスが１３のＯＦＤＭシンボルとして理解されてよい。ＯＦＤＭシンボルが拡張サイクリックプリフィクスを用いる場合、説明は同様であり、詳細は本明細書において説明されない。同様に、１／ＴのＯＦＤＭシンボルの開始時刻は、１／ＴのＯＦＤＭシンボルと１対１の対応、又は１／ＴのＯＦＤＭシンボルのインデックスと１対１の対応であってよい。
【０１３４】
好ましくは、第１の時間セットは、サブフレームにおいて、第（ｋ＋ｘ）のＯＦＤＭシンボルの開始位置を含み、ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０１３５】
例えば、ＬＴＥシステムにおける時分割複信（Ｔｉｍｅ  Ｄｉｖｉｓｉｏｎ  Ｄｕｐｌｅｘｉｎｇ、ＴＤＤ）システムにおいて、ダウンリンクパイロットタイムスロット（Ｄｏｗｎｌｉｎｋ  Ｐｉｌｏｔ  Ｔｉｍｅ−Ｓｌｏｔ、ＤｗＰＴＳ）が、未完了サブフレームのデータ伝送をサポートしてよい。ＯＦＤＭシンボルが標準サイクリックプリフィクス（Ｎｏｒｍａｌ  Ｃｙｃｌｉｃ  Ｐｒｅｆｉｘ、ＮＣＰ）を用いる場合、ＤｗＰＴＳに含まれるＯＦＤＭシンボルの数は、３、６、９、１０、１１、又は１２であってよい。第１の情報を含むサブフレームにおいて、サブフレームのいくつかのＯＦＤＭシンボルが伝送されるので、この場合、対応するｋの値は、１２、９、６、５、４、又は３であってよい。図２に示されるように、ＤｗＰＴＳに含まれるＯＦＤＭシンボルの数が１２の場合、ｋの値は、３であってよい。ＯＦＤＭシンボルが拡張サイクリックプリフィクス（Ｅｘｔｅｎｄｅｄ  Ｃｙｃｌｉｃ  Ｐｒｅｆｉｘ、ＥＣＰ）を用いる場合、ＤｗＰＴＳに含まれるＯＦＤＭシンボルの数は、３、５、８、９、又は１０であってよく、この場合、対応するｋの値は、１０、８、５、４、又は３であってよい。このように、既存のＴＤＤシステムにおけるＤｗＰＴＳの構造が用いられ、レートマッチングを実装し、ＵＥ側における処理の複雑さ及びｅＮＢによる処理の複雑さを減少させる。
【０１３６】
本明細書において、ＤｗＰＴＳに含まれるＯＦＤＭシンボルは、図２又は図３に示される２つの方式で、ＰＲＢ（Ｐｈｙｓｉｃａｌ  Ｒｅｓｏｕｒｃｅ  Ｂｌｏｃｋ、物理リソースブロック）にマッピングされてよいことに留意されたい。図２において、ＤｗＰＴＳに含まれるＯＦＤＭシンボルの数は１２であり、第１の情報の開始位置は、ＤｗＰＴＳの開始境界として用いられ、最後の２つのＯＦＤＭシンボルは、破棄される。あるいは、図３に示される例によれば、第３のＯＦＤＭシンボルの開始時刻は、第１の情報の送信開始時刻として用いられてよく、最初の２つのＯＦＤＭシンボルは、破棄される。本発明は、どのようにＯＦＤＭシンボルをマッピングするかについては限定を課さない。
【０１３７】
さらに、ｘのＯＦＤＭシンボルに対応するプリアンブル信号又は初期信号（ｉｎｉｔｉａｌ  ｓｉｇｎａｌｓ）（本発明の本実施形態において、参照信号は、プリアンブル信号又は初期信号として理解されてよい）は、第１の情報に含まれてよい。プリアンブル信号又は初期信号の機能は、第１のサービングセルとＵＥとの間における粗同期の実装、第１のサービングセルとＵＥとの間における密同期の実装、第１のサービングセルが属する基地局の事業者情報の保持、第１のサービングセルのセル特定情報の保持、自動利得制御（Ａｕｔｏ  Ｇａｉｎ  Ｃｏｎｔｒｏｌ、ＡＧＣ）、プリアンブルシーケンスの検出による、第１のサービングセルがライセンス不要周波数帯リソースを先行占有したとの決定、プリアンブル信号の利用によるチャネル状態情報（Ｃｈａｎｎｅｌ  Ｓｔａｔｅ  Ｉｎｆｏｒｍａｔｉｏｎ、ＣＳＩ）測定の実装等を含んでよい。プリアンブルシーケンスのシーケンス形式は、限定されるものではないが、一定振幅ゼロ自己相関（英語：Ｃｏｎｓｔａｎｔ  Ａｍｐｌｉｔｕｄｅ  Ｚｅｒｏ  Ａｕｔｏ−Ｃｏｒｒｅｌａｔｉｏｎ、頭字語：ＣＡＺＡＣ）シーケンス、２進シーケンス、ｍシーケンス、疑似ランダムシーケンス、ＬＴＥシステムにおいて参照信号を形成するシーケンス、又はＺＣ（Ｚａｄｏｆｆ−Ｃｈｕ）シーケンスというシーケンス形式を含んでよい。あるいは、プリアンブルシーケンスは、既存のＬＴＥシステムにおいて、参照信号から直接取得されてよく、又は、既存のＬＴＥシステムにおいて、参照信号を適切に変更することによって取得されてよい。既存のＬＴＥシステムにおける参照信号は前述の内容に示され、詳細は本明細書において説明されない。例えば、ライセンス不要周波数帯リソースの利用は、帯域幅によって制限され、送信は、時間的に連続して実行される必要があるので、既存のＬＴＥシステムにおける参照信号のマッピングは、適切に変更されてよい。本発明の本実施形態において、第１の情報を送信する位置は、少数のＯＦＤＭシンボルの境界であってよいことに留意されたい。第１の情報を送信する位置が少数のＯＦＤＭシンボルの境界である場合に、ＵＥは、少数のＯＦＤＭシンボルに保持される第１の情報を検出してよく、又は検出しなくてよい。従って、ＵＥの観点から、サブフレームにおける第１の情報の予め設定された位置は、ＯＦＤＭシンボルの境界からなおも開始してよい。
【０１３８】
あるいは、任意選択的に、第２の適用シナリオにおいて、ＦＢＥ（Ｆｒａｍｅ  Ｂａｓｅｄ  Ｅｑｕｉｐｍｅｎｔ、フレームベース機器）の例では、第１のデバイスは、第１の時間リソースにおける第１のサブフレームの予め設定された期間において、第１のサービングセルの第１の情報を検出する。勿論、本明細書における説明は例示に過ぎず、本発明は、これに限定されるものではない。
【０１３９】
具体的には、任意選択的に、第１のサブフレームは、各フレーム周期における１番目のサブフレームであり、予め設定された期間は、第１のサブフレームにおいて、少なくとも１つのＯＦＤＭシンボルを含み、フレーム周期は、少なくとも２つのサブフレームを含む。以下、説明のために、２つの具体的なフレーム構造を列挙する。勿論、本明細書における説明は例示に過ぎず、本発明は、これに限定されるものではない。図４を参照する。
【０１４０】
図４を参照すると、第１のフレーム構造において、フレーム周期は、ＦＢＥフレーム構造におけるＦＦＰ（Ｆｉｘｅｄ  Ｆｒａｍｅ  Ｐｅｒｉｏｄ、固定フレーム周期）である。第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。サブフレームインデックスＩは、無線フレームインデックス及びタイムスロットインデックスを用いることによって決定されてよく、サブフレームインデックスＩは、Ｉ＝１０＊ｎｆ＋ｎｓの式に従って決定されてよい。ここで、ｎｆは、無線フレームインデックスを表し、ｎｆの値は、ＬＴＥシステムにおいて、０から１０２３の任意の整数であり、ｎｓは、タイムスロットインデックス番号を表し、ｎｓの値は、ＬＴＥシステムにおいて、０から１９の任意の整数である。ＦＦＰの長さＦ及び偏移量偏移量は、予め構成されてよく、規格によって規定されてよく、又は、シグナリングを用いることによって、第１のデバイスに報知されてよい。シグナリングは、物理層シグナリング、無線リソース制御（Ｒａｄｉｏ  Ｒｅｓｏｕｒｃｅ  Ｃｏｎｔｒｏｌ、ＲＲＣ）シグナリング等であってよい。例えば、Ｆ＝１０かつｏｆｆｓｅｔ＝５の場合、サブフレームインデックスが＃５、＃１５、…のサブフレームが、式を用いることによって、第１のサブフレームとして決定されてよい。
【０１４１】
図４の第１のフレーム構造において、例えば、フレーム周期は、３つのサブフレームを含み、アイドル周期は、３つのサブフレームの最後のサブフレームに位置する。第１のデバイスは、各フレーム周期における１番目のサブフレームの予め設定された期間において、第１の情報を検出してよく、サブフレームインデックスが式を満たすサブフレームは、第１のサブフレームである。これにより、第１のサブフレームが、式を用いることによって決定されることができる。第１のフレーム構造に関して、１番目のサブフレームの予め設定された期間は、１番目のサブフレームに含まれるＯＦＤＭシンボルの境界であってよい、又は、ＯＦＤＭシンボルとして理解されてよい。例えば、第１の情報は、ダウンリンク制御情報（Ｄｏｗｎｌｉｎｋ  Ｃｏｎｔｒｏｌ  Ｉｎｆｏｒｍａｔｉｏｎ、ＤＣＩ）に含まれてよく、ＰＤＣＣＨ又はＥＰＤＣＣＨを用いることによって保持される。第１の情報がＰＤＣＣＨを用いることによって保持される場合に、１番目のサブフレームの予め設定された期間は、１番目のサブフレームにおいて、第１の情報を保持するＰＤＣＣＨを送信する開始時間位置から、ＰＤＣＣＨを送信する終了時間位置までの任意の時刻を含んでよい。例えば、第１の情報を保持するＰＤＣＣＨが１つのＯＦＤＭシンボルのみによって占有され、占有されたＯＦＤＭシンボルが、１番目のサブフレームにおける第１のＯＦＤＭシンボルである場合に、１番目のサブフレームの予め設定された期間は、１番目のサブフレームにおける第１のＯＦＤＭシンボルを含む。第１の情報を保持するＰＤＣＣＨがＭのＯＦＤＭシンボルを占有する場合に、１番目のサブフレームの予め設定された期間は、１番目のサブフレームにおける第１のＯＦＤＭシンボルから第ＭのＯＦＤＭシンボルまでの、任意の１つ又は複数のＯＦＤＭシンボルを含む、又は、１番目のサブフレームの予め設定された期間は、１番目のサブフレームにおける第１のＯＦＤＭシンボルであってよい（この場合、第１のデバイスは、第１の情報の存在を検出開始する、又は、第１の情報のコンテンツを、１番目のサブフレームにおける第１のＯＦＤＭシンボルから検出開始する）。
【０１４２】
第２のフレーム構造において、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。サブフレームインデックスは、前述の内容に示され、詳細は本明細書において説明されない。前述の式におけるＸ及びｏｆｆｓｅｔは、予め構成されてよく、規格によって規定されてよく、又は、シグナリングを用いることによって、ＵＥに報知されてよい。シグナリングは物理層シグナリング、又はＲＲＣシグナリングであってよい。図４に示されるように、第２のフレーム構造において、サブフレーム長の時間リソース及びアイドル周期が、小周期として用いられ、１つのアイドル周期は、１つのＯＦＤＭシンボルを占有してよい。図４において、例えば、フレーム周期は、１５のサブフレームを含み、各小周期の長さは、サブフレーム長（１ｍｓ）及びアイドル周期の長さの合計である。各サブフレームにおける、第１の情報の開始位置が位置するＯＦＤＭシンボルは、式を用いることによって、ｍを算出することによって決定されてよい。すなわち、各サブフレームにおける、第１のデバイスが第１の情報を検出開始するＯＦＤＭシンボルが、決定されてよい。本発明の本実施形態において、第１の情報の予め規定された開始位置は、第１の情報の潜在的な開始位置又は可能な開始位置を含んでよいことに留意されたい。例えば、第２のフレーム構造に関して、前述の式に従って、Ｘ＝１５かつｏｆｆｓｅｔ＝０と仮定すると、サブフレームインデックスが＃０のサブフレームは、完全なサブフレームに対応し、ＵＥは、サブフレームの開始位置、すなわち、シンボルインデックスが０のＯＦＤＭシンボルから、第１の情報を検出開始してよい。サブフレーム＃１に対応する検出位置は、サブフレーム＃１に含まれる、シンボルインデックスが＃１のＯＦＤＭシンボルから開始し、…、サブフレーム＃１４に関しては、前述の式に従って算出されることにより、ｍ＝１４が取得される。しかしながら、標準サイクリックプリフィクスを用いるサブフレームに関しては、最大で１４のＯＦＤＭシンボルがサブフレームに含まれ、シンボルインデックスが１４のＯＦＤＭシンボルは存在しない。従って、サブフレーム＃１４に関しては、これは、このサブフレームにおいて、第１の情報を検出する必要がないことを示す。
【０１４３】
例えば、アイドル周期の長さが２つのＯＦＤＭシンボルである場合に、前述の式におけるＸは、８（１４／２＋１）に等しく、シンボルインデックスｍの値は、０、２、４、…、又は１４であり、ｍ＝１４を満たす、サブフレームインデックスがＩである第１のサブフレームは、予め設定された期間を含まない。すなわち、第１のサブフレームにおいて第１の情報を検出する必要がない。
【０１４４】
概して、第２のフレーム構造に関しては、予め設定された期間における最初のＯＦＤＭシンボルのインデックスｍは、Ｉ  ｍｏｄ  Ｘ＝ｏｆｆｓｅｔ＋ｍの式を満たす。ここで、Ｉは、第１のサブフレームのサブフレームインデックスであり、Ｘは、サブフレーム周期の長さであり、Ｘ＝１４／ｋ＋１、ｍ＝ｋ＊ｊであり、ｊは、０からＸ−１の整数であり、ｋは、アイドル周期によって占有されるＯＦＤＭシンボルの数である。好ましくは、ｋの値は１又は２であり、ｏｆｆｓｅｔは、偏移量である。サブフレームがサイクリックプリフィクスを用いる場合、前述の式は、Ｘ＝１２／ｋ＋１であってよい。式において、Ｘ、ｏｆｆｓｅｔ、及びｋの値は、事前構成、規格の規定、物理層シグナリング、又はＲＲＣシグナリングにより決定されてよいことに留意されたい。前述の式を用いることによって決定されたｍが、１つの完全なサブフレーム（１ミリ秒）に含まれるＯＦＤＭシンボルの最大インデックスより大きい場合（例えば、サブフレームが標準サイクリックプリフィクスを用いる場合、最大インデックスは１３であり、サブフレームが拡張サイクリックプリフィクスを用いる場合、最大インデックスは１２である）、対応する第１のサブフレームにおいて第１の情報を検出する必要がない。本発明の本実施形態において、ｍｏｄは、モジュロ演算を表す。
【０１４５】
異なるキャリアに関しては、異なる検知メカニズムが用いられてよく、又は、同じキャリアの異なる期間に関しては、異なる検知メカニズムが用いられてよい。異なる期間が、全て、同じキャリアの閉鎖期に位置してよい（これは、キャリアにおいてオペレーションを実行し得るサービングセルがキャリアのリソースを先行占有しない場合に対応する）、又は、全て、同じキャリアの開放期に位置してよい（これは、キャリアにおいてオペレーションを実行し得るサービングセルがキャリアのリソースを先行占有する場合に対応する）。第１のサービングセルの検知メカニズムは、フレームベース機器ＦＢＥの検知メカニズム又は負荷ベース機器ＬＢＥの検知メカニズムの少なくとも１つを含んでよい。複数のサービングセルが存在する場合、第１のサービングセルの検知メカニズムは、他のセルのものと異なってよく、又は、第１のサービングセルが複数のキャリアを含む場合、異なる検知メカニズムが、キャリアに用いられてよい。このように、基地局が、第１のデバイスに利用可能な全てのキャリアにおいてＬＢＥを用いる場合、第１のデバイスによる検出の複雑さは、第１のデバイスに利用可能な全てのキャリアの数に正比例する。他の態様において、基地局が第１のデバイスに利用可能な全てのキャリアにおいてＦＢＥを用い、ライセンス不要周波数帯リソースを先行占有する場合、第１のデバイスに利用可能な全てのキャリアにおいて、基地局によってライセンス不要周波数帯リソースを争う機能は、比較的低く、特に、ＷｉＦｉ（登録商標）（Ｗｉｒｅｌｅｓｓ  Ｆｉｄｅｌｉｔｙ、ワイヤレスフィディリティ）デバイスのような、そのキャリアにおいて動作する多数の他のＲＡＴ（Ｒａｄｉｏ  Ａｃｃｅｓｓ  Ｔｅｃｈｎｏｌｏｇｙ、無線アクセス技術）デバイスが存在する場合に、顕著である。従って、第１のデバイスは、各キャリアにおいて動作する他のＲＡＴデバイス（例えば、ＷｉＦｉ（登録商標）デバイス）の数、又は各キャリアの負荷レベルを検出し、異なる検知メカニズムが異なるキャリアに用いられると決定してよい。例えば、サービス負荷が重いキャリア、又は多数の他のＲＡＴデバイス（例えば、ＷｉＦｉ（登録商標））が動作するキャリアに対して、基地局は、キャリアにおいてＬＢＥを用い、先行占有の機会を拡大してよい。サービス負荷が軽いキャリア、又は少数の他のＲＡＴデバイス（例えば、ＷｉＦｉ（登録商標））が動作するキャリアに対して、基地局は、キャリアにおいてＦＢＥを用い、ＵＥによる検出の複雑さを軽減してよい。本明細書において、ＵＥに利用可能な全てのキャリアの数は、ＵＥによって同時にスケジューリング可能なキャリアの数より大きい。
【０１４６】
さらに、任意選択的に、ＬＢＥシナリオのような第１の適用シナリオ、又はＦＢＥシナリオのような第２の適用シナリオに関わらず、第１のデバイスは、最初にキャッシュし、次に検出することによって、第１の情報を検出してよい。
【０１４７】
具体的には第１のデバイスは、第３の情報を検出してよい。ここで、第３の情報は、第１の情報の開始位置を示すために用いられる。第１のデバイスは、検出された第３の情報に従って、第１の情報の開始位置を決定し、第３の情報は、第１の情報の後で受信される。第１のデバイスは、第１の時間リソースにおける第１のサブフレームの予め設定された期間、又は第１の時間リソースにおけるサブフレームの第１の時間セットにおいて、第１の情報の開始位置に従って、受信された第１の情報を検出する。
【０１４８】
すなわち、第１のデバイスは、最初に、第１の情報を受信した後で、第１の情報をバッファし、次に、第３の情報を受信した後で、第３の情報によって示される第１の情報の開始位置情報に従って、第１の情報を検出する。第３の情報は第１の情報の開始位置を示すので、第１のデバイスによるブラインド検出が回避され、第１のデバイスの電力消費が減少する。
【０１４９】
任意選択的に、第３の情報は、第１のサービングセル又は第２のサービングセルに保持されてよく、第２のサービングセルの周波数は、第１のサービングセルのものと異なる。好ましくは、第２のサービングセルは、ライセンス周波数帯におけるセルである。
【０１５０】
第３の情報は、ＰＤＣＣＨ又はＥＰＤＣＣＨに保持されてよい。第３の情報が第１の情報の開始位置を示すことは、第１のデバイスが第３の情報を検出した場合に、これは、第１のサービングセルの第１の情報が存在することを示し、第１のサービングセルがアンライセンス周波数帯のリソースを先行占有することを示し得ることを含んでよいことが理解されよう。この場合、第１の情報は、ＰＤＳＣＨに保持されてよい。本発明の本実施形態において、ＰＤＳＣＨの時間長は、サブフレームの長さに従って決定されてよく、ダウンリンクデータ伝送に用いられてよい。ここで、サブフレームは、第１の情報を含み、第１のサービングセルの開放期に位置する。
【０１５１】
第３の情報が第１の情報の開始位置を示すために用いられる場合に、第１の情報の予め規定された開始位置は、サブフレームにおける任意のＯＦＤＭシンボルであってよい、又は、サブフレームにおける１つ又は複数の規定されたＯＦＤＭシンボルであってよいことが理解されよう。この場合、予め規定するオペレーションは、実行されなくてよい。
【０１５２】
１０２．第１のデバイスは、第１の情報に従って、第２の時間リソースの開始位置を決定する。
【０１５３】
任意選択的に、第２の時間リソースの開始位置は、第１の情報の開始位置であってよい、又は、第２の時間リソースの開始位置は、第１の情報の開始位置に続く第ｎのデータ伝送単位の開始時刻であってよい。ここで、ｎは、正の整数であり、データ伝送単位は、１／ＴのＯＦＤＭシンボルであり、Ｔは、０より大きい整数である。好ましくは、データ伝送単位がサブフレームである場合、第２の時間リソースの開始位置は、第１の情報の開始位置に続く１番目のサブフレームの開始時刻であってよく、又は、第１の情報の開始時刻は、第２の時間リソースの開始位置として用いられてよい。
【０１５４】
任意選択的に、段階１０１に関連して、第２の時間リソースが第１のサービングセルの開放期である例において、第１のデバイスが第１の情報を検出した場合、これは、第１のサービングセルがライセンス不要周波数帯を先行占有したことを示し、第１のデバイスは、第１の情報に従って、第２の時間リソースの開始位置をさらに決定してよい。又は、第１のデバイスが第１の情報を検出しなかった場合、これは、第１のサービングセルがライセンス不要周波数帯を先行占有していないことを示し、第１のデバイスは、検出を実行し続ける必要がある。すなわち、第１のデバイスは、第１の情報の存在を検出し、第１のサービングセルがライセンス不要周波数帯リソースを先行占有したか否かを決定してよい。
【０１５５】
１０３．第１のデバイスは、第２の時間リソースにおけるサブフレームの第２の時間セットにおいて、第１のサービングセルの第２の情報を検出する。
【０１５６】
第２の時間セットは、サブフレームにおける第２の情報の予め規定された開始位置のセットであり、第１の時間セット及び第２の時間セットは、少なくとも１つの異なる要素を含む。
【０１５７】
任意選択的に、第２の情報は、参照信号、ＰＤＳＣＨ、ＰＤＣＣＨ、又はＥＰＤＣＣＨに保持されてよい。好ましくは、第２の情報は、制御チャネル（例えば、ＰＤＣＣＨ又はＥＰＤＣＣＨ）における制御情報に保持されてよい。これに対応して、第２の時間セットに含まれる要素は、サブフレームにおけるＰＤＣＣＨ又はＥＰＤＣＣＨの可能な開始位置であってよい。例えば、ＰＤＣＣＨの開始位置は、サブフレームにおける第１のＯＦＤＭシンボルであってよく、ＥＰＤＣＣＨの開始位置は、サブフレームにおける第２、第３、又は第４のＯＦＤＭシンボルであってよい。
【０１５８】
本発明の本実施形態によれば、具体的には、第１のサービングセルの閉鎖期において、第１のデバイスは、第１のサービングセルにおける特定のサブフレームの開始位置又は各サブフレームにおける各ＯＦＤＭシンボルにおいて、第１の情報を検出し、第１のサービングセルがライセンス不要周波数帯を先行占有し得るか否かを決定してよい。これにより、第１のサービングセルがデータ伝送をランダムに開始する可能な位置を有効に決定し、アンライセンス周波数帯のリソースを有効利用することができる。他の態様において、第１のサービングセルの開放期において、第１のデバイスは、各サブフレームの境界又は規定されたサブフレームにおけるＯＦＤＭシンボルの境界のみにおいて、制御チャネルを検出し、データが第１のデバイスに対してスケジューリングされたか否かを決定してよい。これにより、ＵＥによる検出の複雑さが軽減される。さらに、第１のサービングセルの閉鎖期において、第１のデバイスは、ＤＲＳのみを用いることによって、測定を実行してよい。しかしながら、第１のサービングセルの開放期において、第１のデバイスは、ＤＲＳに加えて、ＣＲＳ又はＣＳＩ−ＲＳのような他の参照信号を用いることによって、測定を実行してよく、測定は、ＲＲＭ測定、ＣＳＩ測定等を含む。
【０１５９】
本発明の本実施形態において提供されるデータ伝送方法によれば、第１のデバイスは、第１の時間リソースにおける第１のサブフレームの予め設定された期間、又は第１の時間リソースにおけるサブフレームの第１の時間セットにおいて、第１のサービングセルの第１の情報を検出し、第１の情報に従って、第２の時間リソースの開始位置を決定し、第２の時間リソースにおけるサブフレームの第２の時間セットにおいて、第１のサービングセルの第２の情報を検出する。これにより、ライセンス不要周波数帯における情報送信の開始時刻が決定不可能なので、受信側がデータを正しく受信することができないという従来技術の問題が解決される。
【０１６０】
図１に対応する前述の実施形態に基づいて、本発明の他の実施形態は、データ伝送方法を提供する。これは、図１に対応する前述の実施形態において説明されたデータ伝送方法における、送信側に対応する。図５を参照すると、データ伝送方法は、以下の段階を含む。
【０１６１】
５０１．第２のデバイスは、第１の時間リソースにおける第１のサブフレームの予め設定された期間、又は第１の時間リソースにおけるサブフレームの第１の時間セットにおいて、第１のサービングセルの第１の情報を送信する開始位置を決定し、第１の情報を第１のデバイスに送信する。
【０１６２】
第１の時間セットは、サブフレームにおける第１の情報の予め規定された開始位置のセットであり、第１の時間セットは、少なくとも２つの要素を含む。任意選択的に、第１の情報は、第２の時間リソースの開始位置を示すために用いられる。これにより、第１のデバイスは、第１の時間リソースにおける第１のサブフレームの予め設定された期間、又は第１の時間リソースにおけるサブフレームの第１の時間セットにおいて、第１の情報を検出する。
【０１６３】
任意選択的に、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。好ましくは、本実施形態において提供されるデータ伝送方法は、第１のサービングセルを閉鎖期から開放期へと切り替える時刻を決定するために用いられてよい。
【０１６４】
好ましくは、第１のサービングセルは、ライセンス不要周波数帯におけるセルである。第１の情報は、参照信号、ＰＤＳＣＨ、ＰＤＣＣＨ、又はＥＰＤＣＣＨに保持されてよい。さらに、任意選択的に、参照信号は、限定されるものではないが、プライマリ同期信号、セカンダリ同期信号、セル固有参照信号、拡張物理ダウンリンク共有チャネルのデータ復調に用いられるＵＥ固有参照信号、拡張物理ダウンリンク制御チャネルＥＰＤＣＣＨの復調に用いられる復調参照信号、測位参照信号、チャネル状態情報参照信号、及び発見参照信号を含む。
【０１６５】
具体的には、任意選択的に、第１の適用シナリオにおいて、ＬＢＥの例では、第１のデバイスは、第１の時間リソースにおけるサブフレームの第１の時間セットにおいて、第１のサービングセルの第１の情報を検出してよい。勿論、本明細書における説明は例示に過ぎず、本発明は、これに限定されるものではない。
【０１６６】
任意選択的に、第１の時間セットは、サブフレームにおいて、少なくとも１つのＯＦＤＭシンボルの開始時刻を含む、又は、
第１の時間セットは、サブフレームにおいて、少なくとも１／ＴのＯＦＤＭシンボルの開始時刻を含み、Ｔは、０より大きい整数である。
【０１６７】
好ましくは、第１の時間セットは、サブフレームにおいて、第（ｋ＋ｘ）のＯＦＤＭシンボルの開始位置を含み、ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０１６８】
あるいは、任意選択的に、第２の適用シナリオにおいて、ＦＢＥの例では、第１のデバイスは、第１の時間リソースにおける第１のサブフレームの第１の予め設定された期間において、第１のサービングセルの第１の情報を検出する。勿論、本明細書における説明は例示に過ぎず、本発明は、これに限定されるものではない。
【０１６９】
具体的には、任意選択的に、第１のサブフレームは、各フレーム周期における１番目のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。以下、説明のために、２つの具体的なフレーム構造を列挙する。勿論、本明細書における説明は例示に過ぎず、本発明は、これに限定されるものではない。
【０１７０】
第１のフレーム構造において、フレーム周期は、ＦＢＥフレーム構造におけるＦＦＰである。第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。
【０１７１】
第２のフレーム構造において、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【０１７２】
異なるキャリアに関しては、異なる検知メカニズムが用いられてよく、又は、同じキャリアの異なる期間に関しては、異なる検知メカニズムが用いられてよい。第１のサービングセルの検知メカニズムは、フレームベース機器ＦＢＥの検知メカニズム又は負荷ベース機器ＬＢＥの検知メカニズムの少なくとも１つを含んでよい。複数のサービングセルが存在する場合、第１のサービングセルの検知メカニズムは、他のセルのものと異なってよく、又は、第１のサービングセルが複数のキャリアを含む場合、異なる検知メカニズムが、キャリアに用いられてよい。
【０１７３】
さらに、任意選択的に、ＬＢＥシナリオのような第１の適用シナリオ又はＦＢＥシナリオのような第２の適用シナリオに関わらず、第１のサービングセルの第１の情報を第１のデバイスに送信した後で、第２のデバイスは、第３の情報を第１のデバイスにさらに送信してよい。ここで、第３の情報は、第１の情報の開始位置を示すために用いられる。このように、第１のデバイスは、最初に、第１の情報をバッファし、第３の情報を受信した後で、第１のデバイスは、第３の情報によって示される第１の情報の開始位置に従って、第１の情報を検出する。
【０１７４】
任意選択的に、第３の情報は、第１のサービングセル又は第２のサービングセルに保持されてよく、第２のサービングセルの周波数は、第１のサービングセルのものと異なる。好ましくは、第２のサービングセルは、ライセンス周波数帯におけるセルである。
【０１７５】
５０２．第２のデバイスは、第１の情報に従って、第２の時間リソースの開始位置を決定する。
【０１７６】
任意選択的に、第２の時間リソースの開始位置は、第１の情報の開始位置であってよい、又は、第２の時間リソースの開始位置は、第１の情報の開始位置に続く第ｎのデータ伝送単位の開始時刻であってよい。ここで、ｎは、正の整数であり、データ伝送単位は、１／ＴのＯＦＤＭシンボルであり、Ｔは、０より大きい整数である。好ましくは、データ伝送単位がサブフレームである場合、第２の時間リソースの開始位置は、第１の情報の開始位置に続く第１のサブフレームの開始時刻であってよく、又は、第１の情報の開始時刻は、第２の時間リソースの開始位置として用いられてよい。
【０１７７】
５０３．第２のデバイスは、第２の時間リソースにおけるサブフレームの第２の時間セットにおいて、第１のサービングセルの第２の情報を送信する開始位置を決定し、第２の情報を第１のデバイスに送信する。
【０１７８】
第２のデバイスは、第２の情報を第１のデバイスに送信する。これにより、第１のデバイスは、第２の時間リソースにおけるサブフレームの第２の時間セットにおいて、第１のサービングセルの第２の情報を検出する。ここで、第２の時間セットは、サブフレームにおける第２の情報の予め規定された開始位置のセットであり、第１の時間セット及び第２の時間セットは、少なくとも１つの異なる要素を含む。
【０１７９】
任意選択的に、第２の情報は、参照信号、ＰＤＳＣＨ、ＰＤＣＣＨ、又はＥＰＤＣＣＨに保持されてよい。好ましくは、第２の情報は、制御情報であってよい。
【０１８０】
本発明の本実施形態において提供されるデータ伝送方法によれば、第２のデバイスは、第１の時間リソースにおける第１のサブフレームの予め設定された期間、又は第１の時間リソースにおけるサブフレームの第１の時間セットにおいて、第１のサービングセルの第１の情報を送信する開始位置を決定し、第１の情報を第１のデバイスに送信し、第１の情報に従って、第２の時間リソースの開始位置を決定し、第２の時間リソースにおけるサブフレームの第２の時間セットにおいて、第１のサービングセルの第２の情報を送信する開始位置を決定し、第２の情報を第１のデバイスに送信する。これにより、第１のデバイスは、第１の情報を検出することによって、第２の時間リソースの開始位置を決定することができる。これにより、ライセンス不要周波数帯における情報送信の開始時刻が決定不可能なので、受信側がデータを正しく受信することができないという従来技術の問題が解決される。
【０１８１】
図１及び図５に対応する前述の実施形態に関連して、図１及び図５に対応する実施形態において説明されるデータ伝送方法は、第２の時間リソースの開始位置を決定するために用いられる。本発明の実施形態は、他のデータ伝送方法を提供する。これは、第２の時間リソースの終了位置を決定するために用いられる。本発明の本実施形態において提供されるデータ伝送方法は、図１に対応する実施形態において説明されるデータ伝送方法の後、すなわち、段階１０３の後で実行されてよい、又は、図１に対応する実施形態において説明されるデータ伝送方法と同時に実行されてよく、本発明において限定は課されない。図６を参照すると、データ伝送方法は、以下の段階を含む。
【０１８２】
６０１．第１のデバイスは、継続時間情報を検出する。
【０１８３】
継続時間情報は、継続時間情報の開始時刻から第２の時間リソースの終了時刻までの時間長を示すために用いられる。任意選択的に、継続時間情報は、第１の長さについての情報を含み、第１の長さは、第２の時間リソースにおける最後のサブフレームの長さである。継続時間情報は、第２のサブフレームにおける制御チャネルに保持されてよく、第２のサブフレームは、第２の時間リソースにおけるサブフレーム、又は第２のサービングセルにおいて、第２の時間リソースにおける最後のサブフレームに対応するサブフレームの少なくとも１つを含み、第２のサブフレームは、第２のサービングセルにおいて、第２の時間リソースにおけるサブフレームに対応するサブフレームをさらに含む。すなわち、継続時間情報は、第２のサービングセルに、クロスキャリアスケジューリング方式で保持されてよい、又は、第１のサービングセルに、セルフキャリアスケジューリング方式で保持されてよい。第２のサービングセルにおいて、第１のサービングセルに対応するサブフレームは、サブフレームインデックスが第１のサービングセルのものと同じサブフレーム、又は固定偏移量を含むサブフレームを含む。
【０１８４】
第２のサービングセルは、ライセンス周波数帯におけるセルであってよい。好ましくは、継続時間情報は、物理層共通制御チャネルに保持される。本明細書において、第２の時間リソースの開始時刻から第２の時間リソースの終了時刻までの時間長は、予め規定されてよい、又は静的に構成されてよいことに留意されたい。従って、継続時間情報が第２の時間リソースの開始位置のみを含んでよいとすると、継続時間情報は、第２の時間リソースの終了時刻を示してよい。時間長は、サブフレームの積算数を用いることによって示されてよい、ＯＦＤＭシンボルの積算数を用いることによって示されてよい、又は、Ｔｓの積算数を用いることによって示される。ここで、Ｔｓは、ＬＴＥシステムにおけるサンプリングレートの逆数である。
【０１８５】
３つの具体的な指示方式が、本実施形態において列挙される。勿論、継続時間情報が継続時間情報の開始時刻から第２の時間リソースの終了時刻までの時間長をどのように示すかを説明するために、本明細書において例が与えられているに過ぎず、これは、本発明がこれに限定されることを意味するものではない。
【０１８６】
方式１：ビットマップ形式が用いられる。例えば、ｍビット（ｂｉｔ）が、ｍの異なる時間長を表すために用いられてよく、異なる時間長は、各ビットを１又は０に設定することによって決定及び示される。時間長単位は、ミリ秒、サブフレーム、又はＯＦＤＭシンボル数のように、予め規定されてよい。時間長がサブフレームである例において、ｍビット「Ｘ１Ｘ２Ｘ３…Ｘｍ」は、左から右に向かって、Ｌ１サブフレーム、Ｌ２サブフレーム、Ｌ３サブフレーム、…、Ｌｍサブフレームをそれぞれ表すと仮定すると、ｍビットにおけるＸ３が１であり、他のビットが０の場合、これは、第１の情報の開始時刻から第２の時間リソースの終了時刻までの時間長がＬ３サブフレームであることを示してよい。
【０１８７】
方式２：２進エンコーディング形式が用いられる。例えば、Ｎビットで表される２進数が、異なる時間長を表すために用いられる。時間長単位は、ミリ秒、サブフレーム、又はＯＦＤＭシンボル数のように、予め規定されてよい。時間長がサブフレームであり、Ｎ＝２である例において、４つの時間長は、４つの２進数：００、０１、１０、及び１１を用いることによって表されてよく、４つの２進数は、それぞれ、４つの時間長：Ｙ１サブフレーム、Ｙ２サブフレーム、Ｙ３サブフレーム、及びＹ４サブフレームに対応する。
【０１８８】
方式３：スペシャルサブフレームに含まれるＤｗＰＴＳを示すための既存の方法が用いられ、第１の長さについての情報は、この方式で示されてよい。時間情報は、スペシャルサブフレームの構成インデックスを含んでよく、第２の時間リソースにおける最後のサブフレームの長さは、構成インデックスと第１の長さとの間における１対１の対応を用いることによって決定されてよい。表１に示されるように、表１は、構成インデックスと第１の長さとの間における対応を示す。
【表１】
2018516480.tif 000021
【０１８９】
好ましくは、第２の時間リソースは、第１のサービングセルの開放期に含まれ、第１のサービングセルの開放期は、第１のサービングセルがアンライセンス周波数帯を占有する期間である。図１に対応する実施形態に関連して、図１に対応する実施形態において説明されるデータ伝送方法は、第１のサービングセルを閉鎖期から開放期に切り替える時刻を決定するために用いられてよく、本実施形態において提供されるデータ伝送方法は、第１のサービングセルを開放期から閉鎖期に切り替える時刻を決定するために用いられてよい。
【０１９０】
６０２．第１のデバイスは、継続時間情報に従って、第２の時間リソースの終了時刻を決定する。
【０１９１】
任意選択的に、第１のデバイスは、第１のサービングセルの少なくとも２つの継続時間情報を検出し、第１のデバイスは、検出された最後の継続時間情報に従って、第２の時間リソースの終了時刻を決定する。例えば、第１のサービングセルの開放期において、継続時間情報は、各サブフレームに含まれる制御チャネルに保持されてよく、継続時間情報の開始時刻を送信する時間長から第２の時間リソースの終了時刻までを示すために用いられる。継続時間情報は、第２の時間リソースの同じ開始時刻又は異なる開始時刻を示してよい。
【０１９２】
あるいは、任意選択的に、継続時間情報は、第２の時間リソースにおける最後のサブフレームに保持され、第１のデバイスは、一度だけ検出を実行する必要がある。この場合、第１のデバイスが継続時間情報を検出する前に、第１のサービングセルは開放期にあり、第１のデバイスは、第１のサービングセルの各サブフレームにおいて制御チャネルをさらに検出し、データが第１のデバイスに対してスケジューリングされたか否かを決定する、又は第１のサービングセルにおいて測定を実行するとみなされてよい。第１のデバイスが継続時間情報を検出した後で、第１のサービングセルは、継続時間情報によって示される時刻の後でライセンス不要周波数帯を解放し、第１のデバイスは、第１のサービングセルにおけるデータスケジューリング情報の検出を停止するとみなされてよい。
【０１９３】
継続時間情報が検出された後で、新たなデータパケットが受信されてよい。結果的に、第２の時間リソースが拡張される、すなわち、第２の時間リソースの終了時刻が遅延される。従って、第２の時間リソースの終了時刻は、検出された最後の継続時間情報に従って決定される、又は、継続時間情報は、第２の時間リソースにおける最後のサブフレームに保持される。これにより、第２の時間リソースの終了時刻の決定の正確さが保証される。
【０１９４】
第１のサービングセルによるデータ送信の準備とデータ送信の実行との間には遅延が存在するので、第２の時間リソースの終了時刻を１回通知するための方法は、リアルタイム性能を有しておらず、ライセンス不要周波数帯における第１のサービングセルの実際の伝送継続時間を正確に反映することができず、これにより、データ伝送効率に影響することに留意されたい。例として、Ｔ３時刻において、サービングセル又はサービングセルが属する基地局によって送信されるデータは、事前に、基地局によって、Ｔ１時刻（上位層におけるデータスケジューリング準備）及びＴ２時刻（物理層におけるデータスケジューリング準備）に準備される。サービングセルは、Ｔ３時刻にライセンス不要周波数帯リソースを先行占有するが、Ｔ３時刻の前はライセンス不要周波数帯リソースを先行占有しないと仮定すると、サービングセル又はＣＡ方式もしくは他の方式でサービングセルと組み合わせられたセルは、Ｔ３時刻に、ライセンス不要周波数帯リソースにおけるサービングセルのデータ伝送継続時間を通知する。基地局による事前のデータ準備機能に関連して、Ｔ３時刻に通知されるデータ伝送継続時間は、サービングセル又はサービングセルが属する基地局によって、Ｔ１時刻に、サービス負荷ステータスに従って決定される。すなわち、データが、サービングセル又はサービングセルが属する基地局側に、Ｔ１時刻とＴ３時刻との間に到着する場合、Ｔ３時刻に通知される実際の伝送継続時間は、Ｔ１時刻からＴ３時刻に到着したデータを含むことができない。従って、ライセンス不要周波数帯リソースは、有効利用されることができず、ライセンス不要周波数帯のデータ伝送効率が影響され、結果的に、ＵＥは、ライセンス不要周波数帯においてサービングセルによってデータを伝送する終了時刻を誤って決定する。本発明の本実施形態において提供される方法によれば、第２の時間リソースの終了時刻は、複数回通知される、又は、最後の回だけ通知され、これにより、第１のサービングセルによるデータ準備とデータ送信との間における遅延に起因する、通知継続時間が不正確であるという問題を緩和する。
【０１９５】
本発明の本実施形態において提供されるデータ伝送方法によれば、第１のデバイスは、継続時間情報の開始時刻から第２の時間リソースの終了時刻までの時間長を示すために用いられる継続時間情報を検出し、継続時間情報に従って、第２の時間リソースの終了時刻を決定する。これにより、ライセンス不要周波数帯において、受信側が情報の送信終了時刻を決定できないために発生する、データ受信エラーという従来技術の問題を解決する。
【０１９６】
図１及び図５に対応する前述の実施形態に関連して、図１及び図５に対応する実施形態において説明されるデータ伝送方法は、第２の時間リソースの開始位置を決定するために用いられる。本発明の他の実施形態は、他のデータ伝送方法を提供する。これは、第２の時間リソースの終了位置を決定するために用いられ、図６に対応する前述の実施形態において説明されるデータ伝送方法における送信側に対応する。本発明の本実施形態において提供されるデータ伝送方法は、図５に対応する実施形態において説明されるデータ伝送方法の後、すなわち、段階５０２の後で実行されてよい、又は、図５に対応する実施形態において説明されるデータ伝送方法と同時に実行されてよく、本発明において限定は課されない。図７を参照すると、データ伝送方法は、以下の段階を含む。
【０１９７】
７０１．第２のデバイスは、第２の時間リソースの終了時刻を決定する。
【０１９８】
７０２．第２のデバイスは、継続時間情報を第１のデバイスに送信する。
【０１９９】
継続時間情報は、継続時間情報の開始時刻から第２の時間リソースの終了時刻までの時間長を示すために用いられ、これにより、第１のデバイスは、継続時間情報に従って、第２の時間リソースの終了時刻を決定する。
【０２００】
任意選択的に、継続時間情報は、第１の長さについての情報を含み、第１の長さは、第２の時間リソースにおける最後のサブフレームの長さである。継続時間情報は、第２のサブフレームにおける制御チャネルに保持されてよく、第２のサブフレームは、第２の時間リソースにおけるサブフレーム、又は第２のサービングセルにおいて、第２の時間リソースにおける最後のサブフレームに対応するサブフレームの少なくとも１つを含み、第２のサービングセルは、ライセンス周波数帯におけるセルであってよい。好ましくは、継続時間情報は、物理層共通制御チャネルに保持される。継続時間情報は、予め規定されてよい、又は半静的に構成されてよいことに留意されたい。
【０２０１】
任意選択的に、第２のデバイスは、少なくとも２つの継続時間情報を第１のデバイスに送信し、第１のデバイスは、検出された最後の継続時間情報に従って、第２の時間リソースの終了時刻を決定してよい。
【０２０２】
あるいは、任意選択的に、第２のデバイスは、継続時間情報を第２の時間リソースにおける最後のサブフレームに付加し、最後のサブフレームを第１のデバイスに送信する。第１のデバイスは、一度検出を実行するだけでよい。
【０２０３】
継続時間情報が検出された後で、第２のデバイスは、新たなデータパケットを第１のデバイスに送信してよく、結果的に、第２の時間リソースが拡張される。すなわち、第２の時間リソースの終了時刻が遅延される。従って、第２の時間リソースの終了時刻は、検出された最後の継続時間情報に従って決定される、又は、継続時間情報は、第２の時間リソースにおける最後のサブフレームに保持される。これにより、第２の時間リソースの終了時刻の決定の正確さが保証される。
【０２０４】
本発明の本実施形態において提供されるデータ伝送方法によれば、第２のデバイスは、第２の時間リソースの終了時刻を決定し、第２のデバイスは、継続時間情報を第１のデバイスに送信する。ここで、継続時間情報は、継続時間情報の開始時刻から第２の時間リソースの終了時刻までの時間長を示すために用いられ、これにより、第１のデバイスは、継続時間情報に従って、第２の時間リソースの終了時刻を決定することができる。これにより、ライセンス不要周波数帯において、受信側が情報の送信終了時刻を決定できないために発生する、データ受信エラーという従来技術の問題を解決する。
【０２０５】
図１に対応する前述の実施形態に基づいて、本発明の実施形態は、図１に対応する前述の実施形態において説明されるデータ伝送方法を実行するように構成される第１のデバイスを提供する。図８を参照すると、第１のデバイス８０は、管理ユニット８０１、第１の検出ユニット８０２、及び第２の検出ユニット８０３を含む。
【０２０６】
第１の検出ユニット８０２は、第１の時間リソースにおける第１のサブフレームの予め設定された期間、又は第１の時間リソースにおけるサブフレームの第１の時間セットにおいて、第１のサービングセルの第１の情報を検出するように構成される。第１の時間セットは、サブフレームにおける第１の情報の予め規定された開始位置のセットであり、第１の時間セットは、少なくとも２つの要素を含む。
【０２０７】
管理ユニット８０１は、第１の検出ユニット８０２によって検出された第１の情報に従って、第２の時間リソースの開始位置を決定するように構成される。
【０２０８】
第２の検出ユニット８０３は、第２の時間リソースにおけるサブフレームの第２の時間セットにおいて、第１のサービングセルの第２の情報を検出するように構成される。ここで、第２の時間セットは、サブフレームにおける第２の情報の予め規定された開始位置のセットであり、第１の時間セット及び第２の時間セットは、少なくとも１つの異なる要素を含む。
【０２０９】
好ましくは、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。
【０２１０】
任意選択的に、第１の検出ユニット８０２は、第１の情報の後で受信された第３の情報を検出し、検出された第３の情報に従って、第１の情報の開始位置を決定し、第１の時間リソースにおける第１のサブフレームの予め設定された期間、又は第１の時間リソースにおけるサブフレームの第１の時間セットにおいて、第１の情報の開始位置に従って、受信された第１の情報を検出するようにさらに構成される。
【０２１１】
任意選択的に、適用シナリオにおいて、各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。さらに、任意選択的に、フレーム周期は、フレームベース機器ＦＢＥフレーム構造における固定フレーム周期ＦＦＰである。
【０２１２】
第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。
【０２１３】
あるいは、任意選択的に、他の適用シナリオにおいて、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【０２１４】
任意選択的に、第１の時間セットは、サブフレームにおいて、少なくとも１つの直交周波数分割多重ＯＦＤＭシンボルの開始時刻を含む、又は、第１の時間セットは、サブフレームにおいて、少なくとも１／ＴのＯＦＤＭシンボルの開始時刻を含み、Ｔは、０より大きい整数である。
【０２１５】
任意選択的に、第１の時間セットは、サブフレームにおいて、第（ｋ＋ｘ）のＯＦＤＭシンボルの開始位置を含む。
【０２１６】
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０２１７】
任意選択的に、第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【０２１８】
さらに、任意選択的に、
第１のデバイス８０は、継続時間情報を検出するように構成される第３の検出ユニット８０４をさらに含む。
【０２１９】
管理ユニット８０１は、第３の検出ユニット８０４によって検出された継続時間情報に従って、第２の時間リソースの終了時刻を決定するようにさらに構成される。
【０２２０】
好ましくは、継続時間情報は、第１の長さについての情報を含み、第１の長さは、第２の時間リソースにおける最後のサブフレームの長さである。
【０２２１】
任意選択的に、第１のデバイス８０は、第１のサービングセルの少なくとも２つの継続時間情報を検出する。
【０２２２】
管理ユニット８０１は、検出された最後の継続時間情報に従って、第２の時間リソースの終了時刻を決定するようにさらに構成される。
【０２２３】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０２２４】
好ましくは、継続時間情報は、第２の時間リソースにおける最後のサブフレームに保持される。継続時間情報は、物理層共通制御チャネルに保持されてよい。
【０２２５】
本発明の本実施形態において提供される第１のデバイスは、第１の時間リソースにおける第１のサブフレームの予め設定された期間、又は第１の時間リソースにおけるサブフレームの第１の時間セットにおいて、第１のサービングセルの第１の情報を検出し、第１の情報に従って、第２の時間リソースの開始位置を決定し、第２の時間リソースにおけるサブフレームの第２の時間セットにおいて、第１のサービングセルの第２の情報を検出する。これにより、ライセンス不要周波数帯における情報送信の開始時刻が決定不可能なので、受信側がデータを正しく受信することができないという従来技術の問題が解決される。
【０２２６】
図５に対応する前述の実施形態に基づいて、本発明の実施形態は、図５に対応する前述の実施形態において説明されるデータ伝送方法を実行するように構成される第２のデバイスを提供する。図９を参照すると、第２のデバイス９０は、管理ユニット９０１及び送信ユニット９０２を含む。
【０２２７】
管理ユニット９０１は、第１の時間リソースにおける第１のサブフレームの予め設定された期間、又は第１の時間リソースにおけるサブフレームの第１の時間セットにおいて、第１のサービングセルの第１の情報を送信する開始位置を決定するように構成される。ここで、第１の時間セットは、サブフレームにおける第１の情報の予め規定された開始位置のセットであり、第１の時間セットは、少なくとも２つの要素を含む。
【０２２８】
送信ユニット９０１は、第１の情報を第１のデバイスに送信するように構成される。
【０２２９】
管理ユニット９０１は、第１の情報に従って、第２の時間リソースの開始位置を決定し、第２の時間リソースにおけるサブフレームの第２の時間セットにおいて、第１のサービングセルの第２の情報を送信する開始位置を決定するようにさらに構成される。ここで、第２の時間セットは、サブフレームにおける第２の情報の予め規定された開始位置のセットであり、第１の時間セット及び第２の時間セットは、少なくとも１つの異なる要素を含む。
【０２３０】
送信ユニット９０１は、第２の情報を第１のデバイスに送信するようにさらに構成される。
【０２３１】
好ましくは、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。
【０２３２】
任意選択的に、送信ユニット９０１は、第３の情報を第１のデバイスに送信するようにさらに構成される。ここで、第３の情報は、第１の情報の開始位置を示すために用いられる。
【０２３３】
任意選択的に、適用シナリオにおいて、各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。さらに、任意選択的に、フレーム周期は、フレームベース機器ＦＢＥフレーム構造における固定フレーム周期ＦＦＰである。
【０２３４】
第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。
【０２３５】
あるいは、任意選択的に、他の適用シナリオにおいて、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【０２３６】
任意選択的に、第１の時間セットは、サブフレームにおいて、少なくとも１つの直交周波数分割多重ＯＦＤＭシンボルの開始時刻を含む、又は、第１の時間セットは、サブフレームにおいて、少なくとも１／ＴのＯＦＤＭシンボルの開始時刻を含み、Ｔは、０より大きい整数である。
【０２３７】
任意選択的に、第１の時間セットは、サブフレームにおいて、第（ｋ＋ｘ）のＯＦＤＭシンボルの開始位置を含む。
【０２３８】
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０２３９】
任意選択的に、第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【０２４０】
さらに、任意選択的に、
管理ユニット９０１は、第２の時間リソースの終了時刻を決定するようにさらに構成される。
【０２４１】
送信ユニット９０１は、継続時間情報を第１のデバイスに送信するようにさらに構成される。ここで、継続時間情報は、継続時間情報の開始時刻から第２の時間リソースの終了時刻までの時間長を示すために用いられる。
【０２４２】
好ましくは、継続時間情報は、第１の長さについての情報を含み、第１の長さは、第２の時間リソースにおける最後のサブフレームの長さである。
【０２４３】
任意選択的に、送信ユニット９０１は、第１のサービングセルの少なくとも２つの継続時間情報を第１のデバイスに送信するようにさらに構成される。
【０２４４】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０２４５】
好ましくは、継続時間情報は、第２の時間リソースにおける最後のサブフレームに保持される。継続時間情報は、物理層共通制御チャネルに保持されてよい。
【０２４６】
本発明の本実施形態において提供される第２のデバイスは、第１の時間リソースにおける第１のサブフレームの予め設定された期間、又は第１の時間リソースにおけるサブフレームの第１の時間セットにおいて、第１のサービングセルの第１の情報を送信する開始位置を決定し、第１の情報を第１のデバイスに送信し、第１の情報に従って、第２の時間リソースの開始位置を決定し、第２の時間リソースにおけるサブフレームの第２の時間セットにおいて、第１のサービングセルの第２の情報を送信する開始位置を決定し、第２の情報を第１のデバイスに送信する。これにより、第１のデバイスは、第１の情報を検出することによって、第２の時間リソースの開始位置を決定することができる。これにより、ライセンス不要周波数帯における情報送信の開始時刻が決定不可能なので、受信側がデータを正しく受信することができないという従来技術の問題が解決される。
【０２４７】
図１に対応する前述の実施形態に基づいて、本発明の他の実施形態は、図１に対応する前述の実施形態において説明されるデータ伝送方法を実行するように構成される第１のデバイスを提供する。図１０を参照すると、第１のデバイス１００は、少なくとも１つのプロセッサ１００１、メモリ１００２、バス１００３、及び受信機１００４を含む。少なくとも１つのプロセッサ１００１、メモリ１００２、及び受信機１００４は、バス１００３を用いることによって、互いに接続され、通信を行う。
【０２４８】
バス１００３は、ＩＳＡ（Ｉｎｄｕｓｔｒｙ  Ｓｔａｎｄａｒｄ  Ａｒｃｈｉｔｅｃｔｕｒｅ、業界標準アーキテクチャ）バス、ＰＣＩ（Ｐｅｒｉｐｈｅｒａｌ  Ｃｏｍｐｏｎｅｎｔ、ペリフェラルコンポーネント相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ、拡張型業界標準アーキテクチャ）バス等であってよい。バス１００３は、アドレスバス、データバス、制御バス等に分類されてよい。表記を容易にするために、バス１００３は、図１０において、１つの太線だけを用いることによって表されている。しかしながら、これは、１つだけのバス又は１つだけのタイプのバスが存在することを示すものではない。
【０２４９】
メモリ１００２は、本発明における解決手段を実行するためのアプリケーションプログラムコードを格納するように構成される。ここで、本発明における解決手段を実行するためのアプリケーションプログラムコードは、メモリに格納され、その実行は、プロセッサ１００１によって制御される。
【０２５０】
メモリは、リードオンリメモリＲＯＭ又は静的な情報及び命令を格納し得る他のタイプの静的ストレージデバイス、ランダムアクセスメモリＲＡＭ、又は情報及び命令を格納し得る他のタイプの動的ストレージデバイスであってよく、又は、電気的消去可能プログラマブルリードオンリメモリＥＥＰＲＯＭ、コンパクトディスクリードオンリメモリＣＤ−ＲＯＭ又は他のコンパクトディスクストレージ、光ディスクストレージ（コンパクトディスク、レーザディスク、光ディスク、デジタル多用途ディスク、ブルーレイディスク等を含む）、ディスク記憶媒体又は他のディスクストレージデバイス、又は期待されるプログラムコードを命令もしくはデータ構造の形式で保持もしくは格納するために利用可能であり、コンピュータによってアクセス可能な任意の他の媒体であってよいが、これらに限定されるものではない。これらのメモリは、バスを用いることによって、プロセッサに接続される。
【０２５１】
プロセッサ１００１は、中央演算処理装置１００１（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、又は本発明の本実施形態を実装するように構成される１つ又は複数の集積回路であってよい。
【０２５２】
プロセッサ１００１は、メモリ１００２におけるプログラムコードを呼び出すように構成される。可能な実装方式において、前述のアプリケーションプログラムがプロセッサ１００１によって実行される場合、以下の機能が実装される。
【０２５３】
プロセッサ１００１は、第１の時間リソースにおける第１のサブフレームの予め設定された期間、又は第１の時間リソースにおけるサブフレームの第１の時間セットにおいて、第１のサービングセルの第１の情報を検出するように構成される。第１の時間セットは、サブフレームにおける第１の情報の予め規定された開始位置のセットであり、第１の時間セットは、少なくとも２つの要素を含む。
【０２５４】
プロセッサ１００１は、検出された第１の情報に従って、第２の時間リソースの開始位置を決定するようにさらに構成される。
【０２５５】
プロセッサ１００１は、第２の時間リソースにおけるサブフレームの第２の時間セットにおいて、第１のサービングセルの第２の情報を検出するようにさらに構成される。ここで、第２の時間セットは、サブフレームにおける第２の情報の予め規定された開始位置のセットであり、第１の時間セット及び第２の時間セットは、少なくとも１つの異なる要素を含む。
【０２５６】
好ましくは、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。
【０２５７】
任意選択的に、プロセッサ１００１は、第１の情報の後で受信された第３の情報を検出し、検出された第３の情報に従って、第１の情報の開始位置を決定し、第１の時間リソースにおける第１のサブフレームの予め設定された期間、又は第１の時間リソースにおけるサブフレームの第１の時間セットにおいて、第１の情報の開始位置に従って、受信された第１の情報を検出するようにさらに構成される。
【０２５８】
任意選択的に、適用シナリオにおいて、各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。さらに、任意選択的に、フレーム周期は、フレームベース機器ＦＢＥフレーム構造における固定フレーム周期ＦＦＰである。
【０２５９】
第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。
【０２６０】
あるいは、任意選択的に、他の適用シナリオにおいて、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【０２６１】
任意選択的に、第１の時間セットは、サブフレームにおいて、少なくとも１つの直交周波数分割多重ＯＦＤＭシンボルの開始時刻を含む、又は、第１の時間セットは、サブフレームにおいて、少なくとも１／ＴのＯＦＤＭシンボルの開始時刻を含み、Ｔは、０より大きい整数である。
【０２６２】
任意選択的に、第１の時間セットは、サブフレームにおいて、第（ｋ＋ｘ）のＯＦＤＭシンボルの開始位置を含む。
【０２６３】
ｋの値は、３、４、５、６、８、９、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０２６４】
任意選択的に、第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【０２６５】
さらに、任意選択的に、
プロセッサ１００１は、継続時間情報を検出し、検出された継続時間情報に従って、第２の時間リソースの終了時刻を決定するようにさらに構成される。
【０２６６】
好ましくは、継続時間情報は、第１の長さについての情報を含み、第１の長さは、第２の時間リソースにおける最後のサブフレームの長さである。
【０２６７】
任意選択的に、第１のデバイス１００は、第１のサービングセルの少なくとも２つの継続時間情報を検出する。
【０２６８】
プロセッサ１００１は、検出された最後の継続時間情報に従って、第２の時間リソースの終了時刻を決定するようにさらに構成される。
【０２６９】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０２７０】
好ましくは、継続時間情報は、第２の時間リソースにおける最後のサブフレームに保持される。継続時間情報は、物理層共通制御チャネルに保持されてよい。
【０２７１】
本発明の本実施形態において提供される第１のデバイスは、第１の時間リソースにおける第１のサブフレームの予め設定された期間、又は第１の時間リソースにおけるサブフレームの第１の時間セットにおいて、第１のサービングセルの第１の情報を検出し、第１の情報に従って、第２の時間リソースの開始位置を決定し、第２の時間リソースにおけるサブフレームの第２の時間セットにおいて、第１のサービングセルの第２の情報を検出する。これにより、ライセンス不要周波数帯における情報送信の開始時刻が決定不可能なので、受信側がデータを正しく受信することができないという従来技術の問題が解決される。
【０２７２】
図５に対応する前述の実施形態に基づいて、本発明の他の実施形態は、図５に対応する前述の実施形態において説明されるデータ伝送方法を実行するように構成される第２のデバイスを提供する。図１１を参照すると、第２のデバイス１１０は、少なくとも１つのプロセッサ１１０１、メモリ１１０２、バス１１０３、及び送信機１１０４を含む。少なくとも１つのプロセッサ１１０１、メモリ１１０２、及び送信機１１０４は、バス１１０３を用いることによって、互いに接続され、通信を行う。
【０２７３】
バス１１０３は、ＩＳＡ（Ｉｎｄｕｓｔｒｙ  Ｓｔａｎｄａｒｄ  Ａｒｃｈｉｔｅｃｔｕｒｅ、業界標準アーキテクチャ）バス、ＰＣＩ（Ｐｅｒｉｐｈｅｒａｌ  Ｃｏｍｐｏｎｅｎｔ、ペリフェラルコンポーネント相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ、拡張型業界標準アーキテクチャ）バス等であってよい。バス１１０３は、アドレスバス、データバス、制御バス等に分類されてよい。表記を容易にするために、バス１１０３は、図１１において、１つの太線だけを用いることによって表されている。しかしながら、これは、１つだけのバス又は１つだけのタイプのバスが存在することを示すものではない。
【０２７４】
メモリ１１０２は、本発明における解決手段を実行するためのアプリケーションプログラムコードを格納するように構成される。ここで、本発明における解決手段を実行するためのアプリケーションプログラムコードは、メモリに格納され、その実行は、プロセッサ１１０１によって制御される。
【０２７５】
メモリは、リードオンリメモリＲＯＭ又は静的な情報及び命令を格納し得る他のタイプの静的ストレージデバイス、ランダムアクセスメモリＲＡＭ、又は情報及び命令を格納し得る他のタイプの動的ストレージデバイスであってよく、又は、電気的消去可能プログラマブルリードオンリメモリＥＥＰＲＯＭ、コンパクトディスクリードオンリメモリＣＤ−ＲＯＭ又は他のコンパクトディスクストレージ、光ディスクストレージ（コンパクトディスク、レーザディスク、光ディスク、デジタル多用途ディスク、ブルーレイディスク等を含む）、ディスク記憶媒体又は他のディスクストレージデバイス、又は期待されるプログラムコードを命令もしくはデータ構造の形式で保持もしくは格納するために利用可能であり、コンピュータによってアクセス可能な任意の他の媒体であってよいが、これらに限定されるものではない。これらのメモリは、バスを用いることによって、プロセッサに接続される。
【０２７６】
プロセッサ１１０１は、中央演算処理装置１１０１（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、又は本発明の本実施形態を実装するように構成される１つ又は複数の集積回路であってよい。
【０２７７】
プロセッサ１１０１は、メモリ１１０２におけるプログラムコードを呼び出すように構成される。可能な実装方式において、前述のアプリケーションプログラムがプロセッサ１１０１によって実行される場合、以下の機能が実装される。
【０２７８】
プロセッサ１１０１は、第１の時間リソースにおける第１のサブフレームの予め設定された期間、又は第１の時間リソースにおけるサブフレームの第１の時間セットにおいて、第１のサービングセルの第１の情報を送信する開始位置を決定するように構成される。ここで、第１の時間セットは、サブフレームにおける第１の情報の予め規定された開始位置のセットであり、第１の時間セットは、少なくとも２つの要素を含む。
【０２７９】
送信機１１０４は、第１の情報を第１のデバイスに送信するように構成される。
【０２８０】
プロセッサ１１０１は、第１の情報に従って、第２の時間リソースの開始位置を決定し、第２の時間リソースにおけるサブフレームの第２の時間セットにおいて、第１のサービングセルの第２の情報を送信する開始位置を決定するようにさらに構成される。ここで、第２の時間セットは、サブフレームにおける第２の情報の予め規定された開始位置のセットであり、第１の時間セット及び第２の時間セットは、少なくとも１つの異なる要素を含む。
【０２８１】
送信機１１０４は、第２の情報を第１のデバイスに送信するようにさらに構成される。
【０２８２】
好ましくは、第１の時間リソースは、第１のサービングセルの閉鎖期を含み、第１のサービングセルの閉鎖期は、第１のサービングセルがアンライセンス周波数帯を先行占有しない期間である。第２の時間リソースは、第１のサービングセルの開放期に含まれ、第１のサービングセルの開放期は、第１のサービングセルがアンライセンス周波数帯を占有する期間である。
【０２８３】
任意選択的に、送信機１１０４は、第３の情報を第１のデバイスに送信するようにさらに構成される。ここで、第３の情報は、第１の情報の開始位置を示すために用いられる。
【０２８４】
任意選択的に、適用シナリオにおいて、各フレーム周期における１番目のサブフレームは、第１のサブフレームであり、予め設定された期間は、第１のサブフレームにおいて、少なくとも１つの直交周波数分割多重ＯＦＤＭシンボルを含み、フレーム周期は、少なくとも２つのサブフレームを含む。さらに、任意選択的に、フレーム周期は、フレームベース機器ＦＢＥフレーム構造における固定フレーム周期ＦＦＰである。
【０２８５】
第１のサブフレームは、Ｉ  ｍｏｄ  Ｆ＝ｏｆｆｓｅｔの式を満たす。ここで、Ｉは、第１のサブフレームのサブフレームインデックスであり、Ｆは、固定フレーム周期ＦＦＰの長さであり、ｏｆｆｓｅｔは、偏移量である。
【０２８６】
あるいは、任意選択的に、他の適用シナリオにおいて、各フレーム周期における全てのサブフレームは、第１のサブフレームであり、各フレーム周期に含まれるアイドル周期は、各フレーム周期において均等な間隔で分散し、予め設定された期間における最初のＯＦＤＭシンボルのインデックスｍは、Ｉ  ｍｏｄ  Ｘ＝ｏｆｆｓｅｔ＋ｍの式を満たし、Ｉは、第１のサブフレームのサブフレームインデックスであり、Ｘは、フレーム周期の長さであり、ｏｆｆｓｅｔは、偏移量である。
【０２８７】
任意選択的に、第１の時間セットは、サブフレームにおいて、少なくとも１つの直交周波数分割多重ＯＦＤＭシンボルの開始時刻を含む、又は、第１の時間セットは、サブフレームにおいて、少なくとも１／ＴのＯＦＤＭシンボルの開始時刻を含み、Ｔは、０より大きい整数である。
【０２８８】
任意選択的に、第１の時間セットは、サブフレームにおいて、第（ｋ＋ｘ）のＯＦＤＭシンボルの開始位置を含む。
【０２８９】
ｋの値は、３、４、５、６、８、１１、又は１２の少なくとも１つを含み、ｘは、プリアンブルシーケンスによって占有されるＯＦＤＭシンボルの数を表し、ｘの値は、０、１、２、３、又は４であり、１≦ｋ＋ｘ≦１４である。
【０２９０】
任意選択的に、第２の時間リソースの開始位置は、第１の情報の開始位置に続く第ｎのデータ伝送単位の開始時刻であり、ｎは、正の整数であり、データ伝送単位は、１／ＴのＯＦＤＭシンボルであり、Ｔは、０より大きい整数である。
【０２９１】
さらに、任意選択的に、
プロセッサ１１０１は、第２の時間リソースの終了時刻を決定するようにさらに構成される。
【０２９２】
送信機１１０４は、継続時間情報を第１のデバイスに送信するようにさらに構成される。ここで、継続時間情報は、継続時間情報の開始時刻から第２の時間リソースの終了時刻までの時間長を示すために用いられる。
【０２９３】
好ましくは、継続時間情報は、第１の長さについての情報を含み、第１の長さは、第２の時間リソースにおける最後のサブフレームの長さである。
【０２９４】
任意選択的に、送信機１１０４は、第１のサービングセルの少なくとも２つの継続時間情報を第１のデバイスに送信するようにさらに構成される。
【０２９５】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０２９６】
好ましくは、継続時間情報は、第２の時間リソースにおける最後のサブフレームに保持される。継続時間情報は、物理層共通制御チャネルに保持されてよい。
【０２９７】
本発明の本実施形態において提供される第２のデバイスは、第１の時間リソースにおける第１のサブフレームの予め設定された期間、又は第１の時間リソースにおけるサブフレームの第１の時間セットにおいて、第１のサービングセルの第１の情報を送信する開始位置を決定し、第１の情報を第１のデバイスに送信し、第１の情報に従って、第２の時間リソースの開始位置を決定し、第２の時間リソースにおけるサブフレームの第２の時間セットにおいて、第１のサービングセルの第２の情報を送信する開始位置を決定し、第２の情報を第１のデバイスに送信する。これにより、第１のデバイスは、第１の情報を検出することによって、第２の時間リソースの開始位置を決定することができる。これにより、ライセンス不要周波数帯における情報送信の開始時刻が決定不可能なので、受信側がデータを正しく受信することができないという従来技術の問題が解決される。
【０２９８】
図６に対応する前述の実施形態に基づいて、本発明の実施形態は、図６に対応する前述の実施形態において説明されるデータ伝送方法を実行するように構成される他の第１のデバイスを提供する。図１２を参照すると、第１のデバイス１２０は、検出ユニット１２０１及び管理ユニット１２０２を含む。
【０２９９】
検出ユニット１２０１は、継続時間情報を検出するように構成される。
【０３００】
管理ユニット１２０２は、検出ユニット１２０１によって検出された継続時間情報に従って、第２の時間リソースの終了時刻を決定するように構成される。
【０３０１】
任意選択的に、第２の時間リソースは、第１のサービングセルの開放期に含まれ、第１のサービングセルの開放期は、第１のサービングセルがアンライセンス周波数帯を占有する期間である。
【０３０２】
任意選択的に、継続時間情報は、第１の長さについての情報を含み、第１の長さは、第２の時間リソースにおける最後のサブフレームの長さである。
【０３０３】
任意選択的に、第１のデバイスは、第１のサービングセルの少なくとも２つの継続時間情報を検出する。
【０３０４】
管理ユニット１２０２は、検出された最後の継続時間情報に従って、第２の時間リソースの終了時刻を決定するようにさらに構成される。
【０３０５】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０３０６】
任意選択的に、継続時間情報は、第２の時間リソースにおける最後のサブフレームに保持される。継続時間情報は、物理層共通制御チャネルに保持されてよい。
【０３０７】
本発明の本実施形態において提供される第１のデバイスは、継続時間情報の開始時刻から第２の時間リソースの終了時刻までの時間長を示すために用いられる継続時間情報を検出し、継続時間情報に従って、第２の時間リソースの終了時刻を決定する。これにより、ライセンス不要周波数帯において、受信側が情報の送信終了時刻を決定できないために発生する、データ受信エラーという従来技術の問題を解決する。
【０３０８】
図７に対応する前述の実施形態に基づいて、本発明の実施形態は、図７に対応する前述の実施形態において説明されるデータ伝送方法を実行するように構成される他の第２のデバイスを提供する。図１３を参照すると、第２のデバイス１３０は、管理ユニット１３０１及び送信ユニット１３０２を含む。
【０３０９】
管理ユニット１３０１は、第２の時間リソースの終了時刻を決定するように構成される。
【０３１０】
送信ユニット１３０２は、継続時間情報を第１のデバイスに送信するように構成される。ここで、継続時間情報は、継続時間情報の開始時刻から第２の時間リソースの終了時刻までの時間長を示すために用いられる。
【０３１１】
任意選択的に、第２の時間リソースは、第１のサービングセルの開放期に含まれ、第１のサービングセルの開放期は、第１のサービングセルがアンライセンス周波数帯を占有する期間である。
【０３１２】
任意選択的に、継続時間情報は、第１の長さについての情報を含み、第１の長さは、第２の時間リソースにおける最後のサブフレームの長さである。
【０３１３】
任意選択的に、送信ユニット１３０２は、第１のサービングセルの少なくとも２つの継続時間情報を第１のデバイスに送信するようにさらに構成される。
【０３１４】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０３１５】
任意選択的に、継続時間情報は、第２の時間リソースにおける最後のサブフレームに保持される。継続時間情報は、物理層共通制御チャネルに保持されてよい。
【０３１６】
本発明の本実施形態において提供される第２のデバイスは、第２の時間リソースの終了時刻を決定し、第２のデバイスは、継続時間情報を第１のデバイスに送信する。ここで、継続時間情報は、継続時間情報の開始時刻から第２の時間リソースの終了時刻までの時間長を示すために用いられ、これにより、第１のデバイスは、継続時間情報に従って、第２の時間リソースの終了時刻を決定することができる。これにより、ライセンス不要周波数帯において、受信側が情報の送信終了時刻を決定できないために発生する、データ受信エラーという従来技術の問題を解決する。
【０３１７】
図６に対応する前述の実施形態に基づいて、本発明の他の実施形態は、図６に対応する前述の実施形態において説明されるデータ伝送方法を実行するように構成される他の第１のデバイスを提供する。図１４を参照すると、第１のデバイス１４０は、少なくとも１つのプロセッサ１４０１、メモリ１４０２、バス１４０３、及び受信機１４０４を含む。少なくとも１つのプロセッサ１４０１、メモリ１４０２、及び受信機１４０４は、バス１４０３を用いることによって、互いに接続され、通信を行う。
【０３１８】
バス１４０３は、ＩＳＡ（Ｉｎｄｕｓｔｒｙ  Ｓｔａｎｄａｒｄ  Ａｒｃｈｉｔｅｃｔｕｒｅ、業界標準アーキテクチャ）バス、ＰＣＩ（Ｐｅｒｉｐｈｅｒａｌ  Ｃｏｍｐｏｎｅｎｔ、ペリフェラルコンポーネント相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ、拡張型業界標準アーキテクチャ）バス等であってよい。バス１４０３は、アドレスバス、データバス、制御バス等に分類されてよい。表記を容易にするために、バス１４０３は、図１４において、１つの太線だけを用いることによって表されている。しかしながら、これは、１つだけのバス又は１つだけのタイプのバスが存在することを示すものではない。
【０３１９】
メモリ１４０２は、本発明における解決手段を実行するためのアプリケーションプログラムコードを格納するように構成される。ここで、本発明における解決手段を実行するためのアプリケーションプログラムコードは、メモリに格納され、その実行は、プロセッサ１４０１によって制御される。
【０３２０】
メモリは、リードオンリメモリＲＯＭ又は静的な情報及び命令を格納し得る他のタイプの静的ストレージデバイス、ランダムアクセスメモリＲＡＭ、又は情報及び命令を格納し得る他のタイプの動的ストレージデバイスであってよく、又は、電気的消去可能プログラマブルリードオンリメモリＥＥＰＲＯＭ、コンパクトディスクリードオンリメモリＣＤ−ＲＯＭ又は他のコンパクトディスクストレージ、光ディスクストレージ（コンパクトディスク、レーザディスク、光ディスク、デジタル多用途ディスク、ブルーレイディスク等を含む）、ディスク記憶媒体又は他のディスクストレージデバイス、又は期待されるプログラムコードを命令もしくはデータ構造の形式で保持もしくは格納するために利用可能であり、コンピュータによってアクセス可能な任意の他の媒体であってよいが、これらに限定されるものではない。これらのメモリは、バスを用いることによって、プロセッサに接続される。
【０３２１】
プロセッサ１４０１は、中央演算処理装置１４０１（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、又は本発明の本実施形態を実装するように構成される１つ又は複数の集積回路であってよい。
【０３２２】
プロセッサ１４０１は、メモリ１４０２におけるプログラムコードを呼び出すように構成される。可能な実装方式において、前述のアプリケーションプログラムがプロセッサ１４０１によって実行される場合、以下の機能が実装される。
【０３２３】
プロセッサ１４０１は、継続時間情報を検出し、検出された継続時間情報に従って、第２の時間リソースの終了時刻を決定するように構成される。
【０３２４】
任意選択的に、第２の時間リソースは、第１のサービングセルの開放期に含まれ、第１のサービングセルの開放期は、第１のサービングセルがアンライセンス周波数帯を占有する期間である。
【０３２５】
任意選択的に、継続時間情報は、第１の長さについての情報を含み、第１の長さは、第２の時間リソースにおける最後のサブフレームの長さである。
【０３２６】
任意選択的に、第１のデバイスは、第１のサービングセルの少なくとも２つの継続時間情報を検出する。
【０３２７】
プロセッサ１４０１は、検出された最後の継続時間情報に従って、第２の時間リソースの終了時刻を決定するようにさらに構成される。
【０３２８】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０３２９】
任意選択的に、継続時間情報は、第２の時間リソースにおける最後のサブフレームに保持される。継続時間情報は、物理層共通制御チャネルに保持されてよい。
【０３３０】
本発明の本実施形態において提供される第１のデバイスは、継続時間情報の開始時刻から第２の時間リソースの終了時刻までの時間長を示すために用いられる継続時間情報を検出し、継続時間情報に従って、第２の時間リソースの終了時刻を決定する。これにより、ライセンス不要周波数帯において、受信側が情報の送信終了時刻を決定できないために発生する、データ受信エラーという従来技術の問題を解決する。
【０３３１】
図７に対応する前述の実施形態に基づいて、本発明の他の実施形態は、図７に対応する前述の実施形態において説明されるデータ伝送方法を実行するように構成される他の第２のデバイスを提供する。図１５を参照すると、第２のデバイス１５０は、少なくとも１つのプロセッサ１５０１、メモリ１５０２、バス１５０３、及び送信機１５０４を含む。少なくとも１つのプロセッサ１５０１、メモリ１５０２、及び送信機１５０４は、バス１５０３を用いることによって、互いに接続され、通信を行う。
【０３３２】
バス１５０３は、ＩＳＡ（Ｉｎｄｕｓｔｒｙ  Ｓｔａｎｄａｒｄ  Ａｒｃｈｉｔｅｃｔｕｒｅ、業界標準アーキテクチャ）バス、ＰＣＩ（Ｐｅｒｉｐｈｅｒａｌ  Ｃｏｍｐｏｎｅｎｔ、ペリフェラルコンポーネント相互接続）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ、拡張型業界標準アーキテクチャ）バス等であってよい。バス１５０３は、アドレスバス、データバス、制御バス等に分類されてよい。表記を容易にするために、バス１５０３は、図１５において、１つの太線だけを用いることによって表されている。しかしながら、これは、１つだけのバス又は１つだけのタイプのバスが存在することを示すものではない。
【０３３３】
メモリ１５０２は、本発明における解決手段を実行するためのアプリケーションプログラムコードを格納するように構成される。ここで、本発明における解決手段を実行するためのアプリケーションプログラムコードは、メモリに格納され、その実行は、プロセッサ１５０１によって制御される。
【０３３４】
メモリは、リードオンリメモリＲＯＭ又は静的な情報及び命令を格納し得る他のタイプの静的ストレージデバイス、ランダムアクセスメモリＲＡＭ、又は情報及び命令を格納し得る他のタイプの動的ストレージデバイスであってよく、又は、電気的消去可能プログラマブルリードオンリメモリＥＥＰＲＯＭ、コンパクトディスクリードオンリメモリＣＤ−ＲＯＭ又は他のコンパクトディスクストレージ、光ディスクストレージ（コンパクトディスク、レーザディスク、光ディスク、デジタル多用途ディスク、ブルーレイディスク等を含む）、ディスク記憶媒体又は他のディスクストレージデバイス、又は期待されるプログラムコードを命令もしくはデータ構造の形式で保持もしくは格納するために利用可能であり、コンピュータによってアクセス可能な任意の他の媒体であってよいが、これらに限定されるものではない。これらのメモリは、バスを用いることによって、プロセッサに接続される。
【０３３５】
プロセッサ１５０１は、中央演算処理装置１５０１（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、又は本発明の本実施形態を実装するように構成される１つ又は複数の集積回路であってよい。
【０３３６】
プロセッサ１５０１は、メモリ１５０２におけるプログラムコードを呼び出すように構成される。可能な実装方式において、前述のアプリケーションプログラムがプロセッサ１５０１によって実行される場合、以下の機能が実装される。
【０３３７】
プロセッサ１５０１は、第２の時間リソースの終了時刻を決定するように構成される。
【０３３８】
送信機１５０４は、継続時間情報を第１のデバイスに送信するように構成される。ここで、継続時間情報は、継続時間情報の開始時刻から第２の時間リソースの終了時刻までの時間長を示すために用いられる。
【０３３９】
任意選択的に、第２の時間リソースは、第１のサービングセルの開放期に含まれ、第１のサービングセルの開放期は、第１のサービングセルがアンライセンス周波数帯を占有する期間である。
【０３４０】
任意選択的に、継続時間情報は、第１の長さについての情報を含み、第１の長さは、第２の時間リソースにおける最後のサブフレームの長さである。
【０３４１】
任意選択的に、送信機１５０４は、第１のサービングセルの少なくとも２つの継続時間情報を第１のデバイスに送信するようにさらに構成される。
【０３４２】
任意選択的に、継続時間情報は、第２のサブフレームにおける制御チャネルに保持され、第２のサブフレームは、第２の時間リソースにおけるサブフレーム、又は第２のサービングセルにおいて、第２の時間リソースにおける最後のサブフレームに対応するサブフレームの少なくとも１つを含む。
【０３４３】
任意選択的に、継続時間情報は、第２の時間リソースにおける最後のサブフレームに保持される。継続時間情報は、物理層共通制御チャネルに保持されてよい。
【０３４４】
本発明の本実施形態において提供される第２のデバイスは、第２の時間リソースの終了時刻を決定し、第２のデバイスは、継続時間情報を第１のデバイスに送信する。ここで、継続時間情報は、継続時間情報の開始時刻から第２の時間リソースの終了時刻までの時間長を示すために用いられ、これにより、第１のデバイスは、継続時間情報に従って、第２の時間リソースの終了時刻を決定することができる。これにより、ライセンス不要周波数帯において、受信側が情報の送信終了時刻を決定できないために発生する、データ受信エラーという従来技術の問題を解決する。
【０３４５】
図１及び図５に対応する前述の実施形態に基づいて、本発明の実施形態は、図１及び図５に対応する前述の実施形態において説明されるデータ伝送方法を実行するように構成される無線通信システムを提供する。図１６を参照すると、無線通信システム１６０は、第１のデバイス１６０１及び第２のデバイス１６０２を含む。
【０３４６】
第１のデバイス１６０１は、図８に対応する実施形態において説明される第１のデバイスであり、第２のデバイス１６０２は、図９に対応する実施形態において説明される第２のデバイスである。
【０３４７】
あるいは、第１のデバイス１６０１は、図１０に対応する実施形態において説明される第１のデバイスであり、第２のデバイス１６０２は、図１１に対応する実施形態において説明される第２のデバイスである。
【０３４８】
本発明の本実施形態において提供される無線通信システムによれば、によれば、第１のデバイスは、第１の時間リソースにおける第１のサブフレームの予め設定された期間、又は第１の時間リソースにおけるサブフレームの第１の時間セットにおいて、第１のサービングセルの第１の情報を検出し、第１の情報に従って、第２の時間リソースの開始位置を決定し、第２の時間リソースにおけるサブフレームの第２の時間セットにおいて、第１のサービングセルの第２の情報を検出する。これにより、ライセンス不要周波数帯における情報送信の開始時刻が決定不可能なので、受信側がデータを正しく受信することができないという従来技術の問題が解決される。
【０３４９】
図６及び図７に対応する前述の実施形態に基づいて、本発明の実施形態は、図６及び図７に対応する前述の実施形態において説明されるデータ伝送方法を実行するように構成される他の無線通信システムを提供する。図１７を参照すると、無線通信システム１７０は、第１のデバイス１７０１及び第２のデバイス１７０２を含む。
【０３５０】
第１のデバイス１７０１は、図１２に対応する実施形態において説明される第１のデバイスであり、第２のデバイス１７０２は、図１３に対応する実施形態において説明される第２のデバイスである。
【０３５１】
あるいは、第１のデバイス１７０１は、図１４に対応する実施形態において説明される第１のデバイスであり、第２のデバイス１７０２は、図１５に対応する実施形態において説明される第２のデバイスである。
【０３５２】
本発明の本実施形態において提供される無線通信システムによれば、第１のデバイスは、継続時間情報の開始時刻から第２の時間リソースの終了時刻までの時間長を示すために用いられる継続時間情報を検出し、継続時間情報に従って、第２の時間リソースの終了時刻を決定する。これにより、ライセンス不要周波数帯において、受信側が情報の送信終了時刻を決定できないために発生する、データ受信エラーという従来技術の問題を解決する。
【０３５３】
前述の実施形態の説明により、当業者であれば、本発明がハードウェア、ファームウェア又はこれらの組み合わせによって実装され得ることを明確に理解しよう。本発明がソフトウェアによって実装される場合、前述の機能は、コンピュータ可読媒体に格納されてよく、又は、コンピュータ可読媒体における１つ又は複数の命令もしくはコードとして伝送されてよい。コンピュータ可読媒体は、コンピュータ記憶媒体及び通信媒体を含む。通信媒体は、１つの箇所から他の箇所に伝送されるように、コンピュータプログラムを有効化する任意の媒体を含む。記憶媒体は、コンピュータにアクセス可能な任意の利用可能な媒体であってよい。以下の事項は、限定されるものではなく、例としてみなされるものである。コンピュータ可読媒体は、ＲＡＭ（Ｒａｎｄｏｍ  Ａｃｃｅｓｓ  Ｍｅｍｏｒｙ、ランダムアクセスメモリ）、ＲＯＭ（Ｒｅａｄ−Ｏｎｌｙ  Ｍｅｍｏｒｙ、リードオンリメモリ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、電気的消去可能プログラマブルリードオンリメモリ）、ＣＤ−ＲＯＭ（Ｃｏｍｐａｃｔ  Ｄｉｓｃ  Ｒｅａｄ−Ｏｎｌｙ  Ｍｅｍｏｒｙ、コンパクトディスクリードオンリメモリ）又は他の光ディスクストレージ、ディスク記憶媒体もしくは他のディスクストレージ、又は期待されるプログラムコードをコマンドもしくはデータ構造の形式で保持もしくは格納するために利用可能であり、コンピュータによってアクセス可能な任意の他の媒体を含んでよい。さらに、任意の接続が、コンピュータ可読媒体として適宜定義されてよい。例えば、ソフトウェアが、同軸ケーブル、光ファイバ／ケーブル、ツイストペア、ＤＳＬ（Ｄｉｇｉｔａｌ  Ｓｕｂｓｃｒｉｂｅｒ  Ｌｉｎｅ、デジタル加入者線）又は赤外線、無線及びマイクロ波のような無線技術を用いることによって、ウェブサイト、サーバ又は他のリモートソースから伝送される場合、同軸ケーブル、光ファイバ／ケーブル、ツイストペア、ＤＳＬ又は赤外線、無線及びマイクロ波のような無線技術は、これらが属する媒体の固定に含まれる。例えば、本発明によって用いられるディスク（ｄｉｓｋ）又はディスク（ｄｉｓｃ）は、ＣＤ（Ｃｏｍｐａｃｔ  Ｄｉｓｃ、コンパクトディスク）、レーザディスク、光ディスク、ＤＶＤディスク（Ｄｉｇｉｔａｌ  Ｖｅｒｓａｔｉｌｅ  Ｄｉｓｃ、デジタル多用途ディスク）、フロッピ（登録商標）ディスク及びＢｌｕ−ｒａｙ（登録商標）ディスクを含む。ここで、ディスク（ｄｉｓｋ）は、概して、磁気的手段によってデータをコピーし、ディスク（ｄｉｓｃ）は、レーザ手段によってデータを光学的にコピーする。前述の組み合わせも、コンピュータ可読媒体の保護範囲に含まれるべきである。
【０３５４】
前述の説明は、本発明の具体的な実装方式に過ぎず、本発明の保護範囲を限定することを意図するものではない。本発明において開示された技術的範囲内で、当業者によって容易に案出されるあらゆるバリエーション又は置換は、本発明の保護範囲に属するものとする。従って、本発明の保護範囲は、特許請求の範囲の保護範囲に従うものとする。
【国際調査報告】
2018516480.tif 000022
2018516480.tif 000023
2018516480.tif 000024
2018516480.tif 000025